(57)【要約】  本開示の実施形態は、リソースの割り当て方法、および装置、端末を提供し、当該方法は、第１の端末は第２の端末に送信されるＢＳＲ情報を受信することと、前記第１の端末は前記第２の端末に第１の伝送リソースを割り当てることとを含む。
2022500935.tif 000002
【特許請求の範囲】
【請求項１】
リソースの割り当て方法であって、前記方法は、
第１の端末は第２の端末によって送信されるバッファステータスレポートＢＳＲ情報を受信することと、
前記第１の端末は、第１の伝送リソースを前記第２の端末に割り当てることとを含む。
【請求項２】
前記第１の端末は前記第２の端末によって送信されるＢＳＲ情報を受信することは、
前記第１の端末は前記第２の端末によって送信される第１のサイドリンク伝送チャネルを受信することを含み、前記第１のサイドリンク伝送チャネルは前記ＢＳＲ情報を運ぶ、ことを特徴とする請求項１に記載の方法。
【請求項３】
前記第１のサイドリンク伝送チャネルは、第１のサイドリンク制御チャネルであり、前記第１のサイドリンク制御チャネルにおける第１のサイドリンク制御情報は、前記ＢＳＲ情報を運ぶ、ことを特徴とする請求項２に記載の方法。
【請求項４】
前記第１のサイドリンク制御情報は第１の情報フィールドを運び、前記第１の情報フィールドは前記第１のサイドリンク制御情報が前記ＢＳＲ情報を運ぶことを示すためである、ことを特徴とする請求項３に記載の方法。
【請求項５】
前記第１のサイドリンク制御情報は第２の情報フィールドを運び、前記第２の情報フィールドは前記ＢＳＲ情報を示すためである、ことを特徴とする請求項３または４に記載の方法。
【請求項６】
前記第１のサイドリンク伝送チャネルは、第１のサイドリンクデータチャネルであり、前記第１のサイドリンクデータチャネルにおけるデータは、前記ＢＳＲ情報を運ぶ、ことを特徴とする請求項２に記載の方法。
【請求項７】
前記第１のサイドリンク制御情報は第３の情報フィールドを運び、前記第３の情報フィールドは前記第１のサイドリンク制御情報がスケジューリング要求ＳＲ情報を運ぶことを示すためである、ことを特徴とする請求項３〜５の何れか一項に記載の方法。
【請求項８】
前記第１のサイドリンク制御情報は第４の情報フィールドを運び、前記第４の情報フィールドは前記ＳＲ情報を示すためである、ことを特徴とする請求項３、４、５、７の何れか一項に記載の方法。
【請求項９】
前記第１のサイドリンクデータチャネルにおけるデータは、ＳＲ情報を運ぶ、ことを特徴とする請求項６に記載の方法。
【請求項１０】
前記方法は、
前記第１の端末は前記第２の端末によって送信される第２のサイドリンク伝送チャネルを受信することをさらに含み、前記第２のサイドリンク伝送チャネルはＳＲ情報を運ぶ、ことを特徴とする請求項１〜６の何れか一項に記載の方法。
【請求項１１】
前記第２のサイドリンク伝送チャネルは、第２のサイドリンク制御チャネルであり、前記第２のサイドリンク制御チャネルにおける第２のサイドリンク制御情報は、前記ＳＲ情報を運ぶ、ことを特徴とする請求項１０に記載の方法。
【請求項１２】
前記第２のサイドリンク制御情報は第５の情報フィールドを運び、前記第５の情報フィールドは前記第２のサイドリンク制御情報が前記ＳＲ情報を運ぶことを示すためである、ことを特徴とする請求項１１に記載の方法。
【請求項１３】
前記第２のサイドリンク制御情報は第６の情報フィールドを運び、前記第６の情報フィールドは前記ＳＲ情報を示すためである、ことを特徴とする請求項１１または１２に記載の方法。
【請求項１４】
前記第２のサイドリンク伝送チャネルは、第２のサイドリンクデータチャネルであり、前記第２のサイドリンクデータチャネルにおけるデータは、前記ＳＲ情報を運ぶ、ことを特徴とする請求項１０に記載の方法。
【請求項１５】
前記第２のサイドリンク伝送チャネルは、第１のシーケンスであり、前記第１のシーケンスは、前記ＳＲ情報を示すためである、ことを特徴とする請求項１０に記載の方法。
【請求項１６】
前記第１のシーケンスは、前記第１の端末の識別情報、前記第２の端末の識別情報、および前記第１の端末と前記第２の端末が配置されているグループのグループ識別情報の少なくとも１つに基づいて生成される、ことを特徴とする請求項１５に記載の方法。
【請求項１７】
前記第１の端末は前記第２の端末によって送信される第１のサイドリンク伝送チャネルを受信することは、
前記第１の端末は第２の伝送リソースを決定することと、
前記第１の端末は、前記第２の伝送リソースにおいて前記第２の端末によって送信される前記第１のサイドリンク伝送チャネルを受信することとを含む、ことを特徴とする請求項２〜１６の何れか一項に記載の方法。
【請求項１８】
前記第１の端末は前記第２の伝送リソースを決定することは、
前記第１の端末は、事前設定情報に従って前記第２の伝送リソースを決定すること、または、
前記第１の端末は、ネットワーク設定情報に従って前記第２の伝送リソースを決定すること、または、
前記第１の端末は、第３の端末によって送信されるリソース設定情報を受信し、前記リソース設定情報に従って前記第２の伝送リソースを決定すること、または、
前記第１の端末は、第２の端末に送信されるＳＲ情報を受信し、前記第１の端末は、前記ＳＲ情報に従って第２の端末に割り当てられる伝送リソースを前記第２の伝送リソースとして決定することを含む、ことを特徴とする請求項１７に記載の方法。
【請求項１９】
前記方法は、
前記第１の端末は前記第２の端末によって送信される第１の情報を受信することをさらに含み、
前記第１の情報は、チャネル品質指標ＣＱＩ、チャネル状態表示情報ＣＳＩ、変調および符号化方式ＭＣＳ、候補伝送リソース表示情報のうちの少なくとも１つの情報を含み、ここで、前記候補伝送リソース表示情報は、第１のリソース選択ウィンドウ内の利用可能な伝送リソースを示すためである、ことを特徴とする請求項１〜１８の何れか一項に記載の方法。
【請求項２０】
前記第２の端末によって割り当てられる前記第１の伝送リソースが前記第２の端末と第１の端末とのサイドリンクデータ伝送に使用される場合、前記ＣＱＩおよび／または前記ＣＳＩは、前記第２の端末と前記第１の端末との間のチャネル品質であり、
前記第２の端末によって割り当てられる前記第１の伝送リソースが前記第２の端末と第３の端末とのサイドリンクデータ伝送に使用される場合、前記ＣＱＩおよび／または前記ＣＳＩは、前記第２の端末と前記第３の端末との間のチャネル品質である、ことを特徴とする請求項１９に記載の方法。
【請求項２１】
前記方法は、
前記第１の端末は、事前設定情報に従って前記第１のリソース選択ウィンドウを決定すること、または、
前記第１の端末は、ネットワーク設定情報に従って前記第１のリソース選択ウィンドウを決定すること、または、
前記第１の端末は、第３の端末によって送信される設定情報を受信し、前記設定情報に従って前記第１のリソース選択ウィンドウを決定することをさらに含む、ことを特徴とする請求項１９または２０に記載の方法。
【請求項２２】
前記第１の端末は前記第２の端末によって送信される第１の情報を受信することは、
前記第１の端末は前記第２の端末によって送信される前記第３のサイドリンク伝送チャネルを受信することを含み、前記第３のサイドリンク伝送チャネルは前記第１の情報を運ぶ、ことを特徴とする請求項１９または２１に記載の方法。
【請求項２３】
リソースの割り当て方法であって、前記方法は、
第２の端末は、第１の端末にＢＳＲ情報を送信することを含み、前記ＢＳＲ情報は、前記第１の端末が第１の伝送リソースを前記第２の端末に割り当てるためである、ことを特徴とするリソースの割り当て方法。
【請求項２４】
前記第２の端末は前記第１の端末にＢＳＲ情報を送信することは、
前記第２の端末は前記第１の端末に第１のサイドリンク伝送チャネルを送信することを含み、前記第１のサイドリンク伝送チャネルは前記ＢＳＲ情報を運ぶ、ことを特徴とする請求項２３に記載の方法。
【請求項２５】
前記第１のサイドリンク伝送チャネルは、第１のサイドリンク制御チャネルであり、前記第１のサイドリンク制御チャネルにおける第１のサイドリンク制御情報は、前記ＢＳＲ情報を運ぶ、ことを特徴とする請求項２４に記載の方法。
【請求項２６】
前記第１のサイドリンク制御情報は第１の情報フィールドを運び、前記第１の情報フィールドは前記第１のサイドリンク制御情報が前記ＢＳＲ情報を運ぶことを示すためである、ことを特徴とする請求項２５に記載の方法。
【請求項２７】
前記第１のサイドリンク制御情報は第２の情報フィールドを運び、前記第２の情報フィールドは前記ＢＳＲ情報を示すためである、ことを特徴とする請求項２５または２６に記載の方法。
【請求項２８】
前記第１のサイドリンク伝送チャネルは、第１のサイドリンクデータチャネルであり、前記第１のサイドリンクデータチャネルにおけるデータは、前記ＢＳＲ情報を運ぶ、ことを特徴とする請求項２４に記載の方法。
【請求項２９】
前記第１のサイドリンク制御情報は第３の情報フィールドを運び、前記第３の情報フィールドは前記第１のサイドリンク制御情報がＳＲ情報を運ぶことを示すためである、ことを特徴とする請求項２５〜２７の何れか一項に記載の方法。
【請求項３０】
前記第１のサイドリンク制御情報は第４の情報フィールドを運び、前記第４の情報フィールドは前記ＳＲ情報を示すためである、ことを特徴とする請求項２５、２５、２６、２７、２９の何れか一項に記載の方法。
【請求項３１】
前記第１のサイドリンクデータチャネルにおけるデータは、ＳＲ情報を運ぶ、ことを特徴とする請求項２８に記載の方法。
【請求項３２】
前記方法は、
前記第２の端末は、前記第１の端末に第２のサイドリンク伝送チャネルを送信し、前記第２のサイドリンク伝送チャネルは、ＳＲ情報を運ぶことをさらに含む、ことを特徴とする請求項２３〜２８の何れか一項に記載の方法。
【請求項３３】
前記第２のサイドリンク伝送チャネルは、第２のサイドリンク制御チャネルであり、前記第２のサイドリンク制御チャネルにおける第２のサイドリンク制御情報は、前記ＳＲ情報を運ぶ、ことを特徴とする請求項３２に記載の方法。
【請求項３４】
前記第２のサイドリンク制御情報は第５の情報フィールドを運び、前記第５の情報フィールドは前記第２のサイドリンク制御情報が前記ＳＲ情報を運ぶことを示すためである、ことを特徴とする請求項３３に記載の方法。
【請求項３５】
前記第２のサイドリンク制御情報は第６の情報フィールドを運び、前記第６の情報フィールドは前記ＳＲ情報を示すためである、ことを特徴とする請求項３３または３４に記載の方法。
【請求項３６】
前記第２のサイドリンク伝送チャネルは、第２のサイドリンクデータチャネルであり、前記第２のサイドリンクデータチャネルにおけるデータは、前記ＳＲ情報を運ぶ、ことを特徴とする請求項３２に記載の方法。
【請求項３７】
前記第２のサイドリンク伝送チャネルは、第１のシーケンスであり、前記第１のシーケンスは、前記ＳＲ情報を示すためである、ことを特徴とする請求項３２に記載の方法。
【請求項３８】
前記第１のシーケンスは、前記第１の端末の識別情報、前記第２の端末の識別情報、および前記第１の端末と前記第２の端末が配置されているグループのグループ識別情報の少なくとも１つに基づいて生成される、ことを特徴とする請求項３７に記載の方法。
【請求項３９】
前記第２の端末は前記第１の端末に第１のサイドリンク伝送チャネルを送信することは、
前記第２の端末は第２の伝送リソースを決定すること、
前記第２の端末は前記第２の伝送リソースにおいて前記第１の端末に前記第１のサイドリンク伝送チャネルを送信することをさらに含む、ことを特徴とする請求項２４〜３８の何れか一項に記載の方法。
【請求項４０】
前記第２の端末は第２伝送リソースを決定することは、
前記第２の端末は、前記第２の伝送リソースを独立して選択すること、または、
前記第２の端末は、事前設定情報に従って前記第２の伝送リソースを決定すること、または、
前記第２の端末は、ネットワーク設定情報に従って前記第２の伝送リソースを決定すること、または、
前記第２の端末は、第３の端末によって送信されるリソース設定情報を受信し、前記リソース設定情報に従って前記第２の伝送リソースを決定すること、または、
前記第２の端末は、第１の端末に送信されるＳＲ情報を受信し、前記第２の端末は、前記ＳＲ情報に従って第１の端末に割り当てられる伝送リソースを前記第２の伝送リソースとして決定することを含む、ことを特徴とする請求項３９に記載の方法。
【請求項４１】
前記方法は、
前記第２の端末は前記第１の端末に第１の情報を送信することをさらに含み、
前記第１の情報は、ＣＱＩ、ＣＳＩ、ＭＣＳ、候補伝送リソース表示情報のうちの少なくとも１つの情報を含み、ここで、前記候補伝送リソース表示情報は、第１のリソース選択ウィンドウ内の利用可能な伝送リソースを示すためである、ことを特徴とする請求項２３〜４０の何れか一項に記載の方法。
【請求項４２】
前記第２の端末によって割り当てられる前記第１の伝送リソースが前記第２の端末と前記第１の端末とのサイドリンクデータ伝送に使用される場合、前記ＣＱＩおよび／または前記ＣＳＩは、前記第２の端末と前記第１の端末との間のチャネル品質であり、
前記第２の端末によって割り当てられる前記第１の伝送リソースが前記第２の端末と第３の端末とのサイドリンクデータ伝送に使用される場合、前記ＣＱＩおよび／または前記ＣＳＩは、前記第２の端末と前記第３の端末との間のチャネル品質である、ことを特徴とする請求項４１に記載の方法。
【請求項４３】
前記第１のリソース選択ウィンドウは、事前設定情報に従って決定される、または、
前記第１のリソース選択ウィンドウは、ネットワーク設定情報に従って決定される、または、
前記第１のリソース選択ウィンドウは、第３の端末によって送信される設定情報に従って決定される、ことを特徴とする請求項４１または４２に記載の方法。
【請求項４４】
前記第２の端末は前記第１の端末に第１の情報を送信することは、
前記第２の端末は、前記第１の端末に第３のサイドリンク伝送チャネルを送信し、前記第３のサイドリンク伝送チャネルは、前記第１の情報を運ぶ、ことを特徴とする請求項４１〜４３の何れか一項に記載の方法。
【請求項４５】
リソースの割り当て装置であって、前記装置は、
第２の端末によって送信されるＢＳＲ情報を受信するように構成される受信部と、
第１の伝送リソースを前記第２の端末に割り当てるように構成される割り当て部とを備える。
【請求項４６】
前記受信部は、前記第２の端末によって送信される第１のサイドリンク伝送チャネルを受信するように構成され、前記第１のサイドリンク伝送チャネルは、前記ＢＳＲ情報を運ぶ、ことを特徴とする請求項４５に記載の装置。
【請求項４７】
前記第１のサイドリンク伝送チャネルは、第１のサイドリンク制御チャネルであり、前記第１のサイドリンク制御チャネルにおける第１のサイドリンク制御情報は、前記ＢＳＲ情報を運ぶ、ことを特徴とする請求項４６に記載の装置。
【請求項４８】
前記第１のサイドリンク制御情報は第１の情報フィールドを運び、前記第１の情報フィールドは前記第１のサイドリンク制御情報が前記ＢＳＲ情報を運ぶことを示すためである、ことを特徴とする請求項４７に記載の装置。
【請求項４９】
前記第１のサイドリンク制御情報は第２の情報フィールドを運び、前記第２の情報フィールドは前記ＢＳＲ情報を示すためである、ことを特徴とする請求項４７または４８に記載の装置。
【請求項５０】
前記第１のサイドリンク伝送チャネルは、第１のサイドリンクデータチャネルであり、前記第１のサイドリンクデータチャネルにおけるデータは、前記ＢＳＲ情報を運ぶ、ことを特徴とする請求項４６に記載の装置。
【請求項５１】
前記第１のサイドリンク制御情報は第３の情報フィールドを運び、前記第３の情報フィールドは前記第１のサイドリンク制御情報がＳＲ情報を運ぶことを示すためである、ことを特徴とする請求項４７〜４９の何れか一項に記載の装置。
【請求項５２】
前記第１のサイドリンク制御情報は第４の情報フィールドを運び、前記第４の情報フィールドは前記ＳＲ情報を示すためである、ことを特徴とする請求項４７、４８、４９、５１の何れか一項に記載の装置。
【請求項５３】
前記第１のサイドリンクデータチャネルにおけるデータは、ＳＲ情報を運ぶ、ことを特徴とする請求項５０に記載の装置。
【請求項５４】
前記受信部はさらに、前記第２の端末によって送信される第２のサイドリンク伝送チャネルを受信するように構成され、前記第２のサイドリンク伝送チャネルは、ＳＲ情報を運ぶ、ことを特徴とする請求項４５〜５０の何れか一項に記載の装置。
【請求項５５】
前記第２のサイドリンク伝送チャネルは、第２のサイドリンク制御チャネルであり、前記第２のサイドリンク制御チャネルにおける第２のサイドリンク制御情報は、前記ＳＲ情報を運ぶ、ことを特徴とする請求項５４に記載の装置。
【請求項５６】
前記第２のサイドリンク制御情報は第５の情報フィールドを運び、前記第５の情報フィールドは前記第２のサイドリンク制御情報が前記ＳＲ情報を運ぶことを示すためである、ことを特徴とする請求項５５に記載の装置。
【請求項５７】
前記第２のサイドリンク制御情報は第６の情報フィールドを運び、前記第６の情報フィールドは前記ＳＲ情報を示すためである、ことを特徴とする請求項５５または５６に記載の装置。
【請求項５８】
前記第２のサイドリンク伝送チャネルは、第２のサイドリンクデータチャネルであり、前記第２のサイドリンクデータチャネルにおけるデータは、前記ＳＲ情報を運ぶ、ことを特徴とする請求項５４に記載の装置。
【請求項５９】
前記第２のサイドリンク伝送チャネルは、第１のシーケンスであり、前記第１のシーケンスは、前記ＳＲ情報を示すためである、ことを特徴とする請求項５４に記載の装置。
【請求項６０】
前記第１のシーケンスは、前記第１の端末の識別情報、前記第２の端末の識別情報、および前記第１の端末と前記第２の端末が配置されているグループのグループ識別情報の少なくとも１つに基づいて生成される、ことを特徴とする請求項５９に記載の装置。
【請求項６１】
前記装置は、
第２の伝送リソースを決定するように構成される第１の決定部と、
前記第２の伝送リソースにおいて前記第２の端末によって送信される前記第１のサイドリンク伝送チャネルを受信するように構成される前記受信部とをさらに備える、ことを特徴とする請求項４６〜６０の何れか一項に記載の装置。
【請求項６２】
前記第１の決定部は、
事前設定情報に従って前記第２の伝送リソースを決定する、または、
ネットワーク設定情報に従って前記第２の伝送リソースを決定する、または、
第３の端末によって送信されるリソース設定情報を受信し、前記リソース設定情報に従って前記第２の伝送リソースを決定する、または、
第２の端末に送信されるＳＲ情報を受信し、前記ＳＲ情報に従って第２の端末に割り当てられる伝送リソースを前記第２の伝送リソースとして決定するように構成される、ことを特徴とする請求項６１に記載の装置。
【請求項６３】
前記受信部はさらにに、前記第２の端末によって送信される第１の情報を受信するように構成され、
前記第１の情報は、ＣＱＩ、ＣＳＩ、ＭＣＳ、候補伝送リソース表示情報のうちの少なくとも１つの情報を含み、ここで、前記候補伝送リソース表示情報は、第１のリソース選択ウィンドウ内の利用可能な伝送リソースを示すためである、ことを特徴とする請求項４５〜６２の何れか一項に記載の装置。
【請求項６４】
前記第２の端末によって割り当てられる前記第１の伝送リソースが前記第２の端末と前記第１の端末とのサイドリンクデータ伝送に使用される場合、前記ＣＱＩおよび／または前記ＣＳＩは、前記第２の端末と前記第１の端末との間のチャネル品質であり、
前記第２の端末によって割り当てられる前記第１の伝送リソースが前記第２の端末と第３の端末とのサイドリンクデータ伝送に使用される場合、前記ＣＱＩおよび／または前記ＣＳＩは、前記第２の端末と前記第３の端末との間のチャネル品質である、ことを特徴とする請求項６３に記載の装置。
【請求項６５】
前記装置は、
事前設定情報に従って前記第１のリソース選択ウィンドウを決定する、または、ネットワーク設定情報に従って前記第１のリソース選択ウィンドウを決定する、または、第３の端末によって送信される設定情報を受信し、前記設定情報に従って前記第１のリソース選択ウィンドウを決定するように構成される第２の決定部をさらに備える、ことを特徴とする請求項６３または６４に記載の装置。
【請求項６６】
前記受信部はさらに、前記第２の端末によって送信される前記第３のサイドリンク伝送チャネルを受信するように構成され、前記第３のサイドリンク伝送チャネルは、前記第１の情報を運ぶ、ことを特徴とする請求項６３〜６５の何れか一項に記載の装置。
【請求項６７】
リソースの割り当て装置であって、前記装置は、
第１の端末に、前記第１の端末が第１の伝送リソースを第２の端末に割り当てるためのＢＳＲ情報を送信するように構成される送信部を備える、ことを特徴とするリソースの割り当て装置。
【請求項６８】
前記送信部は、前記第１の端末に第１のサイドリンク伝送チャネルを送信するように構成され、前記第１のサイドリンク伝送チャネルは、前記ＢＳＲ情報を運ぶ、ことを特徴とする請求項６７に記載の装置。
【請求項６９】
前記第１のサイドリンク伝送チャネルは、第１のサイドリンク制御チャネルであり、前記第１のサイドリンク制御チャネルにおける第１のサイドリンク制御情報は、前記ＢＳＲ情報を運ぶ、ことを特徴とする請求項６８に記載の装置。
【請求項７０】
前記第１のサイドリンク制御情報は第１の情報フィールドを運び、前記第１の情報フィールドは前記第１のサイドリンク制御情報が前記ＢＳＲ情報を運ぶことを示すためである、ことを特徴とする請求項６９に記載の装置。
【請求項７１】
前記第１のサイドリンク制御情報は第２の情報フィールドを運び、前記第２の情報フィールドは前記ＢＳＲ情報を示すためである、ことを特徴とする請求項６９または７０に記載の装置。
【請求項７２】
前記第１のサイドリンク伝送チャネルは、第１のサイドリンクデータチャネルであり、前記第１のサイドリンクデータチャネルにおけるデータは、前記ＢＳＲ情報を運ぶ、ことを特徴とする請求項６８に記載の装置。
【請求項７３】
前記第１のサイドリンク制御情報は第３の情報フィールドを運び、前記第３の情報フィールドは前記第１のサイドリンク制御情報がＳＲ情報を運ぶことを示すためである、ことを特徴とする請求項６９〜７１の何れか一項に記載の装置。
【請求項７４】
前記第１のサイドリンク制御情報は第４の情報フィールドを運び、前記第４の情報フィールドは前記ＳＲ情報を示すためである、ことを特徴とする請求項６９、７０、７１、７３の何れか一項に記載の装置。
【請求項７５】
前記第１のサイドリンクデータチャネルにおけるデータは、ＳＲ情報を運ぶ、ことを特徴とする請求項７２に記載の装置。
【請求項７６】
前記送信部は、さらに前記第１の端末に第２のサイドリンク伝送チャネルを送信するように構成され、前記第２のサイドリンク伝送チャネルは、ＳＲ情報を運ぶ、ことを特徴とする請求項６７〜７２の何れか一項に記載の装置。
【請求項７７】
前記第２のサイドリンク伝送チャネルは、第２のサイドリンク制御チャネルであり、前記第２のサイドリンク制御チャネルにおける第２のサイドリンク制御情報は、前記ＳＲ情報を運ぶ、ことを特徴とする請求項７６に記載の装置。
【請求項７８】
前記第２のサイドリンク制御情報は第５の情報フィールドを運び、前記第５の情報フィールドは前記第２のサイドリンク制御情報が前記ＳＲ情報を運ぶことを示すためである、ことを特徴とする請求項７７に記載の装置。
【請求項７９】
前記第２のサイドリンク制御情報は第６の情報フィールドを運び、前記第６の情報フィールドは前記ＳＲ情報を示すためである、ことを特徴とする請求項７７または７８に記載の装置。
【請求項８０】
前記第２のサイドリンク伝送チャネルは、第２のサイドリンクデータチャネルであり、前記第２のサイドリンクデータチャネルにおけるデータは、前記ＳＲ情報を運ぶ、ことを特徴とする請求項７６に記載の装置。
【請求項８１】
前記第２のサイドリンク伝送チャネルは、第１のシーケンスであり、前記第１のシーケンスは、前記ＳＲ情報を示すためである、ことを特徴とする請求項７６に記載の装置。
【請求項８２】
前記第１のシーケンスは、前記第１の端末の識別情報、前記第２の端末の識別情報、および前記第１の端末と前記第２の端末が配置されているグループのグループ識別情報の少なくとも１つに基づいて生成される、ことを特徴とする請求項８１に記載の装置。
【請求項８３】
前記第１の情報は、
第２の伝送リソースを決定するように構成される決定部と、
前記第２の伝送リソースにおいて前記第１の端末に前記第１のサイドリンク伝送チャネルを送信するように構成される前記送信部とをさらに備える、ことを特徴とする請求項６８〜８２の何れか一項に記載の装置。
【請求項８４】
前記決定部は、
前記第２の伝送リソースを独立して選択すること、または、
事前設定情報に従って前記第２の伝送リソースを決定する、または、
ネットワーク設定情報に従って前記第２の伝送リソースを決定する、または、
第３の端末によって送信されるリソース設定情報を受信し、前記リソース設定情報に従って前記第２の伝送リソースを決定する、または、
第１の端末に送信されるＳＲ情報を受信し、前記ＳＲ情報に従って第   の端末に割り当てられる伝送リソースを前記第２の伝送リソースとして決定するように構成される、ことを特徴とする請求項８３に記載の装置。
【請求項８５】
前記送信部は、さらに前記第１の端末に第１の情報を送信するように構成され、
前記第１の情報は、ＣＱＩ、ＣＳＩ、ＭＣＳ、候補伝送リソース表示情報のうちの少なくとも１つの情報を含み、ここで、前記候補伝送リソース表示情報は、第１のリソース選択ウィンドウ内の利用可能な伝送リソースを示すためである、ことを特徴とする請求項６７〜８４の何れか一項に記載の装置。
【請求項８６】
前記第２の端末によって割り当てられる前記第１の伝送リソースが前記第２の端末と前記第１の端末とのサイドリンクデータ伝送に使用される場合、前記ＣＱＩおよび／または前記ＣＳＩは、前記第２の端末と前記第１の端末との間のチャネル品質であり、
前記第２の端末によって割り当てられる前記第１の伝送リソースが前記第２の端末と第３の端末とのサイドリンクデータ伝送に使用される場合、前記ＣＱＩおよび／または前記ＣＳＩは、前記第２の端末と前記第３の端末との間のチャネル品質である、ことを特徴とする請求項８５に記載の装置。
【請求項８７】
前記第１のリソース選択ウィンドウは、事前設定情報に従って決定される、または、
前記第１のリソース選択ウィンドウは、ネットワーク設定情報に従って決定される、または、
前記第１のリソース選択ウィンドウは、第３の端末によって送信される設定情報に従って決定される、ことを特徴とする請求項８５または８６に記載の装置。
【請求項８８】
前記送信部は、前記第１の端末に第３のサイドリンク伝送チャネルを送信するように構成され、前記第３のサイドリンク伝送チャネルは、前記第１の情報を運ぶ、ことを特徴とする請求項８５〜８７の何れか一項に記載の装置。
【請求項８９】
端末であって、プロセッサおよびメモリを備え、当該メモリはコンピュータプログラムを格納するように構成され、前記プロセッサは前記メモリに格納されるコンピュータプログラムを呼び出して実行し、請求項１〜２２の何れか一項に記載の方法、または、請求項２３〜４４の何れか一項に記載の方法を実行するように構成される、ことを特徴とする端末。
【請求項９０】
チップであって、プロセッサを備え、前記プロセッサはメモリからコンピュータプログラムを呼び出して実行し、前記チップを実装している装置に請求項１〜２２の何れか一項に記載の方法、または、請求項２３〜４４の何れか一項に記載の方法を実行させるように構成される、ことを特徴とするチップ。
【請求項９１】
コンピュータプログラムを格納してあるコンピュータ可読記憶媒体であって、前記コンピュータプログラムは、コンピュータに請求項１〜２２の何れか一項に記載の方法、または、請求項２３〜４４の何れか一項に記載の方法を実行させる、ことを特徴とするコンピュータ可読記憶媒体。
【請求項９２】
コンピュータプログラム指令を備えるコンピュータプログラム製品であって、当該コンピュータプログラム指令は、コンピュータに請求項１〜２２の何れか一項に記載の方法、または、請求項２３〜４４の何れか一項に記載の方法を実行させる、ことを特徴とするコンピュータプログラム製品。
【請求項９３】
コンピュータプログラムであって、前記コンピュータプログラムは、コンピュータに請求項１〜２２の何れか一項に記載の方法、または、請求項２３〜４４の何れか一項に記載の方法を実行させる、ことを特徴とするコンピュータプログラム。
【発明の詳細な説明】
【技術分野】
【０００１】
本開示の実施形態は、移動通信技術の分野に関連し、具体的には、リソースの割り当て方法および装置、端末、ネットワーク機器に関連する。
【背景技術】
【０００２】
カーネットワーキングシステムは、装置から装置（Ｄ２Ｄ、Ｄｅｖｉｃｅ  ｔｏ  Ｄｅｖｉｃｅ）のサイドリンク（ＳＬ、Ｓｉｄｅｌｉｎｋ）伝送技術に基づいており、通信データが基地局を介して送受信される従来のＬＴＥシステムとは異なり、カーネットワーキングシステムは、端末から端末の直接通信の方式を採用するため、スペクトル効率が高く、伝送遅延が少なくなる。
【０００３】
第３世代パートナーシッププロジェクト（３ＧＰＰ、Ｔｈｉｒｄ  Ｇｅｎｅｒａｔｉｏｎ  Ｐａｒｔｎｅｒ  Ｐｒｏｊｅｃｔ）リリース１４（Ｒｅｌ−１４）では、カーネットワーキング技術（Ｖ２Ｘ、Ｖｅｈｉｃｌｅ−ｔｏ−Ｅｖｅｒｙｔｈｉｎｇ）が標準化され、モード３とモード４の２つの伝送モードが定義された。モード３では、端末のサイドリンク伝送リソースは基地局によって割り当てられる。モード４では、端末はセンシング（ｓｅｎｓｉｎｇ）と予約（ｒｅｓｅｒｖａｔｉｏｎ）との方式を採用してサイドリンク伝送リソースを決定する。
【０００４】
新しい無線カーネットワーキング（ＮＲ−Ｖ２Ｘ、Ｎｅｗ  Ｒａｄｉｏ  Ｖｅｈｉｃｌｅ−ｔｏ−Ｅｖｅｒｙｔｈｉｎｇ）では、上記のモード３とモード４に加えて、他のリソースの割り当て方式を導入する必要があり、端末が伝送リソースを他の端末に割り当てることは如何に実現するのは、解決すべき問題である。
【発明の内容】
【０００５】
本開示の実施形態は、リソースの割り当て方法および装置、端末を提供する。
【０００６】
本開示の実施形態によって提供されるリソースの割り当て方法は、
第１の端末は、第２の端末によって送信されるバッファステータスレポート（ＢＳＲ、Ｂｕｆｆｅｒ  Ｓｔａｔｕｓ  Ｒｅｐｏｒｔ）情報を受信することと、
前記第１の端末は、第１の伝送リソースを前記第２の端末に割り当てることとを含む。
【０００７】
本開示の実施形態が提供するリソースの割り当て方法は、
第２の端末は、第１の端末に、前記第１の端末が第１の伝送リソースを前記第２の端末に割り当てるためのＢＳＲ情報を送信することを含む。
【０００８】
本開示の実施形態によって提供されるリソースの割り当て装置は、
第２の端末によって送信されるＢＳＲ情報を受信するように構成される受信部と、
第１の伝送リソースを前記第２の端末に割り当てるように構成される割り当て部とを備える。
【０００９】
本開示の実施形態が提供するリソースの割り当て装置は、
第１の端末に、前記第１の端末が第１の伝送リソースを前記第２の端末に割り当てるためのＢＳＲ情報を送信するように構成される送信部を備える。
【００１０】
本開示の実施形態によって提供される端末は、プロセッサおよびメモリを備える。当該メモリはコンピュータプログラムを格納するように構成され、当該プロセッサは当該メモリに格納されるコンピュータプログラムを呼び出して実行し、上記のリソースの割り当て方法を実行するように構成される。
【００１１】
本開示の実施形態によって提供されるチップは、上記のリソースの割り当て方法を実施するように構成される。
【００１２】
具体的には、当該チップは、メモリからコンピュータプログラムを呼び出して実行し、当該チップを実装している装置に上記のリソースの割り当て方法を実行させるように構成されるプロセッサを備える。
【００１３】
本開示の実施形態によって提供されるコンピュータ可読記憶媒体は、コンピュータプログラムを格納するように構成され、当該コンピュータプログラムは、コンピュータに上記のリソースの割り当て方法を実行させる。
【００１４】
本開示の実施形態によって提供されるコンピュータプログラム製品は、コンピュータプログラム指令を備え、当該コンピュータプログラム指令は、コンピュータに上記のリソースの割り当て方法を実行させる。
【００１５】
本開示の実施形態によって提供されるコンピュータプログラムは、コンピュータにて実行されるとき、コンピュータに上記のリソースの割り当て方法を実行させる。
【００１６】
上記の技術案により、第１の端末は、第１の伝送リソースを第２の端末に割り当て、当該第１の伝送リソースは、第２の端末と前記第１の端末との間のデータ伝送、または第２の端末と第３の端末との間でデータ伝送のためである。このように、１つの端末を通じてサイドリンク伝送リソースをもう１つの端末に割り当てることが実現され、ＮＲ−Ｖ２Ｘにおけるリソースの割り当て方法が充実される。
【図面の簡単な説明】
【００１７】
本明細書に記載の図面は、本開示のさらなる理解を提供し、本開示の一部を構成するためである。本開示の例示的な実施形態およびその説明は、本開示を解釈するためであり、本開示の不適切な制限を構成しない。添付の図面においては、
【図１】図１は、本開示の実施形態によって提供される通信システムアーキテクチャの模式図である。
【図２】図２は、カーネットワーキングにおけるモード３のシナリオの模式図である。
【図３】図３は、カーネットワーキングにおけるモード４のシナリオの模式図である。
【図４】図４は、本開示の実施形態によって提供されるリソースの割り当て方法のフローチャートの第１の模式図である。
【図５】図５は、本開示の実施形態によって提供されるリソースの割り当て方法のフローチャートの第２の模式図である。
【図６】図６は、本開示の実施形態によって提供されるリソースの割り当て装置の構成の第１の模式図である。
【図７】図７は、本開示の実施形態によって提供されるリソースの割り当て装置の構成の第２の模式図である。
【図８】図８は、本開示の実施形態によって提供される通信装置の模式的構造図である。
【図９】図９は、本開示の実施形態によるチップの模式的構造図である。
【図１０】図１０は、本開示の実施形態によって提供される通信システムの模式的ブロック図である。
【発明を実施するための形態】
【００１８】
以下に、本開示の実施形態による技術案は、本開示の実施形態による添付の図面を参照して説明される。明らかに、説明される実施形態は、本開示の実施形態の一部であり、すべての実施形態ではない。本開示の実施形態に基づいて、創造的な労働なしに当業者によって得られる他のすべての実施形態は、本開示の保護範囲に含まれる。
【００１９】
本開示の実施形態の技術案は、モバイル通信用グローバル（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＣＤＭＡ）、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロング・ターム・エヴォリューション（Ｌｏｎｇ  Ｔｅｒｍ  Ｅｖｏｌｕｔｉｏｎ、ＬＴＥ）システム、ＬＴＥ周波数分割複信  （Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システムまたは５Ｇシステムなどの様々な通信システムに適用することができる。
【００２０】
例示的に、本開示の実施形態で適用される通信システム１００は、図１に示されている。当該通信システム１００は、ネットワーク装置１１０を含んでもよく、ネットワーク装置１１０は、端末１２０（または通信端末、端末と呼ばれる）と通信する装置であってもよい。ネットワーク装置１１０は、特定の地理的エリアに通信カバレッジを提供することができ、カバレッジエリアに位置する端末と通信することができる。オプションで、当該ネットワーク装置１１０は、ＧＳＭシステムまたはＣＤＭＡシステムにおける基地局（Ｂａｓｅ  Ｔｒａｎｓｃｅｉｖｅｒ  Ｓｔａｔｉｏｎ、ＢＴＳ）、またはＷＣＤＭＡシステムにおける基地局（ＮｏｄｅＢ、ＮＢ）、またはＬＴＥシステムにおける進化型基地局（Ｅｖｏｌｕｔｉｏｎａｌ  ＮｏｄｅＢ、ｅＮＢ、ｅＮｏｄｅＢ）であってもよく  、または新しい無線システムにおけるｇＮＢ、またはクラウド無線アクセスネットワーク（Ｃｌｏｕｄ  Ｒａｄｉｏ  Ａｃｃｅｓｓ  Ｎｅｔｗｏｒｋ、ＣＲＡＮ）における無線コントローラでであり、または当該ネットワーク装置は、モバイルスイッチングセンター、中継局、アクセスポイント、車載デバイス、ウェアラブルデバイス、ハブ、スイッチ、ブリッジ、ルーター、５Ｇネットワークにおけるネットワーク側装置、または将来の進化の地上波公共移動通信ネットワーク（Ｐｕｂｌｉｃ  Ｌａｎｄ  Ｍｏｂｉｌｅ  Ｎｅｔｗｏｒｋ、ＰＬＭＮ）におけるネットワーク装置などであってもよい。
【００２１】
当該通信システム１００はさらに、ネットワーク装置１１０のカバレッジエリア内に位置する少なくとも１つの端末１２０を含む。本明細書で使用される「端末」には、公衆交換電話網（Ｐｕｂｌｉｃ  Ｓｗｉｔｃｈｅｄ  Ｔｅｌｅｐｈｏｎｅ  Ｎｅｔｗｏｒｋｓ、ＰＳＴＮ）、デジタル加入者線（Ｄｉｇｉｔａｌ  Ｓｕｂｓｃｒｉｂｅｒ  Ｌｉｎｅ、ＤＳＬ）、デジタルケーブル、および直接ケーブル接続などの有線回線接続、および／または別のデータ接続／ネットワーク、および／またはセルラーネットワーク、ワイヤレスローカルエリアネットワーク（Ｗｉｒｅｌｅｓｓ  Ｌｏｃａｌ  Ａｒｅａ  Ｎｅｔｗｏｒｋ、ＷＬＡＮ）、ＤＶＢ−ＨネットワークなどのデジタルＴＶネットワーク、衛星ネットワーク、ＡＭ−ＦＭＡブロードキャストトランスミッターなどのワイヤレスインターフェイス、および／または通信信号を送受信するように構成された別の端末の装置、および／またはモノのインターネット（Ｉｎｔｅｒｎｅｔ  ｏｆ  ＴｈｉｎｇｓＩｏＴ）装置が含まれるが、これらに限定されない。無線インターフェースを介して通信するように設定される端末は、「無線通信端末」、「無線端末」または「移動端末」と呼ばれてもよい。移動端末の例には、衛星電話または携帯電話、携帯無線電話をデータ処理、ファックス、およびデータ通信機能と組み合わせることができるパーソナル通信システム（Ｐｅｒｓｏｎａｌ  Ｃｏｍｍｕｎｉｃａｔｉｏｎｓ  ＳｙｓｔｅｍＰＣＳ）端末、無線電話、ページャー、インターネット／イントラネットアクセス、Ｗｅｂブラウザ、メモ帳、カレンダー、および／またはグローバルポジショニングシステム（Ｇｌｏｂａｌ  Ｐｏｓｉｔｉｏｎｉｎｇ  Ｓｙｓｔｅｍ、ＧＰＳ）受信機を備えるＰＤＡ、および従来のラップトップおよび／またはパームトップ受信機、または無線電話トランシーバーを備えるその他電子装置が含まれるが、これらに限定されない端末とは、アクセス端末、ユーザ装置（Ｕｓｅｒ  Ｅｑｕｉｐｍｅｎｔ、ＵＥ）、ユーザユニット、ユーザステーション、モバイルステーション、移動ステーション、リモートステーション、リモート端末、移動端末、ユーザ端末、端末、無線通信機器、ユーザエージェント、またはユーザ機器を指してもよい。アクセス端末は、携帯電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）ステーション、携帯情報端末（Ｐｅｒｓｏｎａｌ  Ｄｉｇｉｔａｌ  Ａｓｓｉｓｔａｎｔ、ＰＤＡ）、無線通信機能付きのハンドヘルドデバイス、計算装置またはワイヤレスモデムに接続されたその他の処理装置、車載デバイス、ウェアラブルデバイス、５Ｇネットワークにおける端末、または将来の進化ＰＬＭＮにおける端末などであってもよい。
【００２２】
オプションで、端末１２０間で端末直接（Ｄｅｖｉｃｅ  ｔｏ  Ｄｅｖｉｃｅ、Ｄ２Ｄ）通信が実行されてもよい。
【００２３】
オプションで、５Ｇシステムまたは５Ｇネットワークは、新しい無線（Ｎｅｗ  Ｒａｄｉｏ、ＮＲ）システムまたはＮＲネットワークと呼ばれてもよい。
【００２４】
図１は、１つのネットワーク装置および２つの端末を例示的に示している。オプションで、当該通信システム１００は、複数のネットワーク装置を含くんでもよく、各ネットワーク装置のカバレッジエリアに、他の数の端末を含んでもよいが、本開示の実施形態は限定しない。
【００２５】
オプションで、当該通信システム１００はまた、ネットワークコントローラおよびモビリティ管理エンティティなどの他のネットワークエンティティを含んでもよいが、本開示の実施形態は限定しない。
【００２６】
本開示の実施形態によるネットワーク／システム内の通信機能を有する装置は、通信装置と呼ばれることが理解されたい。図１に示す通信システム１００を例にとると、通信装置は、通信機能を備えたネットワーク装置１１０および端末１２０含くんでもよく、ネットワーク装置１１０および端末１２０は、上記の特定の装置であってもよいが、ここでは繰り返しない。通信装置はまた、ネットワークコントローラおよびモビリティ管理エンティティなどの他のネットワークエンティティなど、通信システム１００内の他の装置を含くんでもよいが、本開示の実施形態は限定しない。
【００２７】
本明細書における「システム」と「ネットワーク」という用語は、この明細書では交換で使用されることが多いことが理解されたい。本明細書の「および／または」という用語は、関連付けられた対象同士の関連関係を説明するのみであり、３種類の関係が存在する可能性があると意味する。例えば、Ａおよび／またはＢは、Ａが単独で存在すること、ＡおよびＢが同時に存在すること、Ｂが単独で存在することの３つの状況を表す。さらに、本明細書の記号「／」は、通常、その前後の関連付けられた対象同士が「または」の関係にあることを示す。
【００２８】
本開示の実施形態の技術案の理解を容易にするために、カーネットワーキングにおけるモード３およびモード４をそれぞれ以下に説明する。
【００２９】
モード３：図２に示すように、車載端末のサイドリンク伝送リソースは、基地局（ＬＴＥの進化型基地局（ｅＮＢ、ｅｖｏｌｖｅｄ  ＮｏｄｅＢ）など）によって割り当てられる。具体的には、基地局はダウンリンク（  ＤＬ、Ｄｏｗｎ  Ｌｉｎｋ）を通して車載端末へ（Ｇｒａｎｔ）許可されるリソースを示すための制御メッセージを送信する。その後、車載端末は、基地局によって割り当てられたリソースに従ってＳＬでデータを送信する。モード３では、基地局は、車載端末へ一回伝送用のリソースを割り当ててもよいが、端末へ半静的伝送用のリソースを割り当ててもよい。
【００３０】
モード４：図３に示すように、車載端末は、センシングおよび予約の伝送方式でサイドリンクの伝送リソースを取得する。車載端末は、センシングの方式によりリソースプールにおいて利用可能な伝送リソースセットを取得し、当該伝送リソースセットからランダムに１つのリソースを選択してサイドリンクデータを伝送する。カーネットワーキングシステムにおけるサービスは周期的な特性があるため、車載端末は通常、半静的伝送方式を採用する。つまり、車載端末は１つの伝送リソースを選択した後、そのリソースを複数の伝送サイクルで使用し続けることで、リソースの再選択とリソースの競合の可能性が減少される。車載端末は、今回の伝送の制御情報で次回の伝送リソースを予約するための情報を運ぶので、他の端末は、当該車載端末の制御情報を検出することによって、このリソースが当該車載端末によって予約され使用されているかどうかを判断でき、リソースの競合を減らす目的が実現られる。
【００３１】
ＮＲ−Ｖ２Ｘでは、自動運転をサポートする必要があるため、スループットの向上、遅延の低減、信頼性の向上、カバレッジエリアの拡大、リソース割り当ての柔軟性の向上など、車両間のデータインタラクションに対する要件が厳しくなる。
【００３２】
また、ＮＲ−Ｖ２Ｘは、ユニキャスト（ｕｎｉｃａｓｔ）、グループキャスト（ｇｒｏｕｐｃａｓｔ）、ブロードキャスト（ｂｒｏａｄｃａｓｔ）などのさまざまな伝送方法をサポートする必要がある。
【００３３】
なお、ＬＴＥ−Ｖ２Ｘにおいてそれぞれ、モード３は、車載端末の伝送リソースが基地局によって割り当てられることを示すために使用され、モード４は、車載端末の伝送リソースが、端末によって独立して選択されることを示すために使用される。
【００３４】
ＮＲ−Ｖ２Ｘでは、その他リソース割り当て方式が導入されてもよく、たとえば、端末は伝送リソースを他の端末に割り当てる。たとえば、グループキャスト通信では、１つの端末がグループヘッドとして、他の端末がグループメンバーとする。このとき、グループヘッドはグループメンバーにサイドリンク伝送リソースを割り当てることができる。１つのグループ内では、グループメンバーとグループヘッドとの間のデータ伝送またはグループメンバーと他のグループメンバーとの間のデータ伝送のために、グループヘッドは、グループメンバーに伝送リソースを割り当てることができる。
【００３５】
モード３では、ネットワークが端末に上り伝送リソース／サイドリンク伝送リソースを割り当てる前に、端末はスケジューリング要求（ＳＲ、Ｓｃｈｅｄｕｌｉｎｇ  Ｒｅｑｕｅｓｔ）とＢＳＲをネットワークに報告する必要があり、ネットワークは端末によって報告されたＢＳＲに基づいて、適切な伝送リソースを端末に割り当てる。サイドリンク伝送では、第１の端末が伝送リソースを第２の端末に割り当てる場合、第２の端末もＳＲとＢＳＲを第１の端末に報告するか、ＢＳＲを直接報告する必要がある。
【００３６】
図４は、本開示の実施形態によって提供されるリソースの割り当て方法のフローチャートの第１の模式図である。図４に示すように、前記リソースの割り当て方法は以下のスッテプを含む：
ステップ４０１：第１の端末は第２の端末によって送信されるＢＳＲ情報を受信する。
【００３７】
本開示の実施形態では、前記第１の端末および前記第２の端末は、携帯電話、タブレットコンピュータ、車載端末、ウェアラブルデバイス、およびノートブックなど、ネットワークと通信することができる任意の装置であってもよい。さらに、前記第１の端末および前記第２の端末は、同じタイプの端末または異なるタイプの端末であってもよい。例えば、第１の端末は携帯電話であるが、第２の端末は車載端末である。または例えば、第１の端末は車載端末Ａであるが、第２の端末は車載端末Ｂである。
【００３８】
なお、第１の端末は、グループキャスト通信のグループヘッドであり、第２の端末は、グループキャスト通信のグループメンバーであってもよいが、これに限定されるものではない。第１の端末によって実施される方法は、ロードサイドユニット（ＲＳＵ、Ｒｏａｄ  Ｓｉｄｅ  Ｕｎｉｔ）にも適用され、第１の伝送リソースをＲＳＵを介して第２の端末に割り当ててもよい。
【００３９】
本開示の実施形態では、前記第１の端末と前記第２の端末は、互いに直接通信することができる。具体的には、前記第１の端末は、前記第２の端末によって送信される第１のサイドリンク伝送チャネルを受信する。前記第１のサイドリンク伝送チャネルは、ＢＳＲ情報を運ぶ。
【００４０】
さらに、前記第１のサイドリンク伝送チャネルは、第１のサイドリンク制御チャネルまたは第１のサイドリンクデータチャネルであってもよい。ここで、第１のサイドリンク制御チャネルは、例えば、物理サイドリンク制御チャネル（ＰＳＣＣＨ、Ｐｈｙｓｉｃａｌ  Ｓｉｄｅｌｉｎｋ  Ｃｏｎｔｒｏｌ  Ｃｈａｎｎｅｌ）であり、第１のサイドリンクデータチャネルは、例えば、物理サイドリンク共有チャネル（ＰＳＳＣＨ、Ｐｈｙｓｉｃａｌ  Ｓｉｄｅｌｉｎｋ  Ｓｈａｒｅｄ  Ｃｈａｎｎｅｌ）であってもよい。以下、第１のサイドリンク制御チャネルと第１のサイドリンクデータチャネルとをそれぞれ説明する。本開示の実施形態は、前記第１のサイドリンク伝送チャネルが他のタイプのサイドリンク伝送チャネルである場合にも適用可能であることを理解されたい。例えば、前記第１のサイドリンク伝送チャネルはサイドリンクフィードバックチャネルであり、前記サイドリンクフィードバックチャネルが前記ＢＳＲ情報を運んでもよいが、本開示はこれに制限しない。
【００４１】
１）前記第１のサイドリンク伝送チャネルは、第１のサイドリンク制御チャネルであり、前記第１のサイドリンク制御チャネルにおける第１のサイドリンク制御情報は、前記ＢＳＲ情報を運ぶ。
【００４２】
ここで、第１のサイドリンク制御チャネルは、第１のサイドリンク制御情報を伝送するためである。ここで、第１のサイドリンク制御情報は、例えば、サイドリンク制御情報（ＳＣＩ、Ｓｉｄｅｌｉｎｋ  Ｃｏｎｔｒｏｌ  Ｉｎｆｏｒｍａｔｉｏｎ）である。中には、第１のサイドリンク制御情報は、主に、ＰＳＣＣスケジューリングにおけるＰＳＳＣＨの時間周波数リソース情報、変調および符号化方式（ＭＣＳ、Ｍｏｄｕｌａｔｉｏｎ  ａｎｄ  Ｃｏｄｉｎｇ  Ｓｃｈｅｍｅ）情報などのスケジューリング情報を含む。スキーム１）において、ＰＳＣＣのＳＣＩに前記ＢＳＲ情報が運ばれる。
【００４３】
オプションで、前記第１のサイドリンク制御情報は第１の情報フィールドを運び、前記第１の情報フィールドは前記第１のサイドリンク制御情報が前記ＢＳＲ情報を運ぶことを示す。
【００４４】
オプションで、前記第１のサイドリンク制御情報は第２の情報フィールドを運び、前記第２の情報フィールドは前記ＢＳＲ情報を示す。
【００４５】
たとえば、ＰＳＣＣＨのＳＣＩが前記ＢＳＲ情報を運ぶことを考えると、ＳＣＩに情報フィールド、つまり第２の情報フィールドを追加する必要がある。前記第２の情報フィールドは、前記ＢＳＲ情報を示すためである。さらに、異なるＳＣＩフォーマットが異なるコンテンツを運ぶことを考えると、ＳＣＩにもう１つの情報フィールド、つまり第１の情報フィールドを追加する必要がある。前記第１の情報フィールドは、前記第１のサイドリンク制御情報が前記ＢＳＲ情報を運ぶことを示すためである。たとえば、ＳＣＩには１ビットの情報があり、当該ビットが０である場合は当該ＳＣＩがＰＳＳＣＨのスケジュールに使用されることを示し、当該ビットが１である場合は当該ＳＣＩがＢＳＲ情報の伝送に使用されることを示す。
【００４６】
スキーム１）において、第２の端末は第１のサイドリンク制御チャネルを通して第１の端末にＢＳＲ情報を送信する。オプションで、第２の端末は下記の方式で第１の端末にＳＲ情報を送信することができる。
【００４７】
１．１）第２の端末は第１のサイドリンク制御チャネルを通して第１の端末にＳＲ情報を送信する。
【００４８】
具体的に、前記第１のサイドリンク制御情報は第４の情報フィールドを運び、前記第４の情報フィールドは前記ＳＲ情報を示すためである。さらに、前記第１のサイドリンク制御情報は第３の情報フィールドを運び、前記第３の情報フィールドは前記第１のサイドリンク制御情報が前記ＳＲ情報を運ぶことを示すためである。
【００４９】
たとえば、ＰＳＣＣＨのＳＣＩが前記ＳＲ情報を運ぶことを考えると、ＳＣＩに情報フィールド、つまり第４の情報フィールドを追加する必要がある。前記第４の情報フィールドは、前記ＳＲ情報を示すためである。さらに、異なるＳＣＩフォーマットが異なるコンテンツを運ぶことを考えると、ＳＣＩにもう１つの情報フィールド、つまり第３の情報フィールドを追加する必要がある。前記第３の情報フィールドは、前記第１のサイドリンク制御情報が前記ＳＲ情報を運ぶことを示すためである。たとえば、ＳＣＩには１ビットの情報があり、当該ビットが０である場合は当該ＳＣＩがＰＳＳＣＨのスケジュールに使用されることを示し、当該ビットが１である場合は当該ＳＣＩがＳＲ情報の伝送に使用されることを示す。
【００５０】
この実施形態では、第１のサイドリンク制御情報は、前記ＳＲ情報と前記ＢＳＲ情報の両方を運ぶ。
【００５１】
たとえば、ＳＣＩは、ＳＲ情報の伝送にも、ＢＳＲ情報の伝送にも、およびＰＳＳＣＨスケジューリング情報の伝送にも使用できるため、２ビットのフィールドをＳＣＩに含めてもよい。当該フィールドが００の場合は、当該ＳＣＩがＰＳＳＣＨのスケジュールに使用されることを示し、当該フィールドが０１の場合は、当該ＳＣＩがＳＲ情報の伝送に使用されることを示し、当該フィールドが１０の場合は、当該ＳＣＩがＢＳＲ情報の伝送に使用されることを示す。
【００５２】
１．２）第２の端末は第２のサイドリンク伝送チャネルを通して第１の端末にＳＲ情報を送信する。
【００５３】
ここで、前記第２のサイドリンク伝送チャネルは、第２のサイドリンク制御チャネルまたは第２のサイドリンクデータチャネルであってもよい。
【００５４】
一実施形態では、前記第２のサイドリンク伝送チャネルは、第２のサイドリンク制御チャネルであり、前記第２のサイドリンク制御チャネルにおける第２のサイドリンク制御情報は、前記ＳＲ情報を運ぶ。
【００５５】
オプションで、前記第２のサイドリンク制御情報は第５の情報フィールドを運び、前記第５の情報フィールドは前記第２のサイドリンク制御情報が前記ＳＲ情報を運ぶことを示す。
【００５６】
オプションで、前記第２のサイドリンク制御情報は第６の情報フィールドを運び、前記第６の情報フィールドは前記ＳＲ情報を示す。
【００５７】
第２のサイドリンク制御情報と第１のサイドリンク制御情報は２つの異なるサイドリンク制御情報であることは明らかにされたい。第１のサイドリンク制御情報はＰＳＣＣＨ１であると想定され、第２のサイドリンク制御情報はＰＳＣＣＨ２と想定されると、ＰＳＣＣＨ１のＳＣＩはＢＳＲ情報を運び、ＰＳＣＣＨ２のＳＣＩはＳＲ情報を運ぶ。
【００５８】
同じ理由で、ＰＳＣＣＨ２のＳＣＩに１つの情報フィールド、つまり第６の情報フィールドを追加する必要がある。前記第６の情報フィールドは、前記ＳＲ情報を示すためである。さらに、異なるＳＣＩフォーマットが異なるコンテンツを運ぶことを考えると、ＰＳＣＣＨ２のＳＣＩにもう１つの情報フィールド、つまり第５の情報フィールドを追加する必要がある。前記第５の情報フィールドは、ＰＳＣＣＨ２のＳＣＩが前記ＳＲ情報を運ぶことを示すためである。たとえば、ＳＣＩには１ビットの情報があり、当該ビットが０である場合は当該ＳＣＩがＰＳＳＣＨのスケジュールに使用されることを示し、当該ビットが１である場合は当該ＳＣＩがＳＲ情報の伝送に使用されることを示す。
【００５９】
別の一実施形態では、前記第２のサイドリンク伝送チャネルは、第２のサイドリンクデータチャネルであり、前記第２のサイドリンクデータチャネルにおけるデータは、前記ＳＲ情報を運ぶ。
【００６０】
また別の一実施形態では、前記第２のサイドリンク伝送チャネルは、第１のシーケンスであり、前記第１のシーケンスは、前記ＳＲ情報を示すためである。
【００６１】
さらに、前記第１のシーケンスは、前記第１の端末の識別情報、前記第２の端末の識別情報、および前記第１の端末と前記第２の端末が配置されているグループのグループ識別情報の少なくとも１つに基づいて生成される。
【００６２】
ここで、第１の端末がシーケンス検出により第１のシーケンスを検出した場合、ＳＲ情報が検出されたと判断することができる。例えば、第１の端末は、ローカルで生成されるシーケンスに従って、受信された信号との相関演算を実行し、相関演算のピーク値がしきい値を超える場合、ＳＲ情報が検出されたと判断され、そうでない場合、ＳＲ情報が検出されていない。当該しきい値は、事前定義されるか、事前設定されるか、ネットワークで設定されてもよい。
【００６３】
２）前記第１のサイドリンク伝送チャネルは、第１のサイドリンクデータチャネルであり、前記第１のサイドリンクデータチャネルにおけるデータは、前記ＢＳＲ情報を運ぶ。
【００６４】
ここで、第１のサイドリンクデータチャネルはデータを伝送するためである。一例では、前記ＢＳＲ情報は、データとして前記第１のサイドリンクデータチャネルで運ばれてもよい。
【００６５】
スキーム２）において、第２の端末は第１のサイドリンクデータチャネルを通して第１の端末にＢＳＲ情報を送信する。オプションで、第２の端末は下記の方式で第１の端末にＳＲ情報を送信することができる。
【００６６】
２．１）第２の端末は前記第１のサイドリンクデータチャネルを通して前記第１の端末にＳＲ情報を送信する。
【００６７】
この実施形態では、第１のサイドリンクデータチャネルは、前記ＳＲ情報と前記ＢＳＲ情報の両方を運ぶ。
【００６８】
２．２）第２の端末は第２のサイドリンク伝送チャネルを通して第１の端末にＳＲ情報を送信する。
【００６９】
ここで、前記第２のサイドリンク伝送チャネルは、第２のサイドリンク制御チャネルまたは第２のサイドリンクデータチャネルであってもよい。
【００７０】
一実施形態では、前記第２のサイドリンク伝送チャネルは、第２のサイドリンク制御チャネルであり、前記第２のサイドリンク制御チャネルにおける第２のサイドリンク制御情報は、前記ＳＲ情報を運ぶ。
【００７１】
オプションで、前記第２のサイドリンク制御情報は第５の情報フィールドを運び、前記第５の情報フィールドは前記第２のサイドリンク制御情報が前記ＳＲ情報を運ぶことを示す。
【００７２】
オプションで、前記第２のサイドリンク制御情報は第６の情報フィールドを運び、前記第６の情報フィールドは前記ＳＲ情報を示す。
【００７３】
たとえば、第２のサイドリンク制御チャネルはＰＳＣＣＨであると想定され、ＰＳＣＣＨにおけるＳＣＩは前記ＳＲ情報を運ぶ。
【００７４】
同じ理由で、ＰＳＣＣＨのＳＣＩに１つの情報フィールド、つまり第６の情報フィールドを追加する必要がある。前記第６の情報フィールドは、前記ＳＲ情報を示すためである。さらに、異なるＳＣＩフォーマットが異なるコンテンツを運ぶことを考えると、ＰＳＣＣＨのＳＣＩにもう１つの情報フィールド、つまり第５の情報フィールドを追加する必要がある。前記第５の情報フィールドは、ＰＳＣＣＨのＳＣＩが前記ＳＲ情報を運ぶことを示すためである。たとえば、ＳＣＩには１ビットの情報があり、当該ビットが０である場合は当該ＳＣＩがＰＳＳＣＨのスケジュールに使用されることを示し、当該ビットが１である場合は当該ＳＣＩがＳＲ情報の伝送に使用されることを示す。
【００７５】
別の一実施形態では、前記第２のサイドリンク伝送チャネルは、第２のサイドリンクデータチャネルであり、前記第２のサイドリンクデータチャネルにおけるデータは、前記ＳＲ情報を運ぶ。
【００７６】
また別の一実施形態では、前記第２のサイドリンク伝送チャネルは、第１のシーケンスであり、前記第１のシーケンスは、前記ＳＲ情報を示すためである。
【００７７】
さらに、前記第１のシーケンスは、前記第１の端末の識別情報、前記第２の端末の識別情報、および前記第１の端末と前記第２の端末が配置されているグループのグループ識別情報の少なくとも１つに基づいて生成される。
【００７８】
ここで、第１の端末がシーケンス検出により第１のシーケンスを検出した場合、ＳＲ情報が検出されたと判断することができる。例えば、第１の端末は、ローカルで生成されるシーケンスに従って、受信された信号との相関演算を実行し、相関演算のピーク値がしきい値を超える場合、ＳＲ情報が検出されたと判断され、そうでない場合、ＳＲ情報が検出されていない。しきい値は、事前定義されるか、事前設定されるか、ネットワークで設定されてもよい。
【００７９】
本開示の実施形態では、第１のサイドリンク伝送チャネルは、第２の伝送リソースにおいて送信される。具体的に、前記第１の端末は第２の伝送リソースを決定し、前記第１の端末は前記第２の伝送リソースにおいて、前記第２の端末によって送信される前記第１のサイドリンク伝送チャネルを受信する。
【００８０】
さらに、前記第１の端末は第２の伝送リソースを決定することは、
前記第１の端末は、事前設定情報に従って前記第２の伝送リソースを決定すること、または、
前記第１の端末は、ネットワーク設定情報に従って前記第２の伝送リソースを決定すること、または、
前記第１の端末は、第３の端末によって送信されるリソース設定情報を受信し、前記リソース設定情報に従って前記第２の伝送リソースを決定すること、または、
前記第１の端末は、第２の端末に送信されるＳＲ情報を受信し、前記第１の端末は、前記ＳＲ情報に従って第２の端末に割り当てられる伝送リソースを第２の伝送リソースとして決定することとを含む。
【００８１】
例えば、前記第１の端末および前記第２の端末がセル内にある場合、ネットワーク装置は、前記第２の伝送リソースを前記第２の端末に割り当てることができ、前記第２の伝送リソースは、前記第２の端末が前記第１の端末に第１のサイドリンク伝送チャネルを送信するのに使用される。同時に、ネットワーク装置は、前記第２の伝送リソースの情報を前記第２の端末に送信することができるので、前記第１の端末は、ネットワーク装置に指定される第２の伝送リソースにおいて第２の端末によって送信される第１のサイドリンク伝送チャネルを受信することができる。
【００８２】
別の例では、第１の端末、第２の端末、および第３の端末は、第１の伝送グループを形成し、中には当該第３の端末は伝送グループのグループヘッドであり、第１の端末および第２の端末はグループメンバーであり、当該第３の端末はグループメンバーであってもよい。たとえば、第２の端末は前記第２の伝送リソースを割り当て、当該第２の伝送リソース情報を第１の端末に送信するので、第２の端末は、当該第２の伝送リソースにおいて第１のサイドリンク伝送チャネルを送信することができ、第１の端末は、当該第２の伝送リソースにおいて当該第１のサイドリンク伝送チャネルを受信することができる。
【００８３】
別の例では、第２の端末は、ＳＲ情報を第１の端末に送信し、第１の端末は、受信される第１の端末によって送信されるＳＲ情報に従って、ＢＳＲ情報伝送するためのリソースを第１の端末に割り当て、当該リソースは第２の伝送リソースである。第２の端末は、当該第２の伝送リソースにおいて第１のサイドリンク伝送チャネルを送信し、当該第１のサイドリンク伝送チャネルでＢＳＲ情報を運び、第１の端末は、当該第２の伝送リソースにおいて  第２の端末によって送信される第１のサイドリンク伝送チャネルを受信する。
【００８４】
ステップ４０２：前記第１の端末は、第１の伝送リソースを前記第２の端末に割り当てる。
【００８５】
一実施形態では、サイドリンクの伝送リソースはネットワークによって割り当てられる。前記第１の端末は前記ＢＳＲをネットワークに送信し、ネットワーク側からサイドリンクリソース割り当て情報を受信する。前記第１の端末は前記サイドリンクリソース割り当て情報に基づき、第１の伝送リソースを前記第２の端末に割り当てる。
【００８６】
一実施形態では、サイドリンクの伝送リソースは端末によって独立して決定される。前記第１の端末は、前記ＢＳＲに基づき、第１の伝送リソースを前記第２の端末に割り当てる。さらに、前記第１の端末は、前記ＢＳＲに基づき、伝送リソースセットから第１の伝送リソースを前記第２の端末に割り当てることとを含む。オプションで、前記伝送リソースセットは、事前設定されるか、ネットワーク設定されるか、または前記第１の端末がセンシングによって取得されるリソースセットである。
【００８７】
ここで、第２の端末から第１の端末に報告されるＢＳＲ情報は、第１の端末の特定または複数の論理チャネルグループで現在送信する必要なデータ量を示すためであり、ネットワーク側または第２の端末が一部の伝送リソースを第１の端末に割り当てることを望んでいる。
【００８８】
一実施形態では、第２の端末はＢＳＲ情報を第１の端末に送信して伝送リソースを要求するとき、第１の情報を第１の端末に送信し、第１の端末のリソーススケジューリングを支援することができる。具体的には、前記第１の端末は、前記第２の端末によって送信される第１の情報を受信する。前記第１の情報は、チャネル品質指標（ＣＱＩ、Ｃｈａｎｎｅｌ  Ｑｕａｌｉｔｙ  Ｉｎｄｉｃａｔｏｒ）、チャネル状態表示情報（ＣＳＩ、Ｃｈａｎｎｅｌ  Ｓｔａｔｅ  Ｉｎｆｏｒｍａｔｉｏｎ）、変調および符号化方式（ＭＣＳ、Ｍｏｄｕｌａｔｉｏｎ  ａｎｄ  Ｃｏｄｉｎｇ  Ｓｃｈｅｍｅ）、候補伝送リソース表示情報のうちの少なくとも１つの情報を含む。ここで、前記候補伝送リソース表示情報は、第１のリソース選択ウィンドウ内の利用可能な伝送リソースを示すために使用される。前記第１の端末は、前記ＢＳＲ情報および前記第１の情報に基づいて、前記第１の伝送リソースを前記第２の端末に割り当てる。
【００８９】
上記の案において、前記第２の端末によって割り当てられる前記第１の伝送リソースが前記第２の端末と前記第１の端末とのサイドリンクデータ伝送に使用される場合、前記ＣＱＩおよび／または前記ＣＳＩは、前記第２の端末と前記第１の端末との間のチャネル品質である。前記第２の端末によって割り当てられる前記第１の伝送リソースが前記第２の端末と第３の端末とのサイドリンクデータ伝送に使用される場合、前記ＣＱＩおよび／または前記ＣＳＩは、前記第２の端末と前記第３の端末との間のチャネル品質である。
【００９０】
オプションで、前記第１のリソース選択ウィンドウは、次の方法で決定されてもよい：
前記第１の端末は、事前設定情報に従って前記第１のリソース選択ウィンドウを決定すること、または、
前記第１の端末は、ネットワーク設定情報に従って前記第１のリソース選択ウィンドウを決定すること、または、
前記第１の端末は、第３の端末によって送信される設定情報を受信し、前記設定情報に従って前記第１のリソース選択ウィンドウを決定すること。
【００９１】
具体的には、事前設定情報、ネットワーク設定情報、または第３の端末によって送信される設定情報は、以下のうちの少なくとも１つを含んでもよい：
第１のリソース選択ウィンドウ内の各伝送リソースが占めるリソースのサイズ、
第１のリソース選択ウィンドウの開始時間領域の位置情報、
第１のリソース選択ウィンドウの終了時間領域の位置情報、
第１のリソース選択ウィンドウの時間領域の長さ情報、
第１のリソース選択ウィンドウの周波数領域の開始位置情報、
第１のリソース選択ウィンドウの周波数領域の終了位置情報、
第１のリソース選択ウィンドウの周波数領域の長さ情報。
【００９２】
ここで、サイドリンク伝送では、各端末周辺の干渉環境が異なることを考慮すると、第２端末がセンシング（ｓｅｎｓｉｎｇ）により取得する利用可能な伝送リソースと、第１端末がセンシングにより取得する利用可能な伝送リソースが異なる可能性がある。第１の端末を補助してリソース割り当てを行うため、第２の端末は、前記第２の端末によってセンシングされる１つまたは複数の利用可能なリソースを第１の端末に示してもよく、第２の端末は、候補伝送リソース表示情報を第１の端末に送信して、１つまたは複数の利用可能な伝送リソースを示す。
【００９３】
オプションで、候補伝送リソース表示情報は、利用可能な伝送リソースの数に関する情報、各利用可能な伝送リソースの時間周波数位置情報を示すためである。
【００９４】
オプションで、当該１つ以上の利用可能なリソースは、第１のリソース選択ウィンドウ内で選択される利用可能なリソースである。当該第１のリソース選択ウィンドウは、事前設定情報、ネットワーク設定情報、または第３の端末によって送信される設定情報に従って決定される。
【００９５】
一実施形態では、前記第１のリソース選択ウィンドウのパラメータの一部または全部は、前記第１の端末によって設定されるか、または事前設定されるか、またはネットワーク設定されるか、または他の装置によって設定される。
【００９６】
上記の案では、前記第１の情報は第３のサイドリンク伝送チャネルに運ばれてもよく、つまり、前記第１の端末は、前記第２の端末によって送信される前記第３のサイドリンク伝送チャネルを受信し、前記第３のサイドリンク伝送チャネルは、前記第１の情報を運ぶ。ここで、前記第３のサイドリンク伝送チャネルは、前記第１のサイドリンク伝送チャネルと同一サイドリンク伝送チャネルであってもよく、または異なるサイドリンク伝送チャネルであってもよい。
【００９７】
図５は、本開示の実施形態によって提供されるリソースの割り当て方法のフローチャートの第２の模式図である。図５に示すように、前記リソースの割り当て方法は以下のスッテプを含む：
ステップ５０１：第２の端末は、第１の端末に、前記第１の端末が第１の伝送リソースを前記第２の端末に割り当てるためのＢＳＲ情報を送信する。
【００９８】
本開示の実施形態では、前記第１の端末および前記第２の端末は、携帯電話、タブレットコンピュータ、車載端末、ウェアラブルデバイス、およびノートブックなど、ネットワークと通信することができる任意の装置であってもよい。さらに、前記第１の端末および前記第２の端末は、同じタイプの端末または異なるタイプの端末であってもよい。例えば、第１の端末は携帯電話であるが、第２の端末は車載端末である。または例えば、第１の端末は車載端末Ａであるが、第２の端末は車載端末Ｂである。
【００９９】
なお、第１の端末は、グループキャスト通信のグループヘッドであり、第２の端末は、グループキャスト通信のグループメンバーであってもよいが、これに限定されるものではない。第１の端末によって実施される方法は、ＲＳＵにも適用され、前記第１の伝送リソースをＲＳＵを介して第２の端末に割り当ててもよい。
【０１００】
本開示の実施形態では、前記第１の端末と前記第２の端末は、互いに直接通信することができる。具体には、前記第２の端末は、前記第１の端末に第１のサイドリンク伝送チャネルを送信し、前記第１のサイドリンク伝送チャネルは、ＢＳＲ情報を運ぶ。
【０１０１】
さらに、前記第１のサイドリンク伝送チャネルは、第１のサイドリンク制御チャネルまたは第１のサイドリンクデータチャネルであってもよい。ここで、第１のサイドリンク制御チャネルは、例えば、ＰＳＣＣＨであり、第１のサイドリンクデータチャネルは、例えば、ＰＳＳＣＨであってもよい。以下、第１のサイドリンク制御チャネルと第１のサイドリンクデータチャネルとをそれぞれ説明する。本開示の実施形態は、前記第１のサイドリンク伝送チャネルが他のタイプのサイドリンク伝送チャネルである場合にも適用可能であることを理解されたい。例えば、前記第１のサイドリンク伝送チャネルはサイドリンクフィードバックチャネルであり、前記サイドリンクフィードバックチャネルが前記ＢＳＲ情報を運んでもよいが、本開示はこれに制限しない。
【０１０２】
１）前記第１のサイドリンク伝送チャネルは、第１のサイドリンク制御チャネルであり、前記第１のサイドリンク制御チャネルにおける第１のサイドリンク制御情報は、前記ＢＳＲ情報を運ぶ。
【０１０３】
ここで、第１のサイドリンク制御チャネルは、第１のサイドリンク制御情報を伝送するためである。ここで、第１のサイドリンク制御情報は、例えば、ＳＣＩである。中には、第１のサイドリンク制御情報は、主に、ＰＳＣＣスケジューリングにおけるＰＳＳＣＨの時間周波数リソース情報、ＭＣＳなどのスケジューリング情報を含む。スキーム１）において、ＰＳＣＣのＳＣＩに前記ＢＳＲ情報が運ばれる。
【０１０４】
オプションで、前記第１のサイドリンク制御情報は第１の情報フィールドを運び、前記第１の情報フィールドは前記第１のサイドリンク制御情報が前記ＢＳＲ情報を運ぶことを示す。
【０１０５】
オプションで、前記第１のサイドリンク制御情報は第２の情報フィールドを運び、前記第２の情報フィールドは前記ＢＳＲ情報を示す。
【０１０６】
たとえば、ＰＳＣＣＨのＳＣＩが前記ＢＳＲ情報を運ぶことを考えると、ＳＣＩに情報フィールド、つまり第２の情報フィールドを追加する必要がある。前記第２の情報フィールドは、前記ＢＳＲ情報を示すためである。さらに、異なるＳＣＩフォーマットが異なるコンテンツを運ぶことを考えると、ＳＣＩにもう１つの情報フィールド、つまり第１の情報フィールドを追加する必要がある。前記第１の情報フィールドは、前記第１のサイドリンク制御情報が前記ＢＳＲ情報を運ぶことを示すためである。たとえば、ＳＣＩには１ビットの情報があり、当該ビットが０である場合は当該ＳＣＩがＰＳＳＣＨのスケジュールに使用されることを示し、当該ビットが１である場合は当該ＳＣＩがＢＳＲ情報の伝送に使用されることを示す。
【０１０７】
スキーム１）において、第２の端末は第１のサイドリンク制御チャネルを通して第１の端末にＢＳＲ情報を送信する。オプションで、第２の端末は下記の方式で第１の端末にＳＲ情報を送信することができる。
【０１０８】
１．１）第２の端末は第１のサイドリンク制御チャネルを通して第１の端末にＳＲ情報を送信する。
【０１０９】
具体的に、前記第１のサイドリンク制御情報は第４の情報フィールドを運び、前記第４の情報フィールドは前記ＳＲ情報を示すためである。さらに、前記第１のサイドリンク制御情報は第３の情報フィールドを運び、前記第３の情報フィールドは前記第１のサイドリンク制御情報が前記ＳＲ情報を運ぶことを示すためである。
【０１１０】
たとえば、ＰＳＣＣＨのＳＣＩが前記ＳＲ情報を運ぶことを考えると、ＳＣＩに情報フィールド、つまり第４の情報フィールドを追加する必要がある。前記第４の情報フィールドは、前記ＳＲ情報を示すためである。さらに、異なるＳＣＩフォーマットが異なるコンテンツを運ぶことを考えると、ＳＣＩにもう１つの情報フィールド、つまり第３の情報フィールドを追加する必要がある。前記第３の情報フィールドは、前記第１のサイドリンク制御情報が前記ＳＲ情報を運ぶことを示すためである。たとえば、ＳＣＩには１ビットの情報があり、当該ビットが０である場合は当該ＳＣＩがＰＳＳＣＨのスケジュールに使用されることを示し、当該ビットが１である場合は当該ＳＣＩがＳＲ情報の伝送に使用されることを示す。
【０１１１】
この実施形態では、第１のサイドリンク制御情報は、前記ＳＲ情報と前記ＢＳＲ情報の両方を運ぶ。
【０１１２】
たとえば、ＳＣＩは、ＳＲ情報の伝送にも、ＢＳＲ情報の伝送にも、およびＰＳＳＣＨスケジューリング情報の伝送にも使用できるため、２ビットのフィールドをＳＣＩに含めてもよい。当該フィールドが００の場合は、当該ＳＣＩがＰＳＳＣＨのスケジュールに使用されることを示し、当該フィールドが０１の場合は、当該ＳＣＩがＳＲ情報の伝送に使用されることを示し、当該フィールドが１０の場合は、当該ＳＣＩがＢＳＲ情報の伝送に使用されることを示す。
【０１１３】
１．２）前記第２の端末は、前記第１の端末に第２のサイドリンク伝送チャネルを送信し、前記第２のサイドリンク伝送チャネルは、ＳＲ情報を運ぶ。
【０１１４】
ここで、前記第２のサイドリンク伝送チャネルは、第２のサイドリンク制御チャネルまたは第２のサイドリンクデータチャネルであってもよい。
【０１１５】
一実施形態では、前記第２のサイドリンク伝送チャネルは、第２のサイドリンク制御チャネルであり、前記第２のサイドリンク制御チャネルにおける第２のサイドリンク制御情報は、前記ＳＲ情報を運ぶ。
【０１１６】
オプションで、前記第２のサイドリンク制御情報は第５の情報フィールドを運び、前記第５の情報フィールドは前記第２のサイドリンク制御情報が前記ＳＲ情報を運ぶことを示す。
【０１１７】
オプションで、前記第２のサイドリンク制御情報は第６の情報フィールドを運び、前記第６の情報フィールドは前記ＳＲ情報を示す。
【０１１８】
第２のサイドリンク制御情報と第１のサイドリンク制御情報は２つの異なるサイドリンク制御情報であることは明らかにされたい。第１のサイドリンク制御情報はＰＳＣＣＨ１であると想定され、第２のサイドリンク制御情報はＰＳＣＣＨ２と想定されると、ＰＳＣＣＨ１のＳＣＩはＢＳＲ情報を運び、ＰＳＣＣＨ２のＳＣＩはＳＲ情報を運ぶ。
【０１１９】
同じ理由で、ＰＳＣＣＨ２のＳＣＩに１つの情報フィールド、つまり第６の情報フィールドを追加する必要がある。前記第６の情報フィールドは、前記ＳＲ情報を示すためである。さらに、異なるＳＣＩフォーマットが異なるコンテンツを運ぶことを考えると、ＰＳＣＣＨ２のＳＣＩにもう１つの情報フィールド、つまり第５の情報フィールドを追加する必要がある。前記第５の情報フィールドは、ＰＳＣＣＨ２のＳＣＩが前記ＳＲ情報を運ぶことを示すためである。たとえば、ＳＣＩには１ビットの情報があり、当該ビットが０である場合は当該ＳＣＩがＰＳＳＣＨのスケジュールに使用されることを示し、当該ビットが１である場合は当該ＳＣＩがＳＲ情報の伝送に使用されることを示す。
【０１２０】
別の一実施形態では、前記第２のサイドリンク伝送チャネルは、第２のサイドリンクデータチャネルであり、前記第２のサイドリンクデータチャネルにおけるデータは、前記ＳＲ情報を運ぶ。
【０１２１】
また別の一実施形態では、前記第２のサイドリンク伝送チャネルは、第１のシーケンスであり、前記第１のシーケンスは、前記ＳＲ情報を示すためである。
【０１２２】
さらに、前記第１のシーケンスは、前記第１の端末の識別情報、前記第２の端末の識別情報、および前記第１の端末と前記第２の端末が配置されているグループのグループ識別情報の少なくとも１つに基づいて生成される。
【０１２３】
ここで、第１の端末がシーケンス検出により第１のシーケンスを検出した場合、ＳＲ情報が検出されたと判断することができる。例えば、第１の端末は、ローカルで生成されるシーケンスに従って、受信された信号との相関演算を実行し、相関演算のピーク値がしきい値を超える場合、ＳＲ情報が検出されたと判断され、そうでない場合、ＳＲ情報が検出されていない。当該しきい値は、事前定義されるか、事前設定されるか、ネットワークで設定されてもよい。
【０１２４】
２）前記第１のサイドリンク伝送チャネルは、第１のサイドリンクデータチャネルであり、前記第１のサイドリンクデータチャネルにおけるデータは、前記ＢＳＲ情報を運ぶ。
【０１２５】
ここで、第１のサイドリンクデータチャネルはデータを伝送するためである。一例では、前記ＢＳＲ情報は、データとして前記第１のサイドリンクデータチャネルで運ばれてもよい。
【０１２６】
スキーム２）において、第２の端末は第１のサイドリンクデータチャネルを通して第１の端末にＢＳＲ情報を送信する。オプションで、第２の端末は下記の方式で第１の端末にＳＲ情報を送信することができる。
【０１２７】
２．１）第２の端末は前記第１のサイドリンクデータチャネルを通して前記第１の端末にＳＲ情報を送信する。
【０１２８】
この実施形態では、第１のサイドリンクデータチャネルは、前記ＳＲ情報と前記ＢＳＲ情報の両方を運ぶ。
【０１２９】
２．２）第２の端末は第２のサイドリンク伝送チャネルを通して第１の端末にＳＲ情報を送信する。
【０１３０】
ここで、前記第２のサイドリンク伝送チャネルは、第２のサイドリンク制御チャネルまたは第２のサイドリンクデータチャネルであってもよい。
【０１３１】
一実施形態では、前記第２のサイドリンク伝送チャネルは、第２のサイドリンク制御チャネルであり、前記第２のサイドリンク制御チャネルにおける第２のサイドリンク制御情報は、前記ＳＲ情報を運ぶ。
【０１３２】
オプションで、前記第２のサイドリンク制御情報は第５の情報フィールドを運び、前記第５の情報フィールドは前記第２のサイドリンク制御情報が前記ＳＲ情報を運ぶことを示す。
【０１３３】
オプションで、前記第２のサイドリンク制御情報は第６の情報フィールドを運び、前記第６の情報フィールドは前記ＳＲ情報を示す。
【０１３４】
たとえば、第２のサイドリンク制御チャネルはＰＳＣＣＨであると想定され、ＰＳＣＣＨにおけるＳＣＩは前記ＳＲ情報を運ぶ。
【０１３５】
同じ理由で、ＰＳＣＣＨのＳＣＩに１つの情報フィールド、つまり第６の情報フィールドを追加する必要がある。前記第６の情報フィールドは、前記ＳＲ情報を示すためである。さらに、異なるＳＣＩフォーマットが異なるコンテンツを運ぶことを考えると、ＰＳＣＣＨのＳＣＩにもう１つの情報フィールド、つまり第５の情報フィールドを追加する必要がある。前記第５の情報フィールドは、ＰＳＣＣＨのＳＣＩが前記ＳＲ情報を運ぶことを示すためである。たとえば、ＳＣＩには１ビットの情報があり、当該ビットが０である場合は当該ＳＣＩがＰＳＳＣＨのスケジュールに使用されることを示し、当該ビットが１である場合は当該ＳＣＩがＳＲ情報の伝送に使用されることを示す。
【０１３６】
別の一実施形態では、前記第２のサイドリンク伝送チャネルは、第２のサイドリンクデータチャネルであり、前記第２のサイドリンクデータチャネルにおけるデータは、前記ＳＲ情報を運ぶ。
【０１３７】
また別の一実施形態では、前記第２のサイドリンク伝送チャネルは、第１のシーケンスであり、前記第１のシーケンスは、前記ＳＲ情報を示すためである。
【０１３８】
さらに、前記第１のシーケンスは、前記第１の端末の識別情報、前記第２の端末の識別情報、および前記第１の端末と前記第２の端末が配置されているグループのグループ識別情報の少なくとも１つに基づいて生成される。
【０１３９】
ここで、第１の端末がシーケンス検出により第１のシーケンスを検出した場合、ＳＲ情報が検出されたと判断することができる。例えば、第１の端末は、ローカルで生成されるシーケンスに従って、受信された信号との相関演算を実行し、相関演算のピーク値がしきい値を超える場合、ＳＲ情報が検出されたと判断され、そうでない場合、ＳＲ情報が検出されていない。当該しきい値は、事前定義されるか、事前設定されるか、ネットワークで設定されてもよい。
【０１４０】
本開示の実施形態では、第１のサイドリンク伝送チャネルは、第２の伝送リソースにおいて送信される。具体に、前記第２の端末は第２の伝送リソースを決定し、前記第２の端末は前記第２の伝送リソースにおいて、前記第１の端末に前記第１のサイドリンク伝送チャネルを送信する。
【０１４１】
さらに、前記第２の端末は第２の伝送リソースを決定することは、
前記第２の端末は、前記第２の伝送リソースを独立して選択すること、または、
前記第２の端末は、事前設定情報に従って前記第２の伝送リソースを決定すること、または、
前記第２の端末は、ネットワーク設定情報に従って前記第２の伝送リソースを決定すること、または、
前記第２の端末は、第３の端末によって送信されるリソース設定情報を受信し、前記リソース設定情報に従って前記第２の伝送リソースを決定すること、または、
前記第２の端末は、第１の端末に送信されるＳＲ情報を受信し、前記第２の端末は、前記ＳＲ情報に従って第１の端末に割り当てられる伝送リソースを第２の伝送リソースとして決定することを含む。
【０１４２】
ここで、前記第２の端末は第２の伝送リソースを独立して選択することは、
前記第２の端末は、リソースプールでセンシングの方式により前記第２の伝送リソースとして１つのリソースを選択すること、または、
前記第２の端末は、前記第２の伝送リソースとして１つのリソースをランダムに選択すること、または、
前記第２の端末は、リソースプールで事前設定或いは事前設定の方式により前記第２の伝送リソースを選択することを含む。例えば、前記第２の端末は、自らの識別情報に従って前記リソースプールで前記第２の伝送リソースを決定する。
【０１４３】
例えば、前記第１の端末および前記第２の端末がセル内にある場合、ネットワーク装置は、前記第２の伝送リソースを前記第２の端末に割り当てることができ、前記第２の伝送リソースは、前記第２の端末が前記第１の端末に第１のサイドリンク伝送チャネルを送信するのに使用される。同時に、ネットワーク装置は、前記第２の伝送リソースの情報を前記第２の端末に送信することができるので、前記第１の端末は、ネットワーク装置に指定される第２の伝送リソースにおいて第２の端末によって送信される第１のサイドリンク伝送チャネルを受信することができる。
【０１４４】
別の例では、第１の端末、第２の端末、および第３の端末は、第１の伝送グループを形成し、中には当該第３の端末は伝送グループのグループヘッドであり、第１の端末および第２の端末はグループメンバーであり、当該第３の端末はグループメンバーであってもよい。たとえば、第２の端末は前記第２の伝送リソースを割り当て、当該第２の伝送リソース情報を第１の端末に送信するので、第２の端末は、当該第２の伝送リソースにおいて第１のサイドリンク伝送チャネルを送信することができ、第１の端末は、当該第２の伝送リソースにおいて当該第１のサイドリンク伝送チャネルを受信することができる。
【０１４５】
別の例では、第２の端末は、ＳＲ情報を第１の端末に送信し、第１の端末は、受信される第１の端末によって送信されるＳＲ情報に従って、ＢＳＲ情報伝送するためのリソースを第１の端末に割り当て、当該リソースは第２の伝送リソースである。第２の端末は、当該第２の伝送リソースにおいて第１のサイドリンク伝送チャネルを送信し、当該第１のサイドリンク伝送チャネルでＢＳＲ情報を運び、第１の端末は、当該第２の伝送リソースにおいて  第２の端末によって送信される第１のサイドリンク伝送チャネルを受信する。
【０１４６】
本開示の実施形態では、第２の端末から第１の端末に報告されるＢＳＲ情報は、第１の端末の特定または複数の論理チャネルグループで現在送信する必要なデータ量を示すためであり、ネットワーク側または第２の端末が一部の伝送リソースを第１の端末に割り当てることを望んでいる。
【０１４７】
一実施形態では、サイドリンクの伝送リソースはネットワークによって割り当てられる。前記第１の端末は前記ＢＳＲをネットワークに送信し、ネットワーク側からサイドリンクリソース割り当て情報を受信する。前記第１の端末は前記サイドリンクリソース割り当て情報に基づき、第１の伝送リソースを前記第２の端末に割り当てる。
【０１４８】
一実施形態では、サイドリンクの伝送リソースは端末によって独立して決定される。前記第１の端末は、前記ＢＳＲに基づき、第１の伝送リソースを前記第２の端末に割り当てる。さらに、前記第１の端末は、前記ＢＳＲに基づき、伝送リソースセットから第１の伝送リソースを前記第２の端末に割り当てることとを含む。オプションで、前記伝送リソースセットは、事前設定されるか、ネットワーク設定されるか、または前記第１の端末がセンシングによって取得されるリソースセットである。
【０１４９】
一実施形態では、第２の端末はＢＳＲ情報を第１の端末に送信して伝送リソースを要求するとき、第１の情報を第１の端末に送信し、第１の端末のリソーススケジューリングを支援することができる。具体的には、前記第２の端末は、前記第１の端末に第１の情報を送信する。前記第１の情報は、ＣＱＩ、ＣＳＩ、ＭＣＳ、候補伝送リソース表示情報のうちの少なくとも１つの情報を含む。ここで、前記候補伝送リソース表示情報は、第１のリソース選択ウィンドウ内の利用可能な伝送リソースを示すために使用される。前記第１の端末は、前記ＢＳＲ情報および前記第１の情報に基づいて、前記第１の伝送リソースを前記第２の端末に割り当てる。
【０１５０】
上記の案において、前記第２の端末によって割り当てられる前記第１の伝送リソースが前記第２の端末と前記第１の端末とのサイドリンクデータ伝送に使用される場合、前記ＣＱＩおよび／または前記ＣＳＩは、前記第２の端末と前記第１の端末との間のチャネル品質である。前記第２の端末によって割り当てられる前記第１の伝送リソースが前記第２の端末と第３の端末とのサイドリンクデータ伝送に使用される場合、前記ＣＱＩおよび／または前記ＣＳＩは、前記第２の端末と前記第３の端末との間のチャネル品質である。
【０１５１】
オプションで、前記第１のリソース選択ウィンドウは、次の方法で決定されてもよい：
前記第１の端末は、事前設定情報に従って前記第１のリソース選択ウィンドウを決定すること、または、
前記第１の端末は、ネットワーク設定情報に従って前記第１のリソース選択ウィンドウを決定すること、または、
前記第１の端末は、第３の端末によって送信される設定情報を受信し、前記設定情報に従って前記第１のリソース選択ウィンドウを決定すること。
【０１５２】
具体的には、事前設定情報、ネットワーク設定情報、または第３の端末によって送信される設定情報は、以下のうちの少なくとも１つを含んでもよい：
第１のリソース選択ウィンドウ内の各伝送リソースが占めるリソースのサイズ、
第１のリソース選択ウィンドウの開始時間領域の位置情報、
第１のリソース選択ウィンドウの終了時間領域の位置情報、
第１のリソース選択ウィンドウの時間領域の長さ情報、
第１のリソース選択ウィンドウの周波数領域の開始位置情報、
第１のリソース選択ウィンドウの周波数領域の終了位置情報、
第１のリソース選択ウィンドウの周波数領域の長さ情報。
【０１５３】
ここで、サイドリンク伝送では、各端末周辺の干渉環境が異なることを考慮すると、第２端末がセンシング（ｓｅｎｓｉｎｇ）により取得する利用可能な伝送リソースと、第１端末がセンシングにより取得する利用可能な伝送リソースが異なる可能性がある。第１の端末を補助してリソース割り当てを行うため、第２の端末は、前記第２の端末によってセンシングされる１つまたは複数の利用可能なリソースを第１の端末に示してもよく、第２の端末は、候補伝送リソース表示情報を第１の端末に送信して、１つまたは複数の利用可能な伝送リソースを示す。
【０１５４】
オプションで、候補伝送リソース表示情報は、利用可能な伝送リソースの数に関する情報、各利用可能な伝送リソースの時間周波数位置情報を示すためである。
【０１５５】
オプションで、当該１つ以上の利用可能なリソースは、第１のリソース選択ウィンドウ内で選択される利用可能なリソースである。当該第１のリソース選択ウィンドウは、事前設定情報、ネットワーク設定情報、または第３の端末によって送信される設定情報に従って決定される。
【０１５６】
一実施形態では、前記第１のリソース選択ウィンドウのパラメータの一部または全部は、前記第１の端末によって設定されるか、または事前設定されるか、またはネットワーク設定されるか、または他の装置によって設定される。
【０１５７】
上記の案では、前記第１の情報は第３のサイドリンク伝送チャネルに運ばれてもよく、つまり、前記第１の端末は、前記第２の端末によって送信される前記第３のサイドリンク伝送チャネルを受信し、前記第３のサイドリンク伝送チャネルは、前記第１の情報を運ぶ。ここで、前記第３のサイドリンク伝送チャネルは、前記第１のサイドリンク伝送チャネルと同一サイドリンク伝送チャネルであってもよく、または異なるサイドリンク伝送チャネルであってもよい。
【０１５８】
図６は、本開示の実施形態によって提供されるリソースの割り当て装置の構成の第１の模式図である。図６に示されるように、前記装置は、
第２の端末によって送信されるＢＳＲ情報を受信するように構成される受信部６０１と、
第１の伝送リソースを前記第２の端末に割り当てるように構成される割り当て部６０２とを備える。
【０１５９】
一実施形態では、前記割り当て部６０２は、前記ＢＳＲ情報に基づき、第１の伝送リソースを前記第２の端末に割り当てるように構成される。
【０１６０】
一実施形態では、前記受信部６０１は、前記第２の端末によって送信される第１のサイドリンク伝送チャネルを受信するように構成され、前記第１のサイドリンク伝送チャネルは、前記ＢＳＲ情報を運ぶ。
【０１６１】
一実施形態では、前記第１のサイドリンク伝送チャネルは、第１のサイドリンク制御チャネルであり、前記第１のサイドリンク制御チャネルにおける第１のサイドリンク制御情報は、前記ＢＳＲ情報を運ぶ。
【０１６２】
一実施形態では、前記第１のサイドリンク制御情報は第１の情報フィールドを運び、前記第１の情報フィールドは前記第１のサイドリンク制御情報が前記ＢＳＲ情報を運ぶことを示す。
【０１６３】
一実施形態では、前記第１のサイドリンク制御情報は第２の情報フィールドを運び、前記第２の情報フィールドは前記ＢＳＲ情報を示す。
【０１６４】
一実施形態では、前記第１のサイドリンク伝送チャネルは、第１のサイドリンクデータチャネルであり、前記第１のサイドリンクデータチャネルにおけるデータは、前記ＢＳＲ情報を運ぶ。
【０１６５】
一実施形態では、前記第１のサイドリンク制御情報は第３の情報フィールドを運び、前記第３の情報フィールドは前記第１のサイドリンク制御情報が前記ＳＲ情報を運ぶことを示すためである。
【０１６６】
一実施形態では、前記第１のサイドリンク制御情報は第４の情報フィールドを運び、前記第４の情報フィールドは前記ＳＲ情報を示すためである。
【０１６７】
一実施形態では、前記第１のサイドリンクデータチャネルにおけるデータは、ＳＲ情報を運ぶ。
【０１６８】
一実施形態では、前記受信部６０１は、さらに前記第２の端末に送信される第２のサイドリンク伝送チャネルを受信するように構成され、前記第２のサイドリンク伝送チャネルは、ＳＲ情報を運ぶ。
【０１６９】
一実施形態では、前記第２のサイドリンク伝送チャネルは、第２のサイドリンク制御チャネルであり、前記第２のサイドリンク制御チャネルにおける第２のサイドリンク制御情報は、前記ＳＲ情報を運ぶ。
【０１７０】
一実施形態では、前記第２のサイドリンク制御情報は第５の情報フィールドを運び、前記第５の情報フィールドは前記第２のサイドリンク制御情報が前記ＳＲ情報を運ぶことを示す。
【０１７１】
一実施形態では、前記第２のサイドリンク制御情報は第６の情報フィールドを運び、前記第６の情報フィールドは前記ＳＲ情報を示す。
【０１７２】
一実施形態では、前記第２のサイドリンク伝送チャネルは、第２のサイドリンクデータチャネルであり、前記第２のサイドリンクデータチャネルにおけるデータは、前記ＳＲ情報を運ぶ。
【０１７３】
一実施形態では、前記第２のサイドリンク伝送チャネルは、第１のシーケンスであり、前記第１のシーケンスは、前記ＳＲ情報を示すためである。
【０１７４】
一実施形態では、前記第１のシーケンスは、前記第１の端末の識別情報、前記第２の端末の識別情報、および前記第１の端末と前記第２の端末が配置されているグループのグループ識別情報の少なくとも１つに基づいて生成される。
【０１７５】
一実施形態では、前記装置は、
第２の伝送リソースを決定するように構成される第１の決定部６０３と、
前記第２の伝送リソースにおいて前記第２の端末によって送信される前記第１のサイドリンク伝送チャネルを受信するように構成される受信部６０１とをさらに備える。
【０１７６】
一実施形態では、前記第１の決定部６０３は、
事前設定情報に従って前記第２の伝送リソースを決定する、または、
ネットワーク設定情報に従って前記第２の伝送リソースを決定する、または、
第３の端末によって送信されるリソース設定情報を受信し、前記リソース設定情報に従って前記第２の伝送リソースを決定する、または、
第２の端末に送信されるＳＲ情報を受信し、前記ＳＲ情報に従って第２の端末に割り当てられる伝送リソースを前記第２の伝送リソースとして決定するように構成される。
【０１７７】
一実施形態では、前記受信部６０１は、さらに前記第２の端末によって送信される第１の情報を受信するように構成され、
前記第１の情報は、ＣＱＩ、ＣＳＩ、ＭＣＳ、候補伝送リソース表示情報のうちの少なくとも１つの情報を含む。ここで、前記候補伝送リソース表示情報は、第１のリソース選択ウィンドウ内の利用可能な伝送リソースを示すために使用される。
【０１７８】
一実施形態では、前記第２の端末によって割り当てられる前記第１の伝送リソースが前記第２の端末と前記第１の端末とのサイドリンクデータ伝送に使用される場合、前記ＣＱＩおよび／または前記ＣＳＩは、前記第２の端末と前記第１の端末との間のチャネル品質である。
【０１７９】
前記第２の端末によって割り当てられる前記第１の伝送リソースが前記第２の端末と第３の端末とのサイドリンクデータ伝送に使用される場合、前記ＣＱＩおよび／または前記ＣＳＩは、前記第２の端末と前記第３の端末との間のチャネル品質である。
【０１８０】
一実施形態では、前記装置は、
事前設定情報に従って前記第１のリソース選択ウィンドウを決定する、または、ネットワーク設定情報に従って前記第１のリソース選択ウィンドウを決定する、または、第３の端末によって送信される設定情報を受信し、前記設定情報に従って前記第１のリソース選択ウィンドウを決定するように構成される第２の決定部を備える。
【０１８１】
一実施形態では、前記受信部６０１は、前記第２の端末によって送信される前記第３のサイドリンク伝送チャネルを受信するように構成され、前記第３のサイドリンク伝送チャネルは、前記第１の情報を運ぶ。
【０１８２】
当業者は、本開示の実施形態による前述のリソースの割り当て装置の関連する説明は、本開示の実施形態によるリソースの割り当て方法の関連する説明を参照して理解できることを理解すべきである。
【０１８３】
図７は、本開示の実施形態によって提供されるリソースの割り当て装置の構成の第２の模式図である。図７に示されるように、前記装置は、
第１の端末に、前記第１の端末が第１の伝送リソースを前記第２の端末に割り当てるためのＢＳＲ情報を送信するように構成される送信部７０１を備える。
【０１８４】
一実施形態では、前記送信部７０１は、前記第２の端末によって送信される第１のサイドリンク伝送チャネルを受信するように構成され、前記第１のサイドリンク伝送チャネルは、前記ＢＳＲ情報を運ぶ。
【０１８５】
一実施形態では、前記第１のサイドリンク伝送チャネルは、第１のサイドリンク制御チャネルであり、前記第１のサイドリンク制御チャネルにおける第１のサイドリンク制御情報は、前記ＢＳＲ情報を運ぶ。
【０１８６】
一実施形態では、前記第１のサイドリンク制御情報は第１の情報フィールドを運び、前記第１の情報フィールドは前記第１のサイドリンク制御情報が前記ＢＳＲ情報を運ぶことを示す。
【０１８７】
一実施形態では、前記第１のサイドリンク制御情報は第２の情報フィールドを運び、前記第２の情報フィールドは前記ＢＳＲ情報を示す。
【０１８８】
一実施形態では、前記第１のサイドリンク伝送チャネルは、第１のサイドリンクデータチャネルであり、前記第１のサイドリンクデータチャネルにおけるデータは、前記ＢＳＲ情報を運ぶ。
【０１８９】
一実施形態では、前記第１のサイドリンク制御情報は第３の情報フィールドを運び、前記第３の情報フィールドは前記第１のサイドリンク制御情報が前記ＳＲ情報を運ぶことを示すためである。
【０１９０】
一実施形態では、前記第１のサイドリンク制御情報は第４の情報フィールドを運び、前記第４の情報フィールドは前記ＳＲ情報を示すためである。
【０１９１】
一実施形態では、前記第１のサイドリンクデータチャネルにおけるデータは、ＳＲ情報を運ぶ。
【０１９２】
一実施形態では、前記送信部７０１は、さらに前記第２の端末に送信される第２のサイドリンク伝送チャネルを受信するように構成され、前記第２のサイドリンク伝送チャネルは、ＳＲ情報を運ぶ。
【０１９３】
一実施形態では、前記第２のサイドリンク伝送チャネルは、第２のサイドリンク制御チャネルであり、前記第２のサイドリンク制御チャネルにおける第２のサイドリンク制御情報は、前記ＳＲ情報を運ぶ。
【０１９４】
一実施形態では、前記第２のサイドリンク制御情報は第５の情報フィールドを運び、前記第５の情報フィールドは前記第２のサイドリンク制御情報が前記ＳＲ情報を運ぶことを示す。
【０１９５】
一実施形態では、前記第２のサイドリンク制御情報は第６の情報フィールドを運び、前記第６の情報フィールドは前記ＳＲ情報を示す。
【０１９６】
一実施形態では、前記第２のサイドリンク伝送チャネルは、第２のサイドリンクデータチャネルであり、前記第２のサイドリンクデータチャネルにおけるデータは、前記ＳＲ情報を運ぶ。
【０１９７】
一実施形態では、前記第２のサイドリンク伝送チャネルは、第１のシーケンスであり、前記第１のシーケンスは、前記ＳＲ情報を示すためである。
【０１９８】
一実施形態では、前記第１のシーケンスは、前記第１の端末の識別情報、前記第２の端末の識別情報、および前記第１の端末と前記第２の端末が配置されているグループのグループ識別情報の少なくとも１つに基づいて生成される。
【０１９９】
一実施形態では、前記装置は、
第２の伝送リソースを決定するように構成される決定部７０２と、
前記第２の伝送リソースにおいて前記第１の端末に前記第１のサイドリンク伝送チャネルを送信するように構成される送信部７０１とをさらに備える。
【０２００】
一実施形態では、前記決定部７０２は、
前記第２の伝送リソースを独立して選択すること、または、
事前設定情報に従って前記第２の伝送リソースを決定する、または、
ネットワーク設定情報に従って前記第２の伝送リソースを決定する、または、
第３の端末によって送信されるリソース設定情報を受信し、前記リソース設定情報に従って前記第２の伝送リソースを決定する、または、
第１の端末に送信されるＳＲ情報を受信し、前記ＳＲ情報に従って第    の端末に割り当てられる伝送リソースを前記第２の伝送リソースとして決定するように構成される。
【０２０１】
一実施形態では、前記送信部７０１は、さらに前記第１の端末に第１の情報を送信するように構成され、
前記第１の情報は、ＣＱＩ、ＣＳＩ、ＭＣＳ、候補伝送リソース表示情報のうちの少なくとも１つの情報を含む。ここで、前記候補伝送リソース表示情報は、第１のリソース選択ウィンドウ内の利用可能な伝送リソースを示すために使用される。
【０２０２】
一実施形態では、前記第２の端末によって割り当てられる前記第１の伝送リソースが前記第２の端末と前記第１の端末とのサイドリンクデータ伝送に使用される場合、前記ＣＱＩおよび／または前記ＣＳＩは、前記第２の端末と前記第１の端末との間のチャネル品質である。
【０２０３】
前記第２の端末によって割り当てられる前記第１の伝送リソースが前記第２の端末と第３の端末とのサイドリンクデータ伝送に使用される場合、前記ＣＱＩおよび／または前記ＣＳＩは、前記第２の端末と前記第３の端末との間のチャネル品質である。
【０２０４】
一実施形態では、前記第１のリソース選択ウィンドウは、事前設定情報に従って決定される、または、
前記第１のリソース選択ウィンドウは、ネットワーク設定情報に従って決定される、または、
前記第１のリソース選択ウィンドウは、第３の端末によって送信される設定情報に従って決定される。
【０２０５】
一実施形態では、前記送信部７０１は、前記第１の端末に第３のサイドリンク伝送チャネルを送信するように構成され、前記第３のサイドリンク伝送チャネルは、前記第１の情報を運ぶ。
【０２０６】
当業者は、本開示の実施形態における前述のリソースの割り当て装置の関連する説明は、本開示の実施形態におけるリソースの割り当て方法の関連する説明を参照して理解できることを理解すべきである。
【０２０７】
図８は、本開示の実施形態によって提供される通信装置６００の模式的構造図である。当該通信装置は、端末またはＲＳＵであってもよい。図８に示される通信装置６００は、プロセッサ６１０を備え、プロセッサ６１０は、メモリからコンピュータプログラムを呼び出して実行し、本開示の実施形態による方法を実施することができる。
【０２０８】
オプションで、図８に示されるように、通信装置６００は、メモリ６２０をさらに備えてもよい。ここで、プロセッサ６１０は、メモリ６２０からコンピュータプログラムを呼び出して実行し、本開示の実施形態による方法を実施することができる。
【０２０９】
ここで、メモリ６２０は、プロセッサ６１０から独立した別個のデバイスであってもよいか、またはプロセッサ６１０に集積されてもよい。
【０２１０】
オプションで、図８に示すように、通信装置６００は、トランシーバ６３０をさらに備えてもよく、プロセッサ６１０は、他の装置と通信するようにトランシーバ６３０を制御することができ、具体的には、情報またはデータを他の装置に送信するか、または他の装置によって送信される情報またはデータを受信することができる。
【０２１１】
ここで、トランシーバ６３０は、送信機および受信機を備えてもよい。トランシーバ６３０は、アンテナをさらに備えてもよく、アンテナの数は、１つまたは複数であってもよい。
【０２１２】
オプションで、当該通信装置６００は、具体的には、本開示の実施形態によるネットワーク装置であってもよく、当該通信装置６００は、本開示の実施形態の各方法においてネットワーク装置によって実施される対応するプロセスを実施することができる。簡素化のため、ここで繰り返しない。
【０２１３】
オプションで、通信装置６００は、具体的には、本開示の実施形態による移動端末／端末であってもよく、当該通信装置６００は、本開示の実施形態の各方法において移動端末／端末によって実施される対応するプロセスを実施することができる。簡素化ために、ここでは繰り返しない。
【０２１４】
図９は、本開示の実施形態によるチップの模式的構造図である。図９に示されるチップ７００は、プロセッサ７１０を備え、プロセッサ７１０は、メモリからコンピュータプログラムを呼び出して実行し、本開示の実施形態による方法を実施することができる。
【０２１５】
オプションで、図９に示されるように、チップ７００は、メモリ７２０をさらに備えてもよい。ここで、プロセッサ７１０は、メモリ７２０からコンピュータプログラムを呼び出して実行し、本開示の実施形態による方法を実施することができる。
【０２１６】
ここで、メモリ７２０は、プロセッサ７１０から独立した別個のデバイスであってもよいか、またはプロセッサ７１０に集積されてもよい。
【０２１７】
オプションで、当該チップ７００は、入力インターフェース７３０をさらに備えてもよい。オプションで、プロセッサ７１０は、他の装置またはチップと通信するように入力インターフェース７７３０を制御することができ、具体的には、他の装置またはチップによって送信される情報またはデータを受信することができる。
【０２１８】
オプションで、当該チップ７００は、出力インターフェース７４０をさらに備えてもよい。ここで、プロセッサ７１０は、他の装置またはチップと通信するように出力インターフェース７４０を制御することができ、具体的には、他の装置またはチップに情報またはデータを送信することができる。
【０２１９】
オプションで、当該チップは、本開示の実施形態によるネットワーク装置に適用されてもよく、当該チップは、本開示の実施形態の各方法においてネットワーク装置によって実施される対応するプロセスを実施することができる。簡素化のため、ここで繰り返しない。
【０２２０】
オプションで、当該チップは、本開示の実施形態による移動端末／端末に適用されてもよく、当該チップは、本開示の実施形態の各方法において移動端末／端末によって実施される対応するプロセスを実施することができる。簡素化ために、ここでは繰り返しない。
【０２２１】
本開示の実施形態で言及されるチップは、システムレベルチップ、システムチップ、チップシステム、またはシステムオンチップと呼ばれることもあることを理解されたい。
【０２２２】
図１０は、本開示の実施形態によって提供される通信システム９００の模式的ブロック図である。図１０に示すように、当該通信システム９００は、端末９１０およびネットワーク装置９２０を含む。
【０２２３】
ここで、当該端末９１０は、前述の方法で端末によって実装される対応する機能を実装するために使用され、当該ネットワーク装置９２０は、前述の方法でネットワーク装置によって実装される対応する機能を実装するために使用されてもよい。簡素化のため、ここでは繰り返しない。
【０２２４】
本開示の実施形態のプロセッサは、信号処理能力を備えた集積回路チップであり得ることを理解されたい。実装プロセスにおいて、上記の方法の実施形態の各ステップは、プロセッサ内のハードウェア集積論理回路またはソフトウェアの形態の命令によって完成させることができる。上記のプロセッサは、汎用プロセッサ、デジタルシグナルプロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、またはその他のプログラミングロジックデバイス、ディスクリートゲートまたはトランジスタロジックデバイス、ディスクリートハードウェアコンポーネントであってもよい。本開示の実施形態に開示されている方法、ステップ、および論理ブロック図を、実装または実行することができる。汎用プロセッサは、マイクロプロセッサであってもよいか、または当該プロセッサは、任意の従来のプロセッサなどであってもよい。本開示の実施形態に開示される方法のステップは、ハードウェア復号化プロセッサの具体化によって実行および完了されるように、または復号化プロセッサ内のハードウェアおよびソフトウェアモジュールの組み合わせによって実行および完了されるようにすることができる。ソフトウェアモジュールは、ランダムアクセスメモリ、フラッシュメモリ、読み取り専用メモリ、プログラム可能な読み取り専用メモリ、または電気的に消去可能なプログラム可能なメモリ、レジスタなどの本分野の成熟した記憶媒体に配置することができる。当該記憶媒体はメモリ内に配置され、プロセッサはメモリ内の情報を読み取り、ハードウェアと組み合わせて上記の方法のステップを完成させる。
【０２２５】
本開示の実施形態によるメモリは、揮発性メモリまたは不揮発性メモリであってもよいか、または揮発性メモリおよび不揮発性メモリの両方を含んでもよいことが理解され得る。その中で、不揮発性メモリは、読み取り専用メモリ（Ｒｅａｄ−Ｏｎｌｙ  Ｍｅｍｏｒｙ、ＲＯＭ）、プログラム可能な読み取り専用メモリ（Ｐｒｏｇｒａｍｍａｂｌｅ  ＲＯＭ、ＰＲＯＭ）、消去可能なプログラム可能な読み取り専用メモリ（Ｅｒａｓａｂｌｅ  ＰＲＯＭ、ＥＰＲＯＭ）、電気的に消去可能なプログラム可能な読み取り専用メモリ（Ｅｌｅｃｔｒｉｃａｌｌｙ  ＥＰＲＯＭ、ＥＥＰＲＯＭ）またはフラッシュメモリであってもよい。揮発性メモリは、外部キャッシュとして使用されるランダムアクセスメモリ（Ｒａｎｄｏｍ  Ａｃｃｅｓｓ  Ｍｅｍｏｒｙ、ＲＡＭ）であってもよい。例示的であるが限定的ではない説明として、静的ランダムアクセスメモリ（Ｓｔａｔｉｃ  ＲＡＭ、ＳＲＡＭ）、動的ランダムアクセスメモリ（Ｄｙｎａｍｉｃ  ＲＡＭ、ＤＲＡＭ）、同期動的ランダムアクセスメモリ（Ｓｙｎｃｈｒｏｎｏｕｓ  ＤＲＡＭ、  ＳＤＲＡＭ）、ダブルデータレート同期動的ランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、同期リンクダイナミックランダムアクセスメモリ（Ｓｙｎｃｈｌｉｎｋ  ＤＲＡＭ、ＳＬＤＲＡＭ））、およびダイレクトランバスＲＡＭ（Ｄｉｒｅｃｔ  Ｒａｍｂｕｓ  ＲＡＭ、ＤＲＲＡＭ）などの多種類のＲＡＭは使用可能である。本明細書に記載のシステムおよび方法に係るメモリは、これらおよび他の適切なタイプのメモリを含むことを意図しているが、これらに限定されないことに留意されたい。
【０２２６】
上記のメモリは例示的であるが限定的説明ではない。例えば、本開示の実施形態に係るメモリは、静的ランダムアクセスメモリ（Ｓｔａｔｉｃ  ＲＡＭ、ＳＲＡＭ）、動的ランダムアクセスメモリ（Ｄｙｎａｍｉｃ  ＲＡＭ、ＤＲＡＭ）、同期動的ランダムアクセスメモリ（Ｓｙｎｃｈｒｏｎｏｕｓ  ＤＲＡＭ、  ＳＤＲＡＭ）、ダブルデータレート同期動的ランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、同期リンクダイナミックランダムアクセスメモリ（Ｓｙｎｃｈｌｉｎｋ  ＤＲＡＭ、ＳＬＤＲＡＭ））、およびダイレクトランバスＲＡＭ（Ｄｉｒｅｃｔ  Ｒａｍｂｕｓ  ＲＡＭ、ＤＲＲＡＭ）などのであってもよい。つまり、本開示の実施形態によるメモリは、これらおよび他の適切なタイプのメモリを含むことを意図しているが、これらに限定されない。
【０２２７】
本開示の実施形態は、コンピュータプログラムを格納するように構成されるコンピュータ可読記憶媒体をさらに提供する。
【０２２８】
オプションで、当該コンピュータ可読記憶媒体は、本開示の実施形態によるネットワーク装置に適用されてもよく、当該コンピュータプログラムは、本開示の実施形態の各方法においてネットワーク装置によって実施される対応するプロセスをコンピュータに実施させる。簡素化のため、ここで繰り返しない。
【０２２９】
オプションで、当該コンピュータ可読記憶媒体は、本開示の実施形態による移動端末／端末に適用されてもよく、当該コンピュータプログラムは、本開示の実施形態の各方法において移動端末／端末によって実施される対応するプロセスをコンピュータに実施させる。簡素化ために、ここでは繰り返しない。
【０２３０】
本開示の実施形態は、コンピュータプログラム指令を備えるコンピュータプログラム製品をさらに提供する。
【０２３１】
オプションで、当該コンピュータプログラム製品は、本開示の実施形態によるネットワーク装置に適用されてもよく、当該コンピュータプログラム製品は、本開示の実施形態の各方法においてネットワーク装置によって実施される対応するプロセスをコンピュータに実施させる。簡素化のため、ここで繰り返しない。
【０２３２】
オプションで、当該コンピュータプログラム製品は、本開示の実施形態による移動端末／端末に適用されてもよく、当該コンピュータプログラム製品は、本開示の実施形態の各方法において移動端末／端末によって実施される対応するプロセスをコンピュータに実施させる。簡素化ために、ここでは繰り返しない。
【０２３３】
本開示の実施形態は、コンピュータプログラムをさらに提供する。
【０２３４】
オプションで、当該コンピュータプログラムは、本開示の実施形態によるネットワーク装置に適用されてもよく、当該コンピュータプログラムはコンピュータで実行されると、本開示の実施形態の各方法においてネットワーク装置によって実施される対応するプロセスをコンピュータに実施させる。簡素化のため、ここで繰り返しない。
【０２３５】
オプションで、当該コンピュータプログラムは、本開示の実施形態による移動端末／端末に適用されてもよく、当該コンピュータプログラムはコンピュータで実行されると、本開示の実施形態の各方法において移動端末／端末によって実施される対応するプロセスをコンピュータに実施させる。簡素化ために、ここでは繰り返しない。
【０２３６】
当業者は、本明細書に開示される実施形態を参照して説明される各実例のユニットおよびアルゴリズムのステップが、電子ハードウェア、またはコンピュータソフトウェアと電子ハードウェアの組み合わせによって実現できることを理解される。これらの機能がハードウェアで実行されるかソフトウェアで実行されるかは、技術案の特定の応用と設計上の制約による。専門な技術者は、特定の応用ごとに異なる方法を使用して、説明された機能を実装することができるが、そのような実装は、本開示の範囲を超えていると見られるべきではない。
【０２３７】
当業者は、便宜上および説明の簡素化のために、上記に説明されたシステム、装置、およびユニットの特定の作業プロセスが、前述の方法の実施形態による対応するプロセスを参照できることを明確に理解するので、その詳細は、ここで説明しない。
【０２３８】
本開示で提供される実施形態では、開示されるシステムおよび方法は、他の方法で実施され得ることが理解されるべきである。例えば、上記の装置の実施形態は、単に例示的なものである。例えば、前記のユニットの分割は、論理機能の分割にすぎず、実際の実装では、他の分割方式があり得る。
【０２３９】
例え複数のユニット或いはコンポネントが別のシステムに組み合わせ或いは集積することも、一部の特徴を無視するか、実装しないこともできる。さらに、表示または説明された相互結合または直接結合または通信接続は、いくつかのインターフェース、装置、またはユニットを介した間接結合または通信接続であり得、電気的、機械的または他の形態であり得る。
【０２４０】
個別のコンポーネントとして説明されたユニットは、物理的に分離されている場合とされていない場合があり、ユニットとして表示されるコンポーネントは、物理ユニットである場合とそうでない場合がある。つまり、１つの場所に配置されている場合と、複数のネットワークユニットに分散されている場合がある。ユニットのいくつかまたはすべては、実施形態の案の目的を達成するための実際の需要に従って選択され得る。
【０２４１】
また、本開示の各実施形態による各機能ユニットは、１つの処理ユニットに集積されてもよいか、または各ユニットが物理的に単独で存在してもよいか、または２つ以上のユニットが１つのユニットに集積されてもよい。
【０２４２】
機能がソフトウェア機能ユニットの形で実装され、独立した製品として販売または使用される場合、コンピュータ可読記憶媒体に保存できる。このような理解に基づいて、本開示の技術案は、本質的に、または従来の技術に寄与する部分または当該技術案の部分はソフトウェア製品の形で具体化することができ、当該コンピュータソフトウェア製品は、記憶媒体に格納され、コンピュタ装置（パーソナルコンピュータ、サーバー、またはネットワーク装置などであってもよい）に、本開示の各実施形態に記載される方法を実行させるためのいくつかの命令を含む。前述の記憶媒体には、フラッシュディスク、モバイルハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスクまたは光ディスク、およびプログラムコードを格納できるその他の媒体が含まれる。
【０２４３】
上記は、本開示の特定の実施形態にすぎないが、本開示の保護範囲はこれに限定されない。当業者は、本開示に開示されている技術範囲において考えられる変更または置換は、本開示の保護範囲に含まれる。従って、本開示の保護範囲は、請求の範囲の保護範囲に従うものとする。
【図１】
2022500935.tif 000003
【図２】
2022500935.tif 000004
【図３】
2022500935.tif 000005
【図４】
2022500935.tif 000006
【図５】
2022500935.tif 000007
【図６】
2022500935.tif 000008
【図７】
2022500935.tif 000009
【図８】
2022500935.tif 000010
【図９】
2022500935.tif 000011
【図１０】
2022500935.tif 000012
【手続補正書】
【提出日】令和3年3月23日(2021.3.23)
【手続補正１】
【補正対象書類名】明細書
【補正対象項目名】全文
【補正方法】変更
【補正の内容】
【発明の詳細な説明】
【技術分野】
【０００１】
本開示の実施形態は、移動通信技術の分野に関連し、具体的には、リソースの割り当て方法および装置、端末、ネットワーク機器に関連する。
【背景技術】
【０００２】
カーネットワーキングシステムは、装置から装置（Ｄ２Ｄ、Ｄｅｖｉｃｅ  ｔｏ  Ｄｅｖｉｃｅ）のサイドリンク（ＳＬ、Ｓｉｄｅｌｉｎｋ）伝送技術に基づいており、通信データが基地局を介して送受信される従来のＬＴＥシステムとは異なり、カーネットワーキングシステムは、端末から端末の直接通信の方式を採用するため、スペクトル効率が高く、伝送遅延が少なくなる。
【０００３】
第３世代パートナーシッププロジェクト（３ＧＰＰ、Ｔｈｉｒｄ  Ｇｅｎｅｒａｔｉｏｎ  Ｐａｒｔｎｅｒ  Ｐｒｏｊｅｃｔ）リリース１４（Ｒｅｌ−１４）では、カーネットワーキング技術（Ｖ２Ｘ、Ｖｅｈｉｃｌｅ−ｔｏ−Ｅｖｅｒｙｔｈｉｎｇ）が標準化され、モード３とモード４の２つの伝送モードが定義された。モード３では、端末のサイドリンク伝送リソースは基地局によって割り当てられる。モード４では、端末はセンシング（ｓｅｎｓｉｎｇ）と予約（ｒｅｓｅｒｖａｔｉｏｎ）との方式を採用してサイドリンク伝送リソースを決定する。
【０００４】
新しい無線カーネットワーキング（ＮＲ−Ｖ２Ｘ、Ｎｅｗ  Ｒａｄｉｏ  Ｖｅｈｉｃｌｅ−ｔｏ−Ｅｖｅｒｙｔｈｉｎｇ）では、上記のモード３とモード４に加えて、他のリソースの割り当て方式を導入する必要があり、端末が伝送リソースを他の端末に割り当てることは如何に実現するのは、解決すべき問題である。
【発明の内容】
【０００５】
本開示の実施形態は、リソースの割り当て方法および装置、端末を提供する。
【０００６】
本開示の実施形態によって提供されるリソースの割り当て方法は、
第１の端末は、第２の端末によって送信されるバッファステータスレポート（ＢＳＲ、Ｂｕｆｆｅｒ  Ｓｔａｔｕｓ  Ｒｅｐｏｒｔ）情報を受信することと、
前記第１の端末は、第１の伝送リソースを前記第２の端末に割り当てることとを含む。
【０００７】
本開示の実施形態が提供するリソースの割り当て方法は、
第２の端末は、第１の端末に、前記第１の端末が第１の伝送リソースを前記第２の端末に割り当てるためのＢＳＲ情報を送信することを含む。
【０００８】
本開示の実施形態によって提供されるリソースの割り当て装置は、
第２の端末によって送信されるＢＳＲ情報を受信するように構成される受信部と、
第１の伝送リソースを前記第２の端末に割り当てるように構成される割り当て部とを備える。
【０００９】
本開示の実施形態が提供するリソースの割り当て装置は、
第１の端末に、前記第１の端末が第１の伝送リソースを前記第２の端末に割り当てるためのＢＳＲ情報を送信するように構成される送信部を備える。
【００１０】
本開示の実施形態によって提供される端末は、プロセッサおよびメモリを備える。当該メモリはコンピュータプログラムを格納するように構成され、当該プロセッサは当該メモリに格納されるコンピュータプログラムを呼び出して実行し、上記のリソースの割り当て方法を実行するように構成される。
【００１１】
本開示の実施形態によって提供されるチップは、上記のリソースの割り当て方法を実施するように構成される。
【００１２】
具体的には、当該チップは、メモリからコンピュータプログラムを呼び出して実行し、当該チップを実装している装置に上記のリソースの割り当て方法を実行させるように構成されるプロセッサを備える。
【００１３】
本開示の実施形態によって提供されるコンピュータ可読記憶媒体は、コンピュータプログラムを格納するように構成され、当該コンピュータプログラムは、コンピュータに上記のリソースの割り当て方法を実行させる。
【００１４】
本開示の実施形態によって提供されるコンピュータプログラム製品は、コンピュータプログラム指令を備え、当該コンピュータプログラム指令は、コンピュータに上記のリソースの割り当て方法を実行させる。
【００１５】
本開示の実施形態によって提供されるコンピュータプログラムは、コンピュータにて実行されるとき、コンピュータに上記のリソースの割り当て方法を実行させる。
【００１６】
上記の技術案により、第１の端末は、第１の伝送リソースを第２の端末に割り当て、当該第１の伝送リソースは、第２の端末と前記第１の端末との間のデータ伝送、または第２の端末と第３の端末との間でデータ伝送のためである。このように、１つの端末を通じてサイドリンク伝送リソースをもう１つの端末に割り当てることが実現され、ＮＲ−Ｖ２Ｘにおけるリソースの割り当て方法が充実される。
【図面の簡単な説明】
【００１７】
本明細書に記載の図面は、本開示のさらなる理解を提供し、本開示の一部を構成するためである。本開示の例示的な実施形態およびその説明は、本開示を解釈するためであり、本開示の不適切な制限を構成しない。添付の図面においては、
【図１】図１は、本開示の実施形態によって提供される通信システムアーキテクチャの模式図である。
【図２】図２は、カーネットワーキングにおけるモード３のシナリオの模式図である。
【図３】図３は、カーネットワーキングにおけるモード４のシナリオの模式図である。
【図４】図４は、本開示の実施形態によって提供されるリソースの割り当て方法のフローチャートの第１の模式図である。
【図５】図５は、本開示の実施形態によって提供されるリソースの割り当て方法のフローチャートの第２の模式図である。
【図６】図６は、本開示の実施形態によって提供されるリソースの割り当て装置の構成の第１の模式図である。
【図７】図７は、本開示の実施形態によって提供されるリソースの割り当て装置の構成の第２の模式図である。
【図８】図８は、本開示の実施形態によって提供される通信装置の模式的構造図である。
【図９】図９は、本開示の実施形態によるチップの模式的構造図である。
【図１０】図１０は、本開示の実施形態によって提供される通信システムの模式的ブロック図である。
【発明を実施するための形態】
【００１８】
以下に、本開示の実施形態による技術案は、本開示の実施形態による添付の図面を参照して説明される。明らかに、説明される実施形態は、本開示の実施形態の一部であり、すべての実施形態ではない。本開示の実施形態に基づいて、創造的な労働なしに当業者によって得られる他のすべての実施形態は、本開示の保護範囲に含まれる。
【００１９】
本開示の実施形態の技術案は、モバイル通信用グローバル（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＣＤＭＡ）、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロング・ターム・エヴォリューション（Ｌｏｎｇ  Ｔｅｒｍ  Ｅｖｏｌｕｔｉｏｎ、ＬＴＥ）システム、ＬＴＥ周波数分割複信  （Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システムまたは５Ｇシステムなどの様々な通信システムに適用することができる。
【００２０】
例示的に、本開示の実施形態で適用される通信システム１００は、図１に示されている。当該通信システム１００は、ネットワーク装置１１０を含んでもよく、ネットワーク装置１１０は、端末１２０（または通信端末、端末と呼ばれる）と通信する装置であってもよい。ネットワーク装置１１０は、特定の地理的エリアに通信カバレッジを提供することができ、カバレッジエリアに位置する端末と通信することができる。オプションで、当該ネットワーク装置１１０は、ＧＳＭシステムまたはＣＤＭＡシステムにおける基地局（Ｂａｓｅ  Ｔｒａｎｓｃｅｉｖｅｒ  Ｓｔａｔｉｏｎ、ＢＴＳ）、またはＷＣＤＭＡシステムにおける基地局（ＮｏｄｅＢ、ＮＢ）、またはＬＴＥシステムにおける進化型基地局（Ｅｖｏｌｕｔｉｏｎａｌ  ＮｏｄｅＢ、ｅＮＢ、ｅＮｏｄｅＢ）であってもよく  、または新しい無線システムにおけるｇＮＢ、またはクラウド無線アクセスネットワーク（Ｃｌｏｕｄ  Ｒａｄｉｏ  Ａｃｃｅｓｓ  Ｎｅｔｗｏｒｋ、ＣＲＡＮ）における無線コントローラでであり、または当該ネットワーク装置は、モバイルスイッチングセンター、中継局、アクセスポイント、車載デバイス、ウェアラブルデバイス、ハブ、スイッチ、ブリッジ、ルーター、５Ｇネットワークにおけるネットワーク側装置、または将来の進化の地上波公共移動通信ネットワーク（Ｐｕｂｌｉｃ  Ｌａｎｄ  Ｍｏｂｉｌｅ  Ｎｅｔｗｏｒｋ、ＰＬＭＮ）におけるネットワーク装置などであってもよい。
【００２１】
当該通信システム１００はさらに、ネットワーク装置１１０のカバレッジエリア内に位置する少なくとも１つの端末１２０を含む。本明細書で使用される「端末」には、公衆交換電話網（Ｐｕｂｌｉｃ  Ｓｗｉｔｃｈｅｄ  Ｔｅｌｅｐｈｏｎｅ  Ｎｅｔｗｏｒｋｓ、ＰＳＴＮ）、デジタル加入者線（Ｄｉｇｉｔａｌ  Ｓｕｂｓｃｒｉｂｅｒ  Ｌｉｎｅ、ＤＳＬ）、デジタルケーブル、および直接ケーブル接続などの有線回線接続、および／または別のデータ接続／ネットワーク、および／またはセルラーネットワーク、ワイヤレスローカルエリアネットワーク（Ｗｉｒｅｌｅｓｓ  Ｌｏｃａｌ  Ａｒｅａ  Ｎｅｔｗｏｒｋ、ＷＬＡＮ）、ＤＶＢ−ＨネットワークなどのデジタルＴＶネットワーク、衛星ネットワーク、ＡＭ−ＦＭＡブロードキャストトランスミッターなどのワイヤレスインターフェイス、および／または通信信号を送受信するように構成された別の端末の装置、および／またはモノのインターネット（Ｉｎｔｅｒｎｅｔ  ｏｆ  ＴｈｉｎｇｓＩｏＴ）装置が含まれるが、これらに限定されない。無線インターフェースを介して通信するように設定される端末は、「無線通信端末」、「無線端末」または「移動端末」と呼ばれてもよい。移動端末の例には、衛星電話または携帯電話、携帯無線電話をデータ処理、ファックス、およびデータ通信機能と組み合わせることができるパーソナル通信システム（Ｐｅｒｓｏｎａｌ  Ｃｏｍｍｕｎｉｃａｔｉｏｎｓ  ＳｙｓｔｅｍＰＣＳ）端末、無線電話、ページャー、インターネット／イントラネットアクセス、Ｗｅｂブラウザ、メモ帳、カレンダー、および／またはグローバルポジショニングシステム（Ｇｌｏｂａｌ  Ｐｏｓｉｔｉｏｎｉｎｇ  Ｓｙｓｔｅｍ、ＧＰＳ）受信機を備えるＰＤＡ、および従来のラップトップおよび／またはパームトップ受信機、または無線電話トランシーバーを備えるその他電子装置が含まれるが、これらに限定されない端末とは、アクセス端末、ユーザ装置（Ｕｓｅｒ  Ｅｑｕｉｐｍｅｎｔ、ＵＥ）、ユーザユニット、ユーザステーション、モバイルステーション、移動ステーション、リモートステーション、リモート端末、移動端末、ユーザ端末、端末、無線通信機器、ユーザエージェント、またはユーザ機器を指してもよい。アクセス端末は、携帯電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）ステーション、携帯情報端末（Ｐｅｒｓｏｎａｌ  Ｄｉｇｉｔａｌ  Ａｓｓｉｓｔａｎｔ、ＰＤＡ）、無線通信機能付きのハンドヘルドデバイス、計算装置またはワイヤレスモデムに接続されたその他の処理装置、車載デバイス、ウェアラブルデバイス、５Ｇネットワークにおける端末、または将来の進化ＰＬＭＮにおける端末などであってもよい。
【００２２】
オプションで、端末１２０間で端末直接（Ｄｅｖｉｃｅ  ｔｏ  Ｄｅｖｉｃｅ、Ｄ２Ｄ）通信が実行されてもよい。
【００２３】
オプションで、５Ｇシステムまたは５Ｇネットワークは、新しい無線（Ｎｅｗ  Ｒａｄｉｏ、ＮＲ）システムまたはＮＲネットワークと呼ばれてもよい。
【００２４】
図１は、１つのネットワーク装置および２つの端末を例示的に示している。オプションで、当該通信システム１００は、複数のネットワーク装置を含くんでもよく、各ネットワーク装置のカバレッジエリアに、他の数の端末を含んでもよいが、本開示の実施形態は限定しない。
【００２５】
オプションで、当該通信システム１００はまた、ネットワークコントローラおよびモビリティ管理エンティティなどの他のネットワークエンティティを含んでもよいが、本開示の実施形態は限定しない。
【００２６】
本開示の実施形態によるネットワーク／システム内の通信機能を有する装置は、通信装置と呼ばれることが理解されたい。図１に示す通信システム１００を例にとると、通信装置は、通信機能を備えたネットワーク装置１１０および端末１２０含くんでもよく、ネットワーク装置１１０および端末１２０は、上記の特定の装置であってもよいが、ここでは繰り返しない。通信装置はまた、ネットワークコントローラおよびモビリティ管理エンティティなどの他のネットワークエンティティなど、通信システム１００内の他の装置を含くんでもよいが、本開示の実施形態は限定しない。
【００２７】
本明細書における「システム」と「ネットワーク」という用語は、この明細書では交換で使用されることが多いことが理解されたい。本明細書の「および／または」という用語は、関連付けられた対象同士の関連関係を説明するのみであり、３種類の関係が存在する可能性があると意味する。例えば、Ａおよび／またはＢは、Ａが単独で存在すること、ＡおよびＢが同時に存在すること、Ｂが単独で存在することの３つの状況を表す。さらに、本明細書の記号「／」は、通常、その前後の関連付けられた対象同士が「または」の関係にあることを示す。
【００２８】
本開示の実施形態の技術案の理解を容易にするために、カーネットワーキングにおけるモード３およびモード４をそれぞれ以下に説明する。
【００２９】
モード３：図２に示すように、車載端末のサイドリンク伝送リソースは、基地局（ＬＴＥの進化型基地局（ｅＮＢ、ｅｖｏｌｖｅｄ  ＮｏｄｅＢ）など）によって割り当てられる。具体的には、基地局はダウンリンク（  ＤＬ、Ｄｏｗｎ  Ｌｉｎｋ）を通して車載端末へ（Ｇｒａｎｔ）許可されるリソースを示すための制御メッセージを送信する。その後、車載端末は、基地局によって割り当てられたリソースに従ってＳＬでデータを送信する。モード３では、基地局は、車載端末へ一回伝送用のリソースを割り当ててもよいが、端末へ半静的伝送用のリソースを割り当ててもよい。
【００３０】
モード４：図３に示すように、車載端末は、センシングおよび予約の伝送方式でサイドリンクの伝送リソースを取得する。車載端末は、センシングの方式によりリソースプールにおいて利用可能な伝送リソースセットを取得し、当該伝送リソースセットからランダムに１つのリソースを選択してサイドリンクデータを伝送する。カーネットワーキングシステムにおけるサービスは周期的な特性があるため、車載端末は通常、半静的伝送方式を採用する。つまり、車載端末は１つの伝送リソースを選択した後、そのリソースを複数の伝送サイクルで使用し続けることで、リソースの再選択とリソースの競合の可能性が減少される。車載端末は、今回の伝送の制御情報で次回の伝送リソースを予約するための情報を運ぶので、他の端末は、当該車載端末の制御情報を検出することによって、このリソースが当該車載端末によって予約され使用されているかどうかを判断でき、リソースの競合を減らす目的が実現られる。
【００３１】
ＮＲ−Ｖ２Ｘでは、自動運転をサポートする必要があるため、スループットの向上、遅延の低減、信頼性の向上、カバレッジエリアの拡大、リソース割り当ての柔軟性の向上など、車両間のデータインタラクションに対する要件が厳しくなる。
【００３２】
また、ＮＲ−Ｖ２Ｘは、ユニキャスト（ｕｎｉｃａｓｔ）、グループキャスト（ｇｒｏｕｐｃａｓｔ）、ブロードキャスト（ｂｒｏａｄｃａｓｔ）などのさまざまな伝送方法をサポートする必要がある。
【００３３】
なお、ＬＴＥ−Ｖ２Ｘにおいてそれぞれ、モード３は、車載端末の伝送リソースが基地局によって割り当てられることを示すために使用され、モード４は、車載端末の伝送リソースが、端末によって独立して選択されることを示すために使用される。
【００３４】
ＮＲ−Ｖ２Ｘでは、その他リソース割り当て方式が導入されてもよく、たとえば、端末は伝送リソースを他の端末に割り当てる。たとえば、グループキャスト通信では、１つの端末がグループヘッドとして、他の端末がグループメンバーとする。このとき、グループヘッドはグループメンバーにサイドリンク伝送リソースを割り当てることができる。１つのグループ内では、グループメンバーとグループヘッドとの間のデータ伝送またはグループメンバーと他のグループメンバーとの間のデータ伝送のために、グループヘッドは、グループメンバーに伝送リソースを割り当てることができる。
【００３５】
モード３では、ネットワークが端末に上り伝送リソース／サイドリンク伝送リソースを割り当てる前に、端末はスケジューリング要求（ＳＲ、Ｓｃｈｅｄｕｌｉｎｇ  Ｒｅｑｕｅｓｔ）とＢＳＲをネットワークに報告する必要があり、ネットワークは端末によって報告されたＢＳＲに基づいて、適切な伝送リソースを端末に割り当てる。サイドリンク伝送では、第１の端末が伝送リソースを第２の端末に割り当てる場合、第２の端末もＳＲとＢＳＲを第１の端末に報告するか、ＢＳＲを直接報告する必要がある。
【００３６】
図４は、本開示の実施形態によって提供されるリソースの割り当て方法のフローチャートの第１の模式図である。図４に示すように、前記リソースの割り当て方法は以下のスッテプを含む：
ステップ４０１：第１の端末は第２の端末によって送信されるＢＳＲ情報を受信する。
【００３７】
本開示の実施形態では、前記第１の端末および前記第２の端末は、携帯電話、タブレットコンピュータ、車載端末、ウェアラブルデバイス、およびノートブックなど、ネットワークと通信することができる任意の装置であってもよい。さらに、前記第１の端末および前記第２の端末は、同じタイプの端末または異なるタイプの端末であってもよい。例えば、第１の端末は携帯電話であるが、第２の端末は車載端末である。または例えば、第１の端末は車載端末Ａであるが、第２の端末は車載端末Ｂである。
【００３８】
なお、第１の端末は、グループキャスト通信のグループヘッドであり、第２の端末は、グループキャスト通信のグループメンバーであってもよいが、これに限定されるものではない。第１の端末によって実施される方法は、ロードサイドユニット（ＲＳＵ、Ｒｏａｄ  Ｓｉｄｅ  Ｕｎｉｔ）にも適用され、第１の伝送リソースをＲＳＵを介して第２の端末に割り当ててもよい。
【００３９】
本開示の実施形態では、前記第１の端末と前記第２の端末は、互いに直接通信することができる。具体的には、前記第１の端末は、前記第２の端末によって送信される第１のサイドリンク伝送チャネルを受信する。前記第１のサイドリンク伝送チャネルは、ＢＳＲ情報を運ぶ。
【００４０】
さらに、前記第１のサイドリンク伝送チャネルは、第１のサイドリンク制御チャネルまたは第１のサイドリンクデータチャネルであってもよい。ここで、第１のサイドリンク制御チャネルは、例えば、物理サイドリンク制御チャネル（ＰＳＣＣＨ、Ｐｈｙｓｉｃａｌ  Ｓｉｄｅｌｉｎｋ  Ｃｏｎｔｒｏｌ  Ｃｈａｎｎｅｌ）であり、第１のサイドリンクデータチャネルは、例えば、物理サイドリンク共有チャネル（ＰＳＳＣＨ、Ｐｈｙｓｉｃａｌ  Ｓｉｄｅｌｉｎｋ  Ｓｈａｒｅｄ  Ｃｈａｎｎｅｌ）であってもよい。以下、第１のサイドリンク制御チャネルと第１のサイドリンクデータチャネルとをそれぞれ説明する。本開示の実施形態は、前記第１のサイドリンク伝送チャネルが他のタイプのサイドリンク伝送チャネルである場合にも適用可能であることを理解されたい。例えば、前記第１のサイドリンク伝送チャネルはサイドリンクフィードバックチャネルであり、前記サイドリンクフィードバックチャネルが前記ＢＳＲ情報を運んでもよいが、本開示はこれに制限しない。
【００４１】
１）前記第１のサイドリンク伝送チャネルは、第１のサイドリンク制御チャネルであり、前記第１のサイドリンク制御チャネルにおける第１のサイドリンク制御情報は、前記ＢＳＲ情報を運ぶ。
【００４２】
ここで、第１のサイドリンク制御チャネルは、第１のサイドリンク制御情報を伝送するためである。ここで、第１のサイドリンク制御情報は、例えば、サイドリンク制御情報（ＳＣＩ、Ｓｉｄｅｌｉｎｋ  Ｃｏｎｔｒｏｌ  Ｉｎｆｏｒｍａｔｉｏｎ）である。中には、第１のサイドリンク制御情報は、主に、ＰＳＣＣスケジューリングにおけるＰＳＳＣＨの時間周波数リソース情報、変調および符号化方式（ＭＣＳ、Ｍｏｄｕｌａｔｉｏｎ  ａｎｄ  Ｃｏｄｉｎｇ  Ｓｃｈｅｍｅ）情報などのスケジューリング情報を含む。スキーム１）において、ＰＳＣＣのＳＣＩに前記ＢＳＲ情報が運ばれる。
【００４３】
オプションで、前記第１のサイドリンク制御情報は第１の情報フィールドを運び、前記第１の情報フィールドは前記第１のサイドリンク制御情報が前記ＢＳＲ情報を運ぶことを示す。
【００４４】
オプションで、前記第１のサイドリンク制御情報は第２の情報フィールドを運び、前記第２の情報フィールドは前記ＢＳＲ情報を示す。
【００４５】
たとえば、ＰＳＣＣＨのＳＣＩが前記ＢＳＲ情報を運ぶことを考えると、ＳＣＩに情報フィールド、つまり第２の情報フィールドを追加する必要がある。前記第２の情報フィールドは、前記ＢＳＲ情報を示すためである。さらに、異なるＳＣＩフォーマットが異なるコンテンツを運ぶことを考えると、ＳＣＩにもう１つの情報フィールド、つまり第１の情報フィールドを追加する必要がある。前記第１の情報フィールドは、前記第１のサイドリンク制御情報が前記ＢＳＲ情報を運ぶことを示すためである。たとえば、ＳＣＩには１ビットの情報があり、当該ビットが０である場合は当該ＳＣＩがＰＳＳＣＨのスケジュールに使用されることを示し、当該ビットが１である場合は当該ＳＣＩがＢＳＲ情報の伝送に使用されることを示す。
【００４６】
スキーム１）において、第２の端末は第１のサイドリンク制御チャネルを通して第１の端末にＢＳＲ情報を送信する。オプションで、第２の端末は下記の方式で第１の端末にＳＲ情報を送信することができる。
【００４７】
１．１）第２の端末は第１のサイドリンク制御チャネルを通して第１の端末にＳＲ情報を送信する。
【００４８】
具体的に、前記第１のサイドリンク制御情報は第４の情報フィールドを運び、前記第４の情報フィールドは前記ＳＲ情報を示すためである。さらに、前記第１のサイドリンク制御情報は第３の情報フィールドを運び、前記第３の情報フィールドは前記第１のサイドリンク制御情報が前記ＳＲ情報を運ぶことを示すためである。
【００４９】
たとえば、ＰＳＣＣＨのＳＣＩが前記ＳＲ情報を運ぶことを考えると、ＳＣＩに情報フィールド、つまり第４の情報フィールドを追加する必要がある。前記第４の情報フィールドは、前記ＳＲ情報を示すためである。さらに、異なるＳＣＩフォーマットが異なるコンテンツを運ぶことを考えると、ＳＣＩにもう１つの情報フィールド、つまり第３の情報フィールドを追加する必要がある。前記第３の情報フィールドは、前記第１のサイドリンク制御情報が前記ＳＲ情報を運ぶことを示すためである。たとえば、ＳＣＩには１ビットの情報があり、当該ビットが０である場合は当該ＳＣＩがＰＳＳＣＨのスケジュールに使用されることを示し、当該ビットが１である場合は当該ＳＣＩがＳＲ情報の伝送に使用されることを示す。
【００５０】
この実施形態では、第１のサイドリンク制御情報は、前記ＳＲ情報と前記ＢＳＲ情報の両方を運ぶ。
【００５１】
たとえば、ＳＣＩは、ＳＲ情報の伝送にも、ＢＳＲ情報の伝送にも、およびＰＳＳＣＨスケジューリング情報の伝送にも使用できるため、２ビットのフィールドをＳＣＩに含めてもよい。当該フィールドが００の場合は、当該ＳＣＩがＰＳＳＣＨのスケジュールに使用されることを示し、当該フィールドが０１の場合は、当該ＳＣＩがＳＲ情報の伝送に使用されることを示し、当該フィールドが１０の場合は、当該ＳＣＩがＢＳＲ情報の伝送に使用されることを示す。
【００５２】
１．２）第２の端末は第２のサイドリンク伝送チャネルを通して第１の端末にＳＲ情報を送信する。
【００５３】
ここで、前記第２のサイドリンク伝送チャネルは、第２のサイドリンク制御チャネルまたは第２のサイドリンクデータチャネルであってもよい。
【００５４】
一実施形態では、前記第２のサイドリンク伝送チャネルは、第２のサイドリンク制御チャネルであり、前記第２のサイドリンク制御チャネルにおける第２のサイドリンク制御情報は、前記ＳＲ情報を運ぶ。
【００５５】
オプションで、前記第２のサイドリンク制御情報は第５の情報フィールドを運び、前記第５の情報フィールドは前記第２のサイドリンク制御情報が前記ＳＲ情報を運ぶことを示す。
【００５６】
オプションで、前記第２のサイドリンク制御情報は第６の情報フィールドを運び、前記第６の情報フィールドは前記ＳＲ情報を示す。
【００５７】
第２のサイドリンク制御情報と第１のサイドリンク制御情報は２つの異なるサイドリンク制御情報であることは明らかにされたい。第１のサイドリンク制御情報はＰＳＣＣＨ１であると想定され、第２のサイドリンク制御情報はＰＳＣＣＨ２と想定されると、ＰＳＣＣＨ１のＳＣＩはＢＳＲ情報を運び、ＰＳＣＣＨ２のＳＣＩはＳＲ情報を運ぶ。
【００５８】
同じ理由で、ＰＳＣＣＨ２のＳＣＩに１つの情報フィールド、つまり第６の情報フィールドを追加する必要がある。前記第６の情報フィールドは、前記ＳＲ情報を示すためである。さらに、異なるＳＣＩフォーマットが異なるコンテンツを運ぶことを考えると、ＰＳＣＣＨ２のＳＣＩにもう１つの情報フィールド、つまり第５の情報フィールドを追加する必要がある。前記第５の情報フィールドは、ＰＳＣＣＨ２のＳＣＩが前記ＳＲ情報を運ぶことを示すためである。たとえば、ＳＣＩには１ビットの情報があり、当該ビットが０である場合は当該ＳＣＩがＰＳＳＣＨのスケジュールに使用されることを示し、当該ビットが１である場合は当該ＳＣＩがＳＲ情報の伝送に使用されることを示す。
【００５９】
別の一実施形態では、前記第２のサイドリンク伝送チャネルは、第２のサイドリンクデータチャネルであり、前記第２のサイドリンクデータチャネルにおけるデータは、前記ＳＲ情報を運ぶ。
【００６０】
また別の一実施形態では、前記第２のサイドリンク伝送チャネルは、第１のシーケンスであり、前記第１のシーケンスは、前記ＳＲ情報を示すためである。
【００６１】
さらに、前記第１のシーケンスは、前記第１の端末の識別情報、前記第２の端末の識別情報、および前記第１の端末と前記第２の端末が配置されているグループのグループ識別情報の少なくとも１つに基づいて生成される。
【００６２】
ここで、第１の端末がシーケンス検出により第１のシーケンスを検出した場合、ＳＲ情報が検出されたと判断することができる。例えば、第１の端末は、ローカルで生成されるシーケンスに従って、受信された信号との相関演算を実行し、相関演算のピーク値がしきい値を超える場合、ＳＲ情報が検出されたと判断され、そうでない場合、ＳＲ情報が検出されていない。当該しきい値は、事前定義されるか、事前設定されるか、ネットワークで設定されてもよい。
【００６３】
２）前記第１のサイドリンク伝送チャネルは、第１のサイドリンクデータチャネルであり、前記第１のサイドリンクデータチャネルにおけるデータは、前記ＢＳＲ情報を運ぶ。
【００６４】
ここで、第１のサイドリンクデータチャネルはデータを伝送するためである。一例では、前記ＢＳＲ情報は、データとして前記第１のサイドリンクデータチャネルで運ばれてもよい。
【００６５】
スキーム２）において、第２の端末は第１のサイドリンクデータチャネルを通して第１の端末にＢＳＲ情報を送信する。オプションで、第２の端末は下記の方式で第１の端末にＳＲ情報を送信することができる。
【００６６】
２．１）第２の端末は前記第１のサイドリンクデータチャネルを通して前記第１の端末にＳＲ情報を送信する。
【００６７】
この実施形態では、第１のサイドリンクデータチャネルは、前記ＳＲ情報と前記ＢＳＲ情報の両方を運ぶ。
【００６８】
２．２）第２の端末は第２のサイドリンク伝送チャネルを通して第１の端末にＳＲ情報を送信する。
【００６９】
ここで、前記第２のサイドリンク伝送チャネルは、第２のサイドリンク制御チャネルまたは第２のサイドリンクデータチャネルであってもよい。
【００７０】
一実施形態では、前記第２のサイドリンク伝送チャネルは、第２のサイドリンク制御チャネルであり、前記第２のサイドリンク制御チャネルにおける第２のサイドリンク制御情報は、前記ＳＲ情報を運ぶ。
【００７１】
オプションで、前記第２のサイドリンク制御情報は第５の情報フィールドを運び、前記第５の情報フィールドは前記第２のサイドリンク制御情報が前記ＳＲ情報を運ぶことを示す。
【００７２】
オプションで、前記第２のサイドリンク制御情報は第６の情報フィールドを運び、前記第６の情報フィールドは前記ＳＲ情報を示す。
【００７３】
たとえば、第２のサイドリンク制御チャネルはＰＳＣＣＨであると想定され、ＰＳＣＣＨにおけるＳＣＩは前記ＳＲ情報を運ぶ。
【００７４】
同じ理由で、ＰＳＣＣＨのＳＣＩに１つの情報フィールド、つまり第６の情報フィールドを追加する必要がある。前記第６の情報フィールドは、前記ＳＲ情報を示すためである。さらに、異なるＳＣＩフォーマットが異なるコンテンツを運ぶことを考えると、ＰＳＣＣＨのＳＣＩにもう１つの情報フィールド、つまり第５の情報フィールドを追加する必要がある。前記第５の情報フィールドは、ＰＳＣＣＨのＳＣＩが前記ＳＲ情報を運ぶことを示すためである。たとえば、ＳＣＩには１ビットの情報があり、当該ビットが０である場合は当該ＳＣＩがＰＳＳＣＨのスケジュールに使用されることを示し、当該ビットが１である場合は当該ＳＣＩがＳＲ情報の伝送に使用されることを示す。
【００７５】
別の一実施形態では、前記第２のサイドリンク伝送チャネルは、第２のサイドリンクデータチャネルであり、前記第２のサイドリンクデータチャネルにおけるデータは、前記ＳＲ情報を運ぶ。
【００７６】
また別の一実施形態では、前記第２のサイドリンク伝送チャネルは、第１のシーケンスであり、前記第１のシーケンスは、前記ＳＲ情報を示すためである。
【００７７】
さらに、前記第１のシーケンスは、前記第１の端末の識別情報、前記第２の端末の識別情報、および前記第１の端末と前記第２の端末が配置されているグループのグループ識別情報の少なくとも１つに基づいて生成される。
【００７８】
ここで、第１の端末がシーケンス検出により第１のシーケンスを検出した場合、ＳＲ情報が検出されたと判断することができる。例えば、第１の端末は、ローカルで生成されるシーケンスに従って、受信された信号との相関演算を実行し、相関演算のピーク値がしきい値を超える場合、ＳＲ情報が検出されたと判断され、そうでない場合、ＳＲ情報が検出されていない。しきい値は、事前定義されるか、事前設定されるか、ネットワークで設定されてもよい。
【００７９】
本開示の実施形態では、第１のサイドリンク伝送チャネルは、第２の伝送リソースにおいて送信される。具体的に、前記第１の端末は第２の伝送リソースを決定し、前記第１の端末は前記第２の伝送リソースにおいて、前記第２の端末によって送信される前記第１のサイドリンク伝送チャネルを受信する。
【００８０】
さらに、前記第１の端末は第２の伝送リソースを決定することは、
前記第１の端末は、事前設定情報に従って前記第２の伝送リソースを決定すること、または、
前記第１の端末は、ネットワーク設定情報に従って前記第２の伝送リソースを決定すること、または、
前記第１の端末は、第３の端末によって送信されるリソース設定情報を受信し、前記リソース設定情報に従って前記第２の伝送リソースを決定すること、または、
前記第１の端末は、第２の端末に送信されるＳＲ情報を受信し、前記第１の端末は、前記ＳＲ情報に従って第２の端末に割り当てられる伝送リソースを第２の伝送リソースとして決定することとを含む。
【００８１】
例えば、前記第１の端末および前記第２の端末がセル内にある場合、ネットワーク装置は、前記第２の伝送リソースを前記第２の端末に割り当てることができ、前記第２の伝送リソースは、前記第２の端末が前記第１の端末に第１のサイドリンク伝送チャネルを送信するのに使用される。同時に、ネットワーク装置は、前記第２の伝送リソースの情報を前記第２の端末に送信することができるので、前記第１の端末は、ネットワーク装置に指定される第２の伝送リソースにおいて第２の端末によって送信される第１のサイドリンク伝送チャネルを受信することができる。
【００８２】
別の例では、第１の端末、第２の端末、および第３の端末は、第１の伝送グループを形成し、中には当該第３の端末は伝送グループのグループヘッドであり、第１の端末および第２の端末はグループメンバーであり、当該第３の端末はグループメンバーであってもよい。たとえば、第２の端末は前記第２の伝送リソースを割り当て、当該第２の伝送リソース情報を第１の端末に送信するので、第２の端末は、当該第２の伝送リソースにおいて第１のサイドリンク伝送チャネルを送信することができ、第１の端末は、当該第２の伝送リソースにおいて当該第１のサイドリンク伝送チャネルを受信することができる。
【００８３】
別の例では、第２の端末は、ＳＲ情報を第１の端末に送信し、第１の端末は、受信される第１の端末によって送信されるＳＲ情報に従って、ＢＳＲ情報伝送するためのリソースを第１の端末に割り当て、当該リソースは第２の伝送リソースである。第２の端末は、当該第２の伝送リソースにおいて第１のサイドリンク伝送チャネルを送信し、当該第１のサイドリンク伝送チャネルでＢＳＲ情報を運び、第１の端末は、当該第２の伝送リソースにおいて  第２の端末によって送信される第１のサイドリンク伝送チャネルを受信する。
【００８４】
ステップ４０２：前記第１の端末は、第１の伝送リソースを前記第２の端末に割り当てる。
【００８５】
一実施形態では、サイドリンクの伝送リソースはネットワークによって割り当てられる。前記第１の端末は前記ＢＳＲをネットワークに送信し、ネットワーク側からサイドリンクリソース割り当て情報を受信する。前記第１の端末は前記サイドリンクリソース割り当て情報に基づき、第１の伝送リソースを前記第２の端末に割り当てる。
【００８６】
一実施形態では、サイドリンクの伝送リソースは端末によって独立して決定される。前記第１の端末は、前記ＢＳＲに基づき、第１の伝送リソースを前記第２の端末に割り当てる。さらに、前記第１の端末は、前記ＢＳＲに基づき、伝送リソースセットから第１の伝送リソースを前記第２の端末に割り当てることとを含む。オプションで、前記伝送リソースセットは、事前設定されるか、ネットワーク設定されるか、または前記第１の端末がセンシングによって取得されるリソースセットである。
【００８７】
ここで、第２の端末から第１の端末に報告されるＢＳＲ情報は、第１の端末の特定または複数の論理チャネルグループで現在送信する必要なデータ量を示すためであり、ネットワーク側または第２の端末が一部の伝送リソースを第１の端末に割り当てることを望んでいる。
【００８８】
一実施形態では、第２の端末はＢＳＲ情報を第１の端末に送信して伝送リソースを要求するとき、第１の情報を第１の端末に送信し、第１の端末のリソーススケジューリングを支援することができる。具体的には、前記第１の端末は、前記第２の端末によって送信される第１の情報を受信する。前記第１の情報は、チャネル品質指標（ＣＱＩ、Ｃｈａｎｎｅｌ  Ｑｕａｌｉｔｙ  Ｉｎｄｉｃａｔｏｒ）、チャネル状態表示情報（ＣＳＩ、Ｃｈａｎｎｅｌ  Ｓｔａｔｅ  Ｉｎｆｏｒｍａｔｉｏｎ）、変調および符号化方式（ＭＣＳ、Ｍｏｄｕｌａｔｉｏｎ  ａｎｄ  Ｃｏｄｉｎｇ  Ｓｃｈｅｍｅ）、候補伝送リソース表示情報のうちの少なくとも１つの情報を含む。ここで、前記候補伝送リソース表示情報は、第１のリソース選択ウィンドウ内の利用可能な伝送リソースを示すために使用される。前記第１の端末は、前記ＢＳＲ情報および前記第１の情報に基づいて、前記第１の伝送リソースを前記第２の端末に割り当てる。
【００８９】
上記の案において、前記第２の端末によって割り当てられる前記第１の伝送リソースが前記第２の端末と前記第１の端末とのサイドリンクデータ伝送に使用される場合、前記ＣＱＩおよび／または前記ＣＳＩは、前記第２の端末と前記第１の端末との間のチャネル品質である。前記第２の端末によって割り当てられる前記第１の伝送リソースが前記第２の端末と第３の端末とのサイドリンクデータ伝送に使用される場合、前記ＣＱＩおよび／または前記ＣＳＩは、前記第２の端末と前記第３の端末との間のチャネル品質である。
【００９０】
オプションで、前記第１のリソース選択ウィンドウは、次の方法で決定されてもよい：
前記第１の端末は、事前設定情報に従って前記第１のリソース選択ウィンドウを決定すること、または、
前記第１の端末は、ネットワーク設定情報に従って前記第１のリソース選択ウィンドウを決定すること、または、
前記第１の端末は、第３の端末によって送信される設定情報を受信し、前記設定情報に従って前記第１のリソース選択ウィンドウを決定すること。
【００９１】
具体的には、事前設定情報、ネットワーク設定情報、または第３の端末によって送信される設定情報は、以下のうちの少なくとも１つを含んでもよい：
第１のリソース選択ウィンドウ内の各伝送リソースが占めるリソースのサイズ、
第１のリソース選択ウィンドウの開始時間領域の位置情報、
第１のリソース選択ウィンドウの終了時間領域の位置情報、
第１のリソース選択ウィンドウの時間領域の長さ情報、
第１のリソース選択ウィンドウの周波数領域の開始位置情報、
第１のリソース選択ウィンドウの周波数領域の終了位置情報、
第１のリソース選択ウィンドウの周波数領域の長さ情報。
【００９２】
ここで、サイドリンク伝送では、各端末周辺の干渉環境が異なることを考慮すると、第２端末がセンシング（ｓｅｎｓｉｎｇ）により取得する利用可能な伝送リソースと、第１端末がセンシングにより取得する利用可能な伝送リソースが異なる可能性がある。第１の端末を補助してリソース割り当てを行うため、第２の端末は、前記第２の端末によってセンシングされる１つまたは複数の利用可能なリソースを第１の端末に示してもよく、第２の端末は、候補伝送リソース表示情報を第１の端末に送信して、１つまたは複数の利用可能な伝送リソースを示す。
【００９３】
オプションで、候補伝送リソース表示情報は、利用可能な伝送リソースの数に関する情報、各利用可能な伝送リソースの時間周波数位置情報を示すためである。
【００９４】
オプションで、当該１つ以上の利用可能なリソースは、第１のリソース選択ウィンドウ内で選択される利用可能なリソースである。当該第１のリソース選択ウィンドウは、事前設定情報、ネットワーク設定情報、または第３の端末によって送信される設定情報に従って決定される。
【００９５】
一実施形態では、前記第１のリソース選択ウィンドウのパラメータの一部または全部は、前記第１の端末によって設定されるか、または事前設定されるか、またはネットワーク設定されるか、または他の装置によって設定される。
【００９６】
上記の案では、前記第１の情報は第３のサイドリンク伝送チャネルに運ばれてもよく、つまり、前記第１の端末は、前記第２の端末によって送信される前記第３のサイドリンク伝送チャネルを受信し、前記第３のサイドリンク伝送チャネルは、前記第１の情報を運ぶ。ここで、前記第３のサイドリンク伝送チャネルは、前記第１のサイドリンク伝送チャネルと同一サイドリンク伝送チャネルであってもよく、または異なるサイドリンク伝送チャネルであってもよい。
【００９７】
図５は、本開示の実施形態によって提供されるリソースの割り当て方法のフローチャートの第２の模式図である。図５に示すように、前記リソースの割り当て方法は以下のスッテプを含む：
ステップ５０１：第２の端末は、第１の端末に、前記第１の端末が第１の伝送リソースを前記第２の端末に割り当てるためのＢＳＲ情報を送信する。
【００９８】
本開示の実施形態では、前記第１の端末および前記第２の端末は、携帯電話、タブレットコンピュータ、車載端末、ウェアラブルデバイス、およびノートブックなど、ネットワークと通信することができる任意の装置であってもよい。さらに、前記第１の端末および前記第２の端末は、同じタイプの端末または異なるタイプの端末であってもよい。例えば、第１の端末は携帯電話であるが、第２の端末は車載端末である。または例えば、第１の端末は車載端末Ａであるが、第２の端末は車載端末Ｂである。
【００９９】
なお、第１の端末は、グループキャスト通信のグループヘッドであり、第２の端末は、グループキャスト通信のグループメンバーであってもよいが、これに限定されるものではない。第１の端末によって実施される方法は、ＲＳＵにも適用され、前記第１の伝送リソースをＲＳＵを介して第２の端末に割り当ててもよい。
【０１００】
本開示の実施形態では、前記第１の端末と前記第２の端末は、互いに直接通信することができる。具体には、前記第２の端末は、前記第１の端末に第１のサイドリンク伝送チャネルを送信し、前記第１のサイドリンク伝送チャネルは、ＢＳＲ情報を運ぶ。
【０１０１】
さらに、前記第１のサイドリンク伝送チャネルは、第１のサイドリンク制御チャネルまたは第１のサイドリンクデータチャネルであってもよい。ここで、第１のサイドリンク制御チャネルは、例えば、ＰＳＣＣＨであり、第１のサイドリンクデータチャネルは、例えば、ＰＳＳＣＨであってもよい。以下、第１のサイドリンク制御チャネルと第１のサイドリンクデータチャネルとをそれぞれ説明する。本開示の実施形態は、前記第１のサイドリンク伝送チャネルが他のタイプのサイドリンク伝送チャネルである場合にも適用可能であることを理解されたい。例えば、前記第１のサイドリンク伝送チャネルはサイドリンクフィードバックチャネルであり、前記サイドリンクフィードバックチャネルが前記ＢＳＲ情報を運んでもよいが、本開示はこれに制限しない。
【０１０２】
１）前記第１のサイドリンク伝送チャネルは、第１のサイドリンク制御チャネルであり、前記第１のサイドリンク制御チャネルにおける第１のサイドリンク制御情報は、前記ＢＳＲ情報を運ぶ。
【０１０３】
ここで、第１のサイドリンク制御チャネルは、第１のサイドリンク制御情報を伝送するためである。ここで、第１のサイドリンク制御情報は、例えば、ＳＣＩである。中には、第１のサイドリンク制御情報は、主に、ＰＳＣＣスケジューリングにおけるＰＳＳＣＨの時間周波数リソース情報、ＭＣＳなどのスケジューリング情報を含む。スキーム１）において、ＰＳＣＣのＳＣＩに前記ＢＳＲ情報が運ばれる。
【０１０４】
オプションで、前記第１のサイドリンク制御情報は第１の情報フィールドを運び、前記第１の情報フィールドは前記第１のサイドリンク制御情報が前記ＢＳＲ情報を運ぶことを示す。
【０１０５】
オプションで、前記第１のサイドリンク制御情報は第２の情報フィールドを運び、前記第２の情報フィールドは前記ＢＳＲ情報を示す。
【０１０６】
たとえば、ＰＳＣＣＨのＳＣＩが前記ＢＳＲ情報を運ぶことを考えると、ＳＣＩに情報フィールド、つまり第２の情報フィールドを追加する必要がある。前記第２の情報フィールドは、前記ＢＳＲ情報を示すためである。さらに、異なるＳＣＩフォーマットが異なるコンテンツを運ぶことを考えると、ＳＣＩにもう１つの情報フィールド、つまり第１の情報フィールドを追加する必要がある。前記第１の情報フィールドは、前記第１のサイドリンク制御情報が前記ＢＳＲ情報を運ぶことを示すためである。たとえば、ＳＣＩには１ビットの情報があり、当該ビットが０である場合は当該ＳＣＩがＰＳＳＣＨのスケジュールに使用されることを示し、当該ビットが１である場合は当該ＳＣＩがＢＳＲ情報の伝送に使用されることを示す。
【０１０７】
スキーム１）において、第２の端末は第１のサイドリンク制御チャネルを通して第１の端末にＢＳＲ情報を送信する。オプションで、第２の端末は下記の方式で第１の端末にＳＲ情報を送信することができる。
【０１０８】
１．１）第２の端末は第１のサイドリンク制御チャネルを通して第１の端末にＳＲ情報を送信する。
【０１０９】
具体的に、前記第１のサイドリンク制御情報は第４の情報フィールドを運び、前記第４の情報フィールドは前記ＳＲ情報を示すためである。さらに、前記第１のサイドリンク制御情報は第３の情報フィールドを運び、前記第３の情報フィールドは前記第１のサイドリンク制御情報が前記ＳＲ情報を運ぶことを示すためである。
【０１１０】
たとえば、ＰＳＣＣＨのＳＣＩが前記ＳＲ情報を運ぶことを考えると、ＳＣＩに情報フィールド、つまり第４の情報フィールドを追加する必要がある。前記第４の情報フィールドは、前記ＳＲ情報を示すためである。さらに、異なるＳＣＩフォーマットが異なるコンテンツを運ぶことを考えると、ＳＣＩにもう１つの情報フィールド、つまり第３の情報フィールドを追加する必要がある。前記第３の情報フィールドは、前記第１のサイドリンク制御情報が前記ＳＲ情報を運ぶことを示すためである。たとえば、ＳＣＩには１ビットの情報があり、当該ビットが０である場合は当該ＳＣＩがＰＳＳＣＨのスケジュールに使用されることを示し、当該ビットが１である場合は当該ＳＣＩがＳＲ情報の伝送に使用されることを示す。
【０１１１】
この実施形態では、第１のサイドリンク制御情報は、前記ＳＲ情報と前記ＢＳＲ情報の両方を運ぶ。
【０１１２】
たとえば、ＳＣＩは、ＳＲ情報の伝送にも、ＢＳＲ情報の伝送にも、およびＰＳＳＣＨスケジューリング情報の伝送にも使用できるため、２ビットのフィールドをＳＣＩに含めてもよい。当該フィールドが００の場合は、当該ＳＣＩがＰＳＳＣＨのスケジュールに使用されることを示し、当該フィールドが０１の場合は、当該ＳＣＩがＳＲ情報の伝送に使用されることを示し、当該フィールドが１０の場合は、当該ＳＣＩがＢＳＲ情報の伝送に使用されることを示す。
【０１１３】
１．２）前記第２の端末は、前記第１の端末に第２のサイドリンク伝送チャネルを送信し、前記第２のサイドリンク伝送チャネルは、ＳＲ情報を運ぶ。
【０１１４】
ここで、前記第２のサイドリンク伝送チャネルは、第２のサイドリンク制御チャネルまたは第２のサイドリンクデータチャネルであってもよい。
【０１１５】
一実施形態では、前記第２のサイドリンク伝送チャネルは、第２のサイドリンク制御チャネルであり、前記第２のサイドリンク制御チャネルにおける第２のサイドリンク制御情報は、前記ＳＲ情報を運ぶ。
【０１１６】
オプションで、前記第２のサイドリンク制御情報は第５の情報フィールドを運び、前記第５の情報フィールドは前記第２のサイドリンク制御情報が前記ＳＲ情報を運ぶことを示す。
【０１１７】
オプションで、前記第２のサイドリンク制御情報は第６の情報フィールドを運び、前記第６の情報フィールドは前記ＳＲ情報を示す。
【０１１８】
第２のサイドリンク制御情報と第１のサイドリンク制御情報は２つの異なるサイドリンク制御情報であることは明らかにされたい。第１のサイドリンク制御情報はＰＳＣＣＨ１であると想定され、第２のサイドリンク制御情報はＰＳＣＣＨ２と想定されると、ＰＳＣＣＨ１のＳＣＩはＢＳＲ情報を運び、ＰＳＣＣＨ２のＳＣＩはＳＲ情報を運ぶ。
【０１１９】
同じ理由で、ＰＳＣＣＨ２のＳＣＩに１つの情報フィールド、つまり第６の情報フィールドを追加する必要がある。前記第６の情報フィールドは、前記ＳＲ情報を示すためである。さらに、異なるＳＣＩフォーマットが異なるコンテンツを運ぶことを考えると、ＰＳＣＣＨ２のＳＣＩにもう１つの情報フィールド、つまり第５の情報フィールドを追加する必要がある。前記第５の情報フィールドは、ＰＳＣＣＨ２のＳＣＩが前記ＳＲ情報を運ぶことを示すためである。たとえば、ＳＣＩには１ビットの情報があり、当該ビットが０である場合は当該ＳＣＩがＰＳＳＣＨのスケジュールに使用されることを示し、当該ビットが１である場合は当該ＳＣＩがＳＲ情報の伝送に使用されることを示す。
【０１２０】
別の一実施形態では、前記第２のサイドリンク伝送チャネルは、第２のサイドリンクデータチャネルであり、前記第２のサイドリンクデータチャネルにおけるデータは、前記ＳＲ情報を運ぶ。
【０１２１】
また別の一実施形態では、前記第２のサイドリンク伝送チャネルは、第１のシーケンスであり、前記第１のシーケンスは、前記ＳＲ情報を示すためである。
【０１２２】
さらに、前記第１のシーケンスは、前記第１の端末の識別情報、前記第２の端末の識別情報、および前記第１の端末と前記第２の端末が配置されているグループのグループ識別情報の少なくとも１つに基づいて生成される。
【０１２３】
ここで、第１の端末がシーケンス検出により第１のシーケンスを検出した場合、ＳＲ情報が検出されたと判断することができる。例えば、第１の端末は、ローカルで生成されるシーケンスに従って、受信された信号との相関演算を実行し、相関演算のピーク値がしきい値を超える場合、ＳＲ情報が検出されたと判断され、そうでない場合、ＳＲ情報が検出されていない。当該しきい値は、事前定義されるか、事前設定されるか、ネットワークで設定されてもよい。
【０１２４】
２）前記第１のサイドリンク伝送チャネルは、第１のサイドリンクデータチャネルであり、前記第１のサイドリンクデータチャネルにおけるデータは、前記ＢＳＲ情報を運ぶ。
【０１２５】
ここで、第１のサイドリンクデータチャネルはデータを伝送するためである。一例では、前記ＢＳＲ情報は、データとして前記第１のサイドリンクデータチャネルで運ばれてもよい。
【０１２６】
スキーム２）において、第２の端末は第１のサイドリンクデータチャネルを通して第１の端末にＢＳＲ情報を送信する。オプションで、第２の端末は下記の方式で第１の端末にＳＲ情報を送信することができる。
【０１２７】
２．１）第２の端末は前記第１のサイドリンクデータチャネルを通して前記第１の端末にＳＲ情報を送信する。
【０１２８】
この実施形態では、第１のサイドリンクデータチャネルは、前記ＳＲ情報と前記ＢＳＲ情報の両方を運ぶ。
【０１２９】
２．２）第２の端末は第２のサイドリンク伝送チャネルを通して第１の端末にＳＲ情報を送信する。
【０１３０】
ここで、前記第２のサイドリンク伝送チャネルは、第２のサイドリンク制御チャネルまたは第２のサイドリンクデータチャネルであってもよい。
【０１３１】
一実施形態では、前記第２のサイドリンク伝送チャネルは、第２のサイドリンク制御チャネルであり、前記第２のサイドリンク制御チャネルにおける第２のサイドリンク制御情報は、前記ＳＲ情報を運ぶ。
【０１３２】
オプションで、前記第２のサイドリンク制御情報は第５の情報フィールドを運び、前記第５の情報フィールドは前記第２のサイドリンク制御情報が前記ＳＲ情報を運ぶことを示す。
【０１３３】
オプションで、前記第２のサイドリンク制御情報は第６の情報フィールドを運び、前記第６の情報フィールドは前記ＳＲ情報を示す。
【０１３４】
たとえば、第２のサイドリンク制御チャネルはＰＳＣＣＨであると想定され、ＰＳＣＣＨにおけるＳＣＩは前記ＳＲ情報を運ぶ。
【０１３５】
同じ理由で、ＰＳＣＣＨのＳＣＩに１つの情報フィールド、つまり第６の情報フィールドを追加する必要がある。前記第６の情報フィールドは、前記ＳＲ情報を示すためである。さらに、異なるＳＣＩフォーマットが異なるコンテンツを運ぶことを考えると、ＰＳＣＣＨのＳＣＩにもう１つの情報フィールド、つまり第５の情報フィールドを追加する必要がある。前記第５の情報フィールドは、ＰＳＣＣＨのＳＣＩが前記ＳＲ情報を運ぶことを示すためである。たとえば、ＳＣＩには１ビットの情報があり、当該ビットが０である場合は当該ＳＣＩがＰＳＳＣＨのスケジュールに使用されることを示し、当該ビットが１である場合は当該ＳＣＩがＳＲ情報の伝送に使用されることを示す。
【０１３６】
別の一実施形態では、前記第２のサイドリンク伝送チャネルは、第２のサイドリンクデータチャネルであり、前記第２のサイドリンクデータチャネルにおけるデータは、前記ＳＲ情報を運ぶ。
【０１３７】
また別の一実施形態では、前記第２のサイドリンク伝送チャネルは、第１のシーケンスであり、前記第１のシーケンスは、前記ＳＲ情報を示すためである。
【０１３８】
さらに、前記第１のシーケンスは、前記第１の端末の識別情報、前記第２の端末の識別情報、および前記第１の端末と前記第２の端末が配置されているグループのグループ識別情報の少なくとも１つに基づいて生成される。
【０１３９】
ここで、第１の端末がシーケンス検出により第１のシーケンスを検出した場合、ＳＲ情報が検出されたと判断することができる。例えば、第１の端末は、ローカルで生成されるシーケンスに従って、受信された信号との相関演算を実行し、相関演算のピーク値がしきい値を超える場合、ＳＲ情報が検出されたと判断され、そうでない場合、ＳＲ情報が検出されていない。当該しきい値は、事前定義されるか、事前設定されるか、ネットワークで設定されてもよい。
【０１４０】
本開示の実施形態では、第１のサイドリンク伝送チャネルは、第２の伝送リソースにおいて送信される。具体に、前記第２の端末は第２の伝送リソースを決定し、前記第２の端末は前記第２の伝送リソースにおいて、前記第１の端末に前記第１のサイドリンク伝送チャネルを送信する。
【０１４１】
さらに、前記第２の端末は第２の伝送リソースを決定することは、
前記第２の端末は、前記第２の伝送リソースを独立して選択すること、または、
前記第２の端末は、事前設定情報に従って前記第２の伝送リソースを決定すること、または、
前記第２の端末は、ネットワーク設定情報に従って前記第２の伝送リソースを決定すること、または、
前記第２の端末は、第３の端末によって送信されるリソース設定情報を受信し、前記リソース設定情報に従って前記第２の伝送リソースを決定すること、または、
前記第２の端末は、第１の端末に送信されるＳＲ情報を受信し、前記第２の端末は、前記ＳＲ情報に従って第１の端末に割り当てられる伝送リソースを第２の伝送リソースとして決定することを含む。
【０１４２】
ここで、前記第２の端末は第２の伝送リソースを独立して選択することは、
前記第２の端末は、リソースプールでセンシングの方式により前記第２の伝送リソースとして１つのリソースを選択すること、または、
前記第２の端末は、前記第２の伝送リソースとして１つのリソースをランダムに選択すること、または、
前記第２の端末は、リソースプールで事前設定或いは事前設定の方式により前記第２の伝送リソースを選択することを含む。例えば、前記第２の端末は、自らの識別情報に従って前記リソースプールで前記第２の伝送リソースを決定する。
【０１４３】
例えば、前記第１の端末および前記第２の端末がセル内にある場合、ネットワーク装置は、前記第２の伝送リソースを前記第２の端末に割り当てることができ、前記第２の伝送リソースは、前記第２の端末が前記第１の端末に第１のサイドリンク伝送チャネルを送信するのに使用される。同時に、ネットワーク装置は、前記第２の伝送リソースの情報を前記第２の端末に送信することができるので、前記第１の端末は、ネットワーク装置に指定される第２の伝送リソースにおいて第２の端末によって送信される第１のサイドリンク伝送チャネルを受信することができる。
【０１４４】
別の例では、第１の端末、第２の端末、および第３の端末は、第１の伝送グループを形成し、中には当該第３の端末は伝送グループのグループヘッドであり、第１の端末および第２の端末はグループメンバーであり、当該第３の端末はグループメンバーであってもよい。たとえば、第２の端末は前記第２の伝送リソースを割り当て、当該第２の伝送リソース情報を第１の端末に送信するので、第２の端末は、当該第２の伝送リソースにおいて第１のサイドリンク伝送チャネルを送信することができ、第１の端末は、当該第２の伝送リソースにおいて当該第１のサイドリンク伝送チャネルを受信することができる。
【０１４５】
別の例では、第２の端末は、ＳＲ情報を第１の端末に送信し、第１の端末は、受信される第１の端末によって送信されるＳＲ情報に従って、ＢＳＲ情報伝送するためのリソースを第１の端末に割り当て、当該リソースは第２の伝送リソースである。第２の端末は、当該第２の伝送リソースにおいて第１のサイドリンク伝送チャネルを送信し、当該第１のサイドリンク伝送チャネルでＢＳＲ情報を運び、第１の端末は、当該第２の伝送リソースにおいて  第２の端末によって送信される第１のサイドリンク伝送チャネルを受信する。
【０１４６】
本開示の実施形態では、第２の端末から第１の端末に報告されるＢＳＲ情報は、第１の端末の特定または複数の論理チャネルグループで現在送信する必要なデータ量を示すためであり、ネットワーク側または第２の端末が一部の伝送リソースを第１の端末に割り当てることを望んでいる。
【０１４７】
一実施形態では、サイドリンクの伝送リソースはネットワークによって割り当てられる。前記第１の端末は前記ＢＳＲをネットワークに送信し、ネットワーク側からサイドリンクリソース割り当て情報を受信する。前記第１の端末は前記サイドリンクリソース割り当て情報に基づき、第１の伝送リソースを前記第２の端末に割り当てる。
【０１４８】
一実施形態では、サイドリンクの伝送リソースは端末によって独立して決定される。前記第１の端末は、前記ＢＳＲに基づき、第１の伝送リソースを前記第２の端末に割り当てる。さらに、前記第１の端末は、前記ＢＳＲに基づき、伝送リソースセットから第１の伝送リソースを前記第２の端末に割り当てることとを含む。オプションで、前記伝送リソースセットは、事前設定されるか、ネットワーク設定されるか、または前記第１の端末がセンシングによって取得されるリソースセットである。
【０１４９】
一実施形態では、第２の端末はＢＳＲ情報を第１の端末に送信して伝送リソースを要求するとき、第１の情報を第１の端末に送信し、第１の端末のリソーススケジューリングを支援することができる。具体的には、前記第２の端末は、前記第１の端末に第１の情報を送信する。前記第１の情報は、ＣＱＩ、ＣＳＩ、ＭＣＳ、候補伝送リソース表示情報のうちの少なくとも１つの情報を含む。ここで、前記候補伝送リソース表示情報は、第１のリソース選択ウィンドウ内の利用可能な伝送リソースを示すために使用される。前記第１の端末は、前記ＢＳＲ情報および前記第１の情報に基づいて、前記第１の伝送リソースを前記第２の端末に割り当てる。
【０１５０】
上記の案において、前記第２の端末によって割り当てられる前記第１の伝送リソースが前記第２の端末と前記第１の端末とのサイドリンクデータ伝送に使用される場合、前記ＣＱＩおよび／または前記ＣＳＩは、前記第２の端末と前記第１の端末との間のチャネル品質である。前記第２の端末によって割り当てられる前記第１の伝送リソースが前記第２の端末と第３の端末とのサイドリンクデータ伝送に使用される場合、前記ＣＱＩおよび／または前記ＣＳＩは、前記第２の端末と前記第３の端末との間のチャネル品質である。
【０１５１】
オプションで、前記第１のリソース選択ウィンドウは、次の方法で決定されてもよい：
前記第１の端末は、事前設定情報に従って前記第１のリソース選択ウィンドウを決定すること、または、
前記第１の端末は、ネットワーク設定情報に従って前記第１のリソース選択ウィンドウを決定すること、または、
前記第１の端末は、第３の端末によって送信される設定情報を受信し、前記設定情報に従って前記第１のリソース選択ウィンドウを決定すること。
【０１５２】
具体的には、事前設定情報、ネットワーク設定情報、または第３の端末によって送信される設定情報は、以下のうちの少なくとも１つを含んでもよい：
第１のリソース選択ウィンドウ内の各伝送リソースが占めるリソースのサイズ、
第１のリソース選択ウィンドウの開始時間領域の位置情報、
第１のリソース選択ウィンドウの終了時間領域の位置情報、
第１のリソース選択ウィンドウの時間領域の長さ情報、
第１のリソース選択ウィンドウの周波数領域の開始位置情報、
第１のリソース選択ウィンドウの周波数領域の終了位置情報、
第１のリソース選択ウィンドウの周波数領域の長さ情報。
【０１５３】
ここで、サイドリンク伝送では、各端末周辺の干渉環境が異なることを考慮すると、第２端末がセンシング（ｓｅｎｓｉｎｇ）により取得する利用可能な伝送リソースと、第１端末がセンシングにより取得する利用可能な伝送リソースが異なる可能性がある。第１の端末を補助してリソース割り当てを行うため、第２の端末は、前記第２の端末によってセンシングされる１つまたは複数の利用可能なリソースを第１の端末に示してもよく、第２の端末は、候補伝送リソース表示情報を第１の端末に送信して、１つまたは複数の利用可能な伝送リソースを示す。
【０１５４】
オプションで、候補伝送リソース表示情報は、利用可能な伝送リソースの数に関する情報、各利用可能な伝送リソースの時間周波数位置情報を示すためである。
【０１５５】
オプションで、当該１つ以上の利用可能なリソースは、第１のリソース選択ウィンドウ内で選択される利用可能なリソースである。当該第１のリソース選択ウィンドウは、事前設定情報、ネットワーク設定情報、または第３の端末によって送信される設定情報に従って決定される。
【０１５６】
一実施形態では、前記第１のリソース選択ウィンドウのパラメータの一部または全部は、前記第１の端末によって設定されるか、または事前設定されるか、またはネットワーク設定されるか、または他の装置によって設定される。
【０１５７】
上記の案では、前記第１の情報は第３のサイドリンク伝送チャネルに運ばれてもよく、つまり、前記第１の端末は、前記第２の端末によって送信される前記第３のサイドリンク伝送チャネルを受信し、前記第３のサイドリンク伝送チャネルは、前記第１の情報を運ぶ。ここで、前記第３のサイドリンク伝送チャネルは、前記第１のサイドリンク伝送チャネルと同一サイドリンク伝送チャネルであってもよく、または異なるサイドリンク伝送チャネルであってもよい。
【０１５８】
図６は、本開示の実施形態によって提供されるリソースの割り当て装置の構成の第１の模式図である。図６に示されるように、前記装置は、
第２の端末によって送信されるＢＳＲ情報を受信するように構成される受信部６０１と、
第１の伝送リソースを前記第２の端末に割り当てるように構成される割り当て部６０２とを備える。
【０１５９】
一実施形態では、前記割り当て部６０２は、前記ＢＳＲ情報に基づき、第１の伝送リソースを前記第２の端末に割り当てるように構成される。
【０１６０】
一実施形態では、前記受信部６０１は、前記第２の端末によって送信される第１のサイドリンク伝送チャネルを受信するように構成され、前記第１のサイドリンク伝送チャネルは、前記ＢＳＲ情報を運ぶ。
【０１６１】
一実施形態では、前記第１のサイドリンク伝送チャネルは、第１のサイドリンク制御チャネルであり、前記第１のサイドリンク制御チャネルにおける第１のサイドリンク制御情報は、前記ＢＳＲ情報を運ぶ。
【０１６２】
一実施形態では、前記第１のサイドリンク制御情報は第１の情報フィールドを運び、前記第１の情報フィールドは前記第１のサイドリンク制御情報が前記ＢＳＲ情報を運ぶことを示す。
【０１６３】
一実施形態では、前記第１のサイドリンク制御情報は第２の情報フィールドを運び、前記第２の情報フィールドは前記ＢＳＲ情報を示す。
【０１６４】
一実施形態では、前記第１のサイドリンク伝送チャネルは、第１のサイドリンクデータチャネルであり、前記第１のサイドリンクデータチャネルにおけるデータは、前記ＢＳＲ情報を運ぶ。
【０１６５】
一実施形態では、前記第１のサイドリンク制御情報は第３の情報フィールドを運び、前記第３の情報フィールドは前記第１のサイドリンク制御情報が前記ＳＲ情報を運ぶことを示すためである。
【０１６６】
一実施形態では、前記第１のサイドリンク制御情報は第４の情報フィールドを運び、前記第４の情報フィールドは前記ＳＲ情報を示すためである。
【０１６７】
一実施形態では、前記第１のサイドリンクデータチャネルにおけるデータは、ＳＲ情報を運ぶ。
【０１６８】
一実施形態では、前記受信部６０１は、さらに前記第２の端末に送信される第２のサイドリンク伝送チャネルを受信するように構成され、前記第２のサイドリンク伝送チャネルは、ＳＲ情報を運ぶ。
【０１６９】
一実施形態では、前記第２のサイドリンク伝送チャネルは、第２のサイドリンク制御チャネルであり、前記第２のサイドリンク制御チャネルにおける第２のサイドリンク制御情報は、前記ＳＲ情報を運ぶ。
【０１７０】
一実施形態では、前記第２のサイドリンク制御情報は第５の情報フィールドを運び、前記第５の情報フィールドは前記第２のサイドリンク制御情報が前記ＳＲ情報を運ぶことを示す。
【０１７１】
一実施形態では、前記第２のサイドリンク制御情報は第６の情報フィールドを運び、前記第６の情報フィールドは前記ＳＲ情報を示す。
【０１７２】
一実施形態では、前記第２のサイドリンク伝送チャネルは、第２のサイドリンクデータチャネルであり、前記第２のサイドリンクデータチャネルにおけるデータは、前記ＳＲ情報を運ぶ。
【０１７３】
一実施形態では、前記第２のサイドリンク伝送チャネルは、第１のシーケンスであり、前記第１のシーケンスは、前記ＳＲ情報を示すためである。
【０１７４】
一実施形態では、前記第１のシーケンスは、前記第１の端末の識別情報、前記第２の端末の識別情報、および前記第１の端末と前記第２の端末が配置されているグループのグループ識別情報の少なくとも１つに基づいて生成される。
【０１７５】
一実施形態では、前記装置は、
第２の伝送リソースを決定するように構成される第１の決定部６０３と、
前記第２の伝送リソースにおいて前記第２の端末によって送信される前記第１のサイドリンク伝送チャネルを受信するように構成される受信部６０１とをさらに備える。
【０１７６】
一実施形態では、前記第１の決定部６０３は、
事前設定情報に従って前記第２の伝送リソースを決定する、または、
ネットワーク設定情報に従って前記第２の伝送リソースを決定する、または、
第３の端末によって送信されるリソース設定情報を受信し、前記リソース設定情報に従って前記第２の伝送リソースを決定する、または、
第２の端末に送信されるＳＲ情報を受信し、前記ＳＲ情報に従って第２の端末に割り当てられる伝送リソースを前記第２の伝送リソースとして決定するように構成される。
【０１７７】
一実施形態では、前記受信部６０１は、さらに前記第２の端末によって送信される第１の情報を受信するように構成され、
前記第１の情報は、ＣＱＩ、ＣＳＩ、ＭＣＳ、候補伝送リソース表示情報のうちの少なくとも１つの情報を含む。ここで、前記候補伝送リソース表示情報は、第１のリソース選択ウィンドウ内の利用可能な伝送リソースを示すために使用される。
【０１７８】
一実施形態では、前記第２の端末によって割り当てられる前記第１の伝送リソースが前記第２の端末と前記第１の端末とのサイドリンクデータ伝送に使用される場合、前記ＣＱＩおよび／または前記ＣＳＩは、前記第２の端末と前記第１の端末との間のチャネル品質である。
【０１７９】
前記第２の端末によって割り当てられる前記第１の伝送リソースが前記第２の端末と第３の端末とのサイドリンクデータ伝送に使用される場合、前記ＣＱＩおよび／または前記ＣＳＩは、前記第２の端末と前記第３の端末との間のチャネル品質である。
【０１８０】
一実施形態では、前記装置は、
事前設定情報に従って前記第１のリソース選択ウィンドウを決定する、または、ネットワーク設定情報に従って前記第１のリソース選択ウィンドウを決定する、または、第３の端末によって送信される設定情報を受信し、前記設定情報に従って前記第１のリソース選択ウィンドウを決定するように構成される第２の決定部を備える。
【０１８１】
一実施形態では、前記受信部６０１は、前記第２の端末によって送信される前記第３のサイドリンク伝送チャネルを受信するように構成され、前記第３のサイドリンク伝送チャネルは、前記第１の情報を運ぶ。
【０１８２】
当業者は、本開示の実施形態による前述のリソースの割り当て装置の関連する説明は、本開示の実施形態によるリソースの割り当て方法の関連する説明を参照して理解できることを理解すべきである。
【０１８３】
図７は、本開示の実施形態によって提供されるリソースの割り当て装置の構成の第２の模式図である。図７に示されるように、前記装置は、
第１の端末に、前記第１の端末が第１の伝送リソースを前記第２の端末に割り当てるためのＢＳＲ情報を送信するように構成される送信部７０１を備える。
【０１８４】
一実施形態では、前記送信部７０１は、前記第２の端末によって送信される第１のサイドリンク伝送チャネルを受信するように構成され、前記第１のサイドリンク伝送チャネルは、前記ＢＳＲ情報を運ぶ。
【０１８５】
一実施形態では、前記第１のサイドリンク伝送チャネルは、第１のサイドリンク制御チャネルであり、前記第１のサイドリンク制御チャネルにおける第１のサイドリンク制御情報は、前記ＢＳＲ情報を運ぶ。
【０１８６】
一実施形態では、前記第１のサイドリンク制御情報は第１の情報フィールドを運び、前記第１の情報フィールドは前記第１のサイドリンク制御情報が前記ＢＳＲ情報を運ぶことを示す。
【０１８７】
一実施形態では、前記第１のサイドリンク制御情報は第２の情報フィールドを運び、前記第２の情報フィールドは前記ＢＳＲ情報を示す。
【０１８８】
一実施形態では、前記第１のサイドリンク伝送チャネルは、第１のサイドリンクデータチャネルであり、前記第１のサイドリンクデータチャネルにおけるデータは、前記ＢＳＲ情報を運ぶ。
【０１８９】
一実施形態では、前記第１のサイドリンク制御情報は第３の情報フィールドを運び、前記第３の情報フィールドは前記第１のサイドリンク制御情報が前記ＳＲ情報を運ぶことを示すためである。
【０１９０】
一実施形態では、前記第１のサイドリンク制御情報は第４の情報フィールドを運び、前記第４の情報フィールドは前記ＳＲ情報を示すためである。
【０１９１】
一実施形態では、前記第１のサイドリンクデータチャネルにおけるデータは、ＳＲ情報を運ぶ。
【０１９２】
一実施形態では、前記送信部７０１は、さらに前記第２の端末に送信される第２のサイドリンク伝送チャネルを受信するように構成され、前記第２のサイドリンク伝送チャネルは、ＳＲ情報を運ぶ。
【０１９３】
一実施形態では、前記第２のサイドリンク伝送チャネルは、第２のサイドリンク制御チャネルであり、前記第２のサイドリンク制御チャネルにおける第２のサイドリンク制御情報は、前記ＳＲ情報を運ぶ。
【０１９４】
一実施形態では、前記第２のサイドリンク制御情報は第５の情報フィールドを運び、前記第５の情報フィールドは前記第２のサイドリンク制御情報が前記ＳＲ情報を運ぶことを示す。
【０１９５】
一実施形態では、前記第２のサイドリンク制御情報は第６の情報フィールドを運び、前記第６の情報フィールドは前記ＳＲ情報を示す。
【０１９６】
一実施形態では、前記第２のサイドリンク伝送チャネルは、第２のサイドリンクデータチャネルであり、前記第２のサイドリンクデータチャネルにおけるデータは、前記ＳＲ情報を運ぶ。
【０１９７】
一実施形態では、前記第２のサイドリンク伝送チャネルは、第１のシーケンスであり、前記第１のシーケンスは、前記ＳＲ情報を示すためである。
【０１９８】
一実施形態では、前記第１のシーケンスは、前記第１の端末の識別情報、前記第２の端末の識別情報、および前記第１の端末と前記第２の端末が配置されているグループのグループ識別情報の少なくとも１つに基づいて生成される。
【０１９９】
一実施形態では、前記装置は、
第２の伝送リソースを決定するように構成される決定部７０２と、
前記第２の伝送リソースにおいて前記第１の端末に前記第１のサイドリンク伝送チャネルを送信するように構成される送信部７０１とをさらに備える。
【０２００】
一実施形態では、前記決定部７０２は、
前記第２の伝送リソースを独立して選択すること、または、
事前設定情報に従って前記第２の伝送リソースを決定する、または、
ネットワーク設定情報に従って前記第２の伝送リソースを決定する、または、
第３の端末によって送信されるリソース設定情報を受信し、前記リソース設定情報に従って前記第２の伝送リソースを決定する、または、
第１の端末に送信されるＳＲ情報を受信し、前記ＳＲ情報に従って第    の端末に割り当てられる伝送リソースを前記第２の伝送リソースとして決定するように構成される。
【０２０１】
一実施形態では、前記送信部７０１は、さらに前記第１の端末に第１の情報を送信するように構成され、
前記第１の情報は、ＣＱＩ、ＣＳＩ、ＭＣＳ、候補伝送リソース表示情報のうちの少なくとも１つの情報を含む。ここで、前記候補伝送リソース表示情報は、第１のリソース選択ウィンドウ内の利用可能な伝送リソースを示すために使用される。
【０２０２】
一実施形態では、前記第２の端末によって割り当てられる前記第１の伝送リソースが前記第２の端末と前記第１の端末とのサイドリンクデータ伝送に使用される場合、前記ＣＱＩおよび／または前記ＣＳＩは、前記第２の端末と前記第１の端末との間のチャネル品質である。
【０２０３】
前記第２の端末によって割り当てられる前記第１の伝送リソースが前記第２の端末と第３の端末とのサイドリンクデータ伝送に使用される場合、前記ＣＱＩおよび／または前記ＣＳＩは、前記第２の端末と前記第３の端末との間のチャネル品質である。
【０２０４】
一実施形態では、前記第１のリソース選択ウィンドウは、事前設定情報に従って決定される、または、
前記第１のリソース選択ウィンドウは、ネットワーク設定情報に従って決定される、または、
前記第１のリソース選択ウィンドウは、第３の端末によって送信される設定情報に従って決定される。
【０２０５】
一実施形態では、前記送信部７０１は、前記第１の端末に第３のサイドリンク伝送チャネルを送信するように構成され、前記第３のサイドリンク伝送チャネルは、前記第１の情報を運ぶ。
【０２０６】
当業者は、本開示の実施形態における前述のリソースの割り当て装置の関連する説明は、本開示の実施形態におけるリソースの割り当て方法の関連する説明を参照して理解できることを理解すべきである。
【０２０７】
図８は、本開示の実施形態によって提供される通信装置６００の模式的構造図である。当該通信装置は、端末またはＲＳＵであってもよい。図８に示される通信装置６００は、プロセッサ６１０を備え、プロセッサ６１０は、メモリからコンピュータプログラムを呼び出して実行し、本開示の実施形態による方法を実施することができる。
【０２０８】
オプションで、図８に示されるように、通信装置６００は、メモリ６２０をさらに備えてもよい。ここで、プロセッサ６１０は、メモリ６２０からコンピュータプログラムを呼び出して実行し、本開示の実施形態による方法を実施することができる。
【０２０９】
ここで、メモリ６２０は、プロセッサ６１０から独立した別個のデバイスであってもよいか、またはプロセッサ６１０に集積されてもよい。
【０２１０】
オプションで、図８に示すように、通信装置６００は、トランシーバ６３０をさらに備えてもよく、プロセッサ６１０は、他の装置と通信するようにトランシーバ６３０を制御することができ、具体的には、情報またはデータを他の装置に送信するか、または他の装置によって送信される情報またはデータを受信することができる。
【０２１１】
ここで、トランシーバ６３０は、送信機および受信機を備えてもよい。トランシーバ６３０は、アンテナをさらに備えてもよく、アンテナの数は、１つまたは複数であってもよい。
【０２１２】
オプションで、当該通信装置６００は、具体的には、本開示の実施形態によるネットワーク装置であってもよく、当該通信装置６００は、本開示の実施形態の各方法においてネットワーク装置によって実施される対応するプロセスを実施することができる。簡素化のため、ここで繰り返しない。
【０２１３】
オプションで、通信装置６００は、具体的には、本開示の実施形態による移動端末／端末であってもよく、当該通信装置６００は、本開示の実施形態の各方法において移動端末／端末によって実施される対応するプロセスを実施することができる。簡素化ために、ここでは繰り返しない。
【０２１４】
図９は、本開示の実施形態によるチップの模式的構造図である。図９に示されるチップ７００は、プロセッサ７１０を備え、プロセッサ７１０は、メモリからコンピュータプログラムを呼び出して実行し、本開示の実施形態による方法を実施することができる。
【０２１５】
オプションで、図９に示されるように、チップ７００は、メモリ７２０をさらに備えてもよい。ここで、プロセッサ７１０は、メモリ７２０からコンピュータプログラムを呼び出して実行し、本開示の実施形態による方法を実施することができる。
【０２１６】
ここで、メモリ７２０は、プロセッサ７１０から独立した別個のデバイスであってもよいか、またはプロセッサ７１０に集積されてもよい。
【０２１７】
オプションで、当該チップ７００は、入力インターフェース７３０をさらに備えてもよい。オプションで、プロセッサ７１０は、他の装置またはチップと通信するように入力インターフェース７７３０を制御することができ、具体的には、他の装置またはチップによって送信される情報またはデータを受信することができる。
【０２１８】
オプションで、当該チップ７００は、出力インターフェース７４０をさらに備えてもよい。ここで、プロセッサ７１０は、他の装置またはチップと通信するように出力インターフェース７４０を制御することができ、具体的には、他の装置またはチップに情報またはデータを送信することができる。
【０２１９】
オプションで、当該チップは、本開示の実施形態によるネットワーク装置に適用されてもよく、当該チップは、本開示の実施形態の各方法においてネットワーク装置によって実施される対応するプロセスを実施することができる。簡素化のため、ここで繰り返しない。
【０２２０】
オプションで、当該チップは、本開示の実施形態による移動端末／端末に適用されてもよく、当該チップは、本開示の実施形態の各方法において移動端末／端末によって実施される対応するプロセスを実施することができる。簡素化ために、ここでは繰り返しない。
【０２２１】
本開示の実施形態で言及されるチップは、システムレベルチップ、システムチップ、チップシステム、またはシステムオンチップと呼ばれることもあることを理解されたい。
【０２２２】
図１０は、本開示の実施形態によって提供される通信システム９００の模式的ブロック図である。図１０に示すように、当該通信システム９００は、端末９１０およびネットワーク装置９２０を含む。
【０２２３】
ここで、当該端末９１０は、前述の方法で端末によって実装される対応する機能を実装するために使用され、当該ネットワーク装置９２０は、前述の方法でネットワーク装置によって実装される対応する機能を実装するために使用されてもよい。簡素化のため、ここでは繰り返しない。
【０２２４】
本開示の実施形態のプロセッサは、信号処理能力を備えた集積回路チップであり得ることを理解されたい。実装プロセスにおいて、上記の方法の実施形態の各ステップは、プロセッサ内のハードウェア集積論理回路またはソフトウェアの形態の命令によって完成させることができる。上記のプロセッサは、汎用プロセッサ、デジタルシグナルプロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、またはその他のプログラミングロジックデバイス、ディスクリートゲートまたはトランジスタロジックデバイス、ディスクリートハードウェアコンポーネントであってもよい。本開示の実施形態に開示されている方法、ステップ、および論理ブロック図を、実装または実行することができる。汎用プロセッサは、マイクロプロセッサであってもよいか、または当該プロセッサは、任意の従来のプロセッサなどであってもよい。本開示の実施形態に開示される方法のステップは、ハードウェア復号化プロセッサの具体化によって実行および完了されるように、または復号化プロセッサ内のハードウェアおよびソフトウェアモジュールの組み合わせによって実行および完了されるようにすることができる。ソフトウェアモジュールは、ランダムアクセスメモリ、フラッシュメモリ、読み取り専用メモリ、プログラム可能な読み取り専用メモリ、または電気的に消去可能なプログラム可能なメモリ、レジスタなどの本分野の成熟した記憶媒体に配置することができる。当該記憶媒体はメモリ内に配置され、プロセッサはメモリ内の情報を読み取り、ハードウェアと組み合わせて上記の方法のステップを完成させる。
【０２２５】
本開示の実施形態によるメモリは、揮発性メモリまたは不揮発性メモリであってもよいか、または揮発性メモリおよび不揮発性メモリの両方を含んでもよいことが理解され得る。その中で、不揮発性メモリは、読み取り専用メモリ（Ｒｅａｄ−Ｏｎｌｙ  Ｍｅｍｏｒｙ、ＲＯＭ）、プログラム可能な読み取り専用メモリ（Ｐｒｏｇｒａｍｍａｂｌｅ  ＲＯＭ、ＰＲＯＭ）、消去可能なプログラム可能な読み取り専用メモリ（Ｅｒａｓａｂｌｅ  ＰＲＯＭ、ＥＰＲＯＭ）、電気的に消去可能なプログラム可能な読み取り専用メモリ（Ｅｌｅｃｔｒｉｃａｌｌｙ  ＥＰＲＯＭ、ＥＥＰＲＯＭ）またはフラッシュメモリであってもよい。揮発性メモリは、外部キャッシュとして使用されるランダムアクセスメモリ（Ｒａｎｄｏｍ  Ａｃｃｅｓｓ  Ｍｅｍｏｒｙ、ＲＡＭ）であってもよい。例示的であるが限定的ではない説明として、静的ランダムアクセスメモリ（Ｓｔａｔｉｃ  ＲＡＭ、ＳＲＡＭ）、動的ランダムアクセスメモリ（Ｄｙｎａｍｉｃ  ＲＡＭ、ＤＲＡＭ）、同期動的ランダムアクセスメモリ（Ｓｙｎｃｈｒｏｎｏｕｓ  ＤＲＡＭ、  ＳＤＲＡＭ）、ダブルデータレート同期動的ランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、同期リンクダイナミックランダムアクセスメモリ（Ｓｙｎｃｈｌｉｎｋ  ＤＲＡＭ、ＳＬＤＲＡＭ））、およびダイレクトランバスＲＡＭ（Ｄｉｒｅｃｔ  Ｒａｍｂｕｓ  ＲＡＭ、ＤＲＲＡＭ）などの多種類のＲＡＭは使用可能である。本明細書に記載のシステムおよび方法に係るメモリは、これらおよび他の適切なタイプのメモリを含むことを意図しているが、これらに限定されないことに留意されたい。
【０２２６】
上記のメモリは例示的であるが限定的説明ではない。例えば、本開示の実施形態に係るメモリは、静的ランダムアクセスメモリ（Ｓｔａｔｉｃ  ＲＡＭ、ＳＲＡＭ）、動的ランダムアクセスメモリ（Ｄｙｎａｍｉｃ  ＲＡＭ、ＤＲＡＭ）、同期動的ランダムアクセスメモリ（Ｓｙｎｃｈｒｏｎｏｕｓ  ＤＲＡＭ、  ＳＤＲＡＭ）、ダブルデータレート同期動的ランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、同期リンクダイナミックランダムアクセスメモリ（Ｓｙｎｃｈｌｉｎｋ  ＤＲＡＭ、ＳＬＤＲＡＭ））、およびダイレクトランバスＲＡＭ（Ｄｉｒｅｃｔ  Ｒａｍｂｕｓ  ＲＡＭ、ＤＲＲＡＭ）などのであってもよい。つまり、本開示の実施形態によるメモリは、これらおよび他の適切なタイプのメモリを含むことを意図しているが、これらに限定されない。
【０２２７】
本開示の実施形態は、コンピュータプログラムを格納するように構成されるコンピュータ可読記憶媒体をさらに提供する。
【０２２８】
オプションで、当該コンピュータ可読記憶媒体は、本開示の実施形態によるネットワーク装置に適用されてもよく、当該コンピュータプログラムは、本開示の実施形態の各方法においてネットワーク装置によって実施される対応するプロセスをコンピュータに実施させる。簡素化のため、ここで繰り返しない。
【０２２９】
オプションで、当該コンピュータ可読記憶媒体は、本開示の実施形態による移動端末／端末に適用されてもよく、当該コンピュータプログラムは、本開示の実施形態の各方法において移動端末／端末によって実施される対応するプロセスをコンピュータに実施させる。簡素化ために、ここでは繰り返しない。
【０２３０】
本開示の実施形態は、コンピュータプログラム指令を備えるコンピュータプログラム製品をさらに提供する。
【０２３１】
オプションで、当該コンピュータプログラム製品は、本開示の実施形態によるネットワーク装置に適用されてもよく、当該コンピュータプログラム製品は、本開示の実施形態の各方法においてネットワーク装置によって実施される対応するプロセスをコンピュータに実施させる。簡素化のため、ここで繰り返しない。
【０２３２】
オプションで、当該コンピュータプログラム製品は、本開示の実施形態による移動端末／端末に適用されてもよく、当該コンピュータプログラム製品は、本開示の実施形態の各方法において移動端末／端末によって実施される対応するプロセスをコンピュータに実施させる。簡素化ために、ここでは繰り返しない。
【０２３３】
本開示の実施形態は、コンピュータプログラムをさらに提供する。
【０２３４】
オプションで、当該コンピュータプログラムは、本開示の実施形態によるネットワーク装置に適用されてもよく、当該コンピュータプログラムはコンピュータで実行されると、本開示の実施形態の各方法においてネットワーク装置によって実施される対応するプロセスをコンピュータに実施させる。簡素化のため、ここで繰り返しない。
【０２３５】
オプションで、当該コンピュータプログラムは、本開示の実施形態による移動端末／端末に適用されてもよく、当該コンピュータプログラムはコンピュータで実行されると、本開示の実施形態の各方法において移動端末／端末によって実施される対応するプロセスをコンピュータに実施させる。簡素化ために、ここでは繰り返しない。
【０２３６】
当業者は、本明細書に開示される実施形態を参照して説明される各実例のユニットおよびアルゴリズムのステップが、電子ハードウェア、またはコンピュータソフトウェアと電子ハードウェアの組み合わせによって実現できることを理解される。これらの機能がハードウェアで実行されるかソフトウェアで実行されるかは、技術案の特定の応用と設計上の制約による。専門な技術者は、特定の応用ごとに異なる方法を使用して、説明された機能を実装することができるが、そのような実装は、本開示の範囲を超えていると見られるべきではない。
【０２３７】
当業者は、便宜上および説明の簡素化のために、上記に説明されたシステム、装置、およびユニットの特定の作業プロセスが、前述の方法の実施形態による対応するプロセスを参照できることを明確に理解するので、その詳細は、ここで説明しない。
【０２３８】
本開示で提供される実施形態では、開示されるシステムおよび方法は、他の方法で実施され得ることが理解されるべきである。例えば、上記の装置の実施形態は、単に例示的なものである。例えば、前記のユニットの分割は、論理機能の分割にすぎず、実際の実装では、他の分割方式があり得る。
【０２３９】
例え複数のユニット或いはコンポネントが別のシステムに組み合わせ或いは集積することも、一部の特徴を無視するか、実装しないこともできる。さらに、表示または説明された相互結合または直接結合または通信接続は、いくつかのインターフェース、装置、またはユニットを介した間接結合または通信接続であり得、電気的、機械的または他の形態であり得る。
【０２４０】
個別のコンポーネントとして説明されたユニットは、物理的に分離されている場合とされていない場合があり、ユニットとして表示されるコンポーネントは、物理ユニットである場合とそうでない場合がある。つまり、１つの場所に配置されている場合と、複数のネットワークユニットに分散されている場合がある。ユニットのいくつかまたはすべては、実施形態の案の目的を達成するための実際の需要に従って選択され得る。
【０２４１】
また、本開示の各実施形態による各機能ユニットは、１つの処理ユニットに集積されてもよいか、または各ユニットが物理的に単独で存在してもよいか、または２つ以上のユニットが１つのユニットに集積されてもよい。
【０２４２】
機能がソフトウェア機能ユニットの形で実装され、独立した製品として販売または使用される場合、コンピュータ可読記憶媒体に保存できる。このような理解に基づいて、本開示の技術案は、本質的に、または従来の技術に寄与する部分または当該技術案の部分はソフトウェア製品の形で具体化することができ、当該コンピュータソフトウェア製品は、記憶媒体に格納され、コンピュタ装置（パーソナルコンピュータ、サーバー、またはネットワーク装置などであってもよい）に、本開示の各実施形態に記載される方法を実行させるためのいくつかの命令を含む。前述の記憶媒体には、フラッシュディスク、モバイルハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスクまたは光ディスク、およびプログラムコードを格納できるその他の媒体が含まれる。
【０２４３】
上記は、本開示の特定の実施形態にすぎないが、本開示の保護範囲はこれに限定されない。当業者は、本開示に開示されている技術範囲において考えられる変更または置換は、本開示の保護範囲に含まれる。従って、本開示の保護範囲は、請求の範囲の保護範囲に従うものとする。
【手続補正２】
【補正対象書類名】特許請求の範囲
【補正対象項目名】全文
【補正方法】変更
【補正の内容】
【特許請求の範囲】
【請求項１】
リソースの割り当て方法であって、前記方法は、
第１の端末は第２の端末によって送信されるバッファステータスレポートＢＳＲ情報を受信することと、
前記第１の端末は、第１の伝送リソースを前記第２の端末に割り当てることとを含む。
【請求項２】
前記第１の端末は前記第２の端末によって送信されるＢＳＲ情報を受信することは、
前記第１の端末は前記第２の端末によって送信される第１のサイドリンク伝送チャネルを受信することを含み、前記第１のサイドリンク伝送チャネルは前記ＢＳＲ情報を運ぶ、ことを特徴とする請求項１に記載の方法。
【請求項３】
前記第１のサイドリンク伝送チャネルは、第１のサイドリンク制御チャネルであり、前記第１のサイドリンク制御チャネルにおける第１のサイドリンク制御情報は、前記ＢＳＲ情報を運ぶ、ことを特徴とする請求項２に記載の方法。
【請求項４】
前記第１のサイドリンク伝送チャネルは、第１のサイドリンクデータチャネルであり、前記第１のサイドリンクデータチャネルにおけるデータは、前記ＢＳＲ情報を運ぶ、ことを特徴とする請求項２に記載の方法。
【請求項５】
前記第１のサイドリンク制御情報は第３の情報フィールドを運び、前記第３の情報フィールドは前記第１のサイドリンク制御情報がスケジューリング要求ＳＲ情報を運ぶことを示すためである、ことを特徴とする請求項３に記載の方法。
【請求項６】
前記第１のサイドリンク制御情報は第４の情報フィールドを運び、前記第４の情報フィールドは前記ＳＲ情報を示すためである、ことを特徴とする請求項３または５に記載の方法。
【請求項７】
前記第１のサイドリンクデータチャネルにおけるデータは、ＳＲ情報を運ぶ、ことを特徴とする請求項４に記載の方法。
【請求項８】
前記方法は、
前記第１の端末は前記第２の端末によって送信される第２のサイドリンク伝送チャネルを受信することをさらに含み、前記第２のサイドリンク伝送チャネルはＳＲ情報を運ぶ、ことを特徴とする請求項１〜４の何れか一項に記載の方法。
【請求項９】
前記方法は、
前記第１の端末は前記第２の端末によって送信される第１の情報を受信することをさらに含み、
前記第１の情報は、チャネル品質指標ＣＱＩ、チャネル状態表示情報ＣＳＩ、変調および符号化方式ＭＣＳ、候補伝送リソース表示情報のうちの少なくとも１つの情報を含み、ここで、前記候補伝送リソース表示情報は、第１のリソース選択ウィンドウ内の利用可能な伝送リソースを示すためである、ことを特徴とする請求項１〜８の何れか一項に記載の方法。
【請求項１０】
前記方法は、
前記第１の端末は、事前設定情報に従って前記第１のリソース選択ウィンドウを決定すること、または、
前記第１の端末は、ネットワーク設定情報に従って前記第１のリソース選択ウィンドウを決定すること、または、
前記第１の端末は、第３の端末によって送信される設定情報を受信し、前記設定情報に従って前記第１のリソース選択ウィンドウを決定することをさらに含む、ことを特徴とする請求項９に記載の方法。
【請求項１１】
リソースの割り当て方法であって、前記方法は、
第２の端末は、第１の端末にＢＳＲ情報を送信することを含み、前記ＢＳＲ情報は、前記第１の端末が第１の伝送リソースを前記第２の端末に割り当てるためである、ことを特徴とするリソースの割り当て方法。
【請求項１２】
前記第２の端末は前記第１の端末にＢＳＲ情報を送信することは、
前記第２の端末は前記第１の端末に第１のサイドリンク伝送チャネルを送信することを含み、前記第１のサイドリンク伝送チャネルは前記ＢＳＲ情報を運ぶ、
前記第１のサイドリンク伝送チャネルは、第１のサイドリンク制御チャネルであり、前記第１のサイドリンク制御チャネルにおける第１のサイドリンク制御情報は、前記ＢＳＲ情報を運ぶ、ことを特徴とする請求項１１に記載の方法。
【請求項１３】
前記第１のサイドリンク制御情報は第１の情報フィールドを運び、前記第１の情報フィールドは前記第１のサイドリンク制御情報が前記ＢＳＲ情報を運ぶことを示すためである、ことを特徴とする請求項１２に記載の方法。
【請求項１４】
前記第１のサイドリンク制御情報は第２の情報フィールドを運び、前記第２の情報フィールドは前記ＢＳＲ情報を示すためである、ことを特徴とする請求項１２または１３に記載の方法。
【請求項１５】
端末であって、プロセッサおよびメモリを備え、当該メモリはコンピュータプログラムを格納するように構成され、前記プロセッサは前記メモリに格納されるコンピュータプログラムを呼び出して実行し、請求項１〜１０の何れか一項に記載の方法、または、請求項１１〜１４の何れか一項に記載の方法を実行するように構成される、ことを特徴とする端末。
【手続補正３】
【補正対象書類名】図面
【補正対象項目名】全図
【補正方法】変更
【補正の内容】
【図１】
2022500935.tif 000013
【図２】
2022500935.tif 000014
【図３】
2022500935.tif 000015
【図４】
2022500935.tif 000016
【図５】
2022500935.tif 000017
【図６】
2022500935.tif 000018
【図７】
2022500935.tif 000019
【図８】
2022500935.tif 000020
【図９】
2022500935.tif 000021
【図１０】
2022500935.tif 000022
【国際調査報告】
2022500935.tif 000023
2022500935.tif 000024
2022500935.tif 000025
2022500935.tif 000026